(57)【要約】  基地局は、サブキャリアとＯＦＤＭシンボルとで構成されるリソースエレメントを用いて、端末と通信する。基地局は、端末に対する制御情報を通知するＥＰＤＣＣＨを生成するＥＰＤＣＣＨ生成部と、ＥＰＤＣＣＨに関連付けられる復調参照信号であり、複数のアンテナポート間で多重可能な第１の復調参照信号または第２の復調参照信号を生成する参照信号生成部と、ＥＰＤＣＣＨと、端末に対する設定に基づいて選択される第１の復調参照信号または第２の復調参照信号とを送信する送信部と、を備える。
2014141920.tif 000002
【特許請求の範囲】
【請求項１】
サブキャリアとＯＦＤＭシンボルとで構成されるリソースエレメントを用いて、端末と通信する基地局であって、
前記端末に対する制御情報を通知するＥＰＤＣＣＨを生成するＥＰＤＣＣＨ生成部と、
前記ＥＰＤＣＣＨに関連付けられる復調参照信号であり、複数のアンテナポート間で多重可能な第１の復調参照信号または第２の復調参照信号を生成する参照信号生成部と、
前記ＥＰＤＣＣＨと、前記端末に対する設定に基づいて選択される前記第１の復調参照信号または前記第２の復調参照信号とを送信する送信部と、
を備えることを特徴とする基地局。
【請求項２】
前記第１の復調参照信号は第１のマッピングパターンを用いて前記リソースエレメントにマッピングされ、前記第２の復調参照信号は第２のマッピングパターンを用いて前記リソースエレメントにマッピングされる、ことを特徴とする請求項１に記載の基地局。
【請求項３】
前記第１の復調参照信号または前記第２の復調参照信号は、前記端末に対して設定される送信モードに基づいて選択される、ことを特徴とする請求項１に記載の基地局。
【請求項４】
前記第１の復調参照信号または前記第２の復調参照信号は、前記第２の復調参照信号に関する情報が前記端末に設定されたか否かに基づいて選択される、ことを特徴とする請求項１に記載の基地局。
【請求項５】
前記第１の復調参照信号または前記第２の復調参照信号は、前記ＥＰＤＣＣＨに対して設定される分散送信または局所送信に基づいて選択される、ことを特徴とする請求項１に記載の基地局。
【請求項６】
前記第１の復調参照信号または前記第２の復調参照信号は、前記ＥＰＤＣＣＨに対して設定される探索領域に基づいて選択される、ことを特徴とする請求項１に記載の基地局。
【請求項７】
前記第１の復調参照信号または前記第２の復調参照信号は、前記ＥＰＤＣＣＨが送信されるセルに対して設定されるキャリアタイプに基づいて選択される、ことを特徴とする請求項１に記載の基地局。
【請求項８】
前記第１の復調参照信号または前記第２の復調参照信号は、前記ＥＰＤＣＣＨが送信されるサブフレームに対して設定されるサブフレームタイプに基づいて選択される、ことを特徴とする請求項１に記載の基地局。
【請求項９】
サブキャリアとＯＦＤＭシンボルとで構成されるリソースエレメントを用いて、基地局と通信する端末であって、
前記端末に対する制御情報を通知するＥＰＤＣＣＨと、前記ＥＰＤＣＣＨに関連付けられる復調参照信号であり、複数のアンテナポート間で多重可能な第１の復調参照信号または第２の復調参照信号と、を受信する受信部を備え、
前記第１の復調参照信号または前記第２の復調参照信号は、前記端末に対する設定に基づいて選択される、ことを特徴とする端末。
【請求項１０】
サブキャリアとＯＦＤＭシンボルとで構成されるリソースエレメントを用いて、基地局と端末とが通信する通信システムであって、
前記基地局は、
前記端末に対する制御情報を通知するＥＰＤＣＣＨを生成するＥＰＤＣＣＨ生成部と、
前記ＥＰＤＣＣＨに関連付けられる復調参照信号であり、複数のアンテナポート間で多
重可能な第１の復調参照信号または第２の復調参照信号を生成する参照信号生成部と、
前記ＥＰＤＣＣＨと、前記端末に対する設定に基づいて選択される前記第１の復調参照信号または前記第２の復調参照信号とを送信する送信部と、を備え、
前記端末は、
前記ＥＰＤＣＣＨと、前記第１の復調参照信号または前記第２の復調参照信号とを受信する受信部を備える、ことを特徴とする通信システム。
【請求項１１】
サブキャリアとＯＦＤＭシンボルとで構成されるリソースエレメントを用いて、端末と通信する基地局で用いられる通信方法であって、
前記端末に対する制御情報を通知するＥＰＤＣＣＨを生成するステップと、
前記ＥＰＤＣＣＨに関連付けられる復調参照信号であり、複数のアンテナポート間で多重可能な第１の復調参照信号または第２の復調参照信号を生成するステップと、
前記ＥＰＤＣＣＨと、前記端末に対する設定に基づいて選択される前記第１の復調参照信号または前記第２の復調参照信号とを送信するステップと、
を有することを特徴とする通信方法。
【請求項１２】
サブキャリアとＯＦＤＭシンボルとで構成されるリソースエレメントを用いて、基地局と通信する端末で用いられる通信方法であって、
前記端末に対する制御情報を通知するＥＰＤＣＣＨと、前記ＥＰＤＣＣＨに関連付けられる復調参照信号であり、複数のアンテナポート間で多重可能な第１の復調参照信号または第２の復調参照信号と、を受信するステップを有し、
前記第１の復調参照信号または前記第２の復調参照信号は、前記端末に対する設定に基づいて選択される、ことを特徴とする通信方法。
【請求項１３】
サブキャリアとＯＦＤＭシンボルとで構成されるリソースエレメントを用いて、端末と通信する基地局で実現される集積回路であって、
前記端末に対する制御情報を通知するＥＰＤＣＣＨを生成する機能と、
前記ＥＰＤＣＣＨに関連付けられる復調参照信号であり、複数のアンテナポート間で多重可能な第１の復調参照信号または第２の復調参照信号を生成する機能と、
前記ＥＰＤＣＣＨと、前記端末に対する設定に基づいて選択される前記第１の復調参照信号または前記第２の復調参照信号とを送信する機能と、
を有することを特徴とする集積回路。
【請求項１４】
サブキャリアとＯＦＤＭシンボルとで構成されるリソースエレメントを用いて、基地局と通信する端末で用いられる通信方法であって、
前記端末に対する制御情報を通知するＥＰＤＣＣＨと、前記ＥＰＤＣＣＨに関連付けられる復調参照信号であり、複数のアンテナポート間で多重可能な第１の復調参照信号または第２の復調参照信号と、を受信する機能を有し、
前記第１の復調参照信号または前記第２の復調参照信号は、前記端末に対する設定に基づいて選択される、ことを特徴とする集積回路。
【発明の詳細な説明】
【技術分野】
【０００１】
本発明は、基地局、端末、通信システム、通信方法および集積回路に関する。
【背景技術】
【０００２】
３ＧＰＰ（Third Generation Partnership Project）によるＷＣＤＭＡ（Wideband Code Division Multiple Access）、ＬＴＥ（Long Term Evolution）、ＬＴＥ−Ａ（LTE-Advanced）やＩＥＥＥ（The Institute of Electrical and Electronics engineers）によるＷｉｒｅｌｅｓｓ  ＬＡＮ、ＷｉＭＡＸ（Worldwide Interoperability for Microwave Access）のような無線通信システムでは、基地局（セル、送信局、送信装置、ｅＮｏｄｅＢ）および端末（移動端末、受信局、移動局、受信装置、ＵＥ（User Equipment））は、セルを用いて無線通信を行う。基地局と端末は、複数の送受信アンテナをそれぞれ備え、ＭＩＭＯ（Multi Input Multi Output）技術を用いることにより、データ信号を空間多重し、高速なデータ通信を実現できる。【０００３】
そのような無線通信システムは、広いカバレッジのマクロセルと、そのマクロセルよりも狭いカバレッジのスモールセルとによるヘテロジーニアスネットワーク配置（ＨｅｔＮｅｔ；Heterogeneous Network deployment）を用いることができる。ここで、スモールセルは、ＲＲＨ（Remote Radio Head）、ピコセル、フェムトセルなどである。図１５は、ヘテロジーニアスネットワーク配置を用いた無線通信システムの概要図である。例えば、ヘテロジーニアスネットワークは、マクロセル１５０１、スモールセル１５０２、スモールセル１５０３によって構成される。【０００４】
図１５において、マクロセル１５０１はカバレッジ１５０５を構築し、スモールセル１５０２およびスモールセル１５０３はそれぞれカバレッジ１５０６およびカバレッジ１５０７を構築している。また、マクロセル１５０１は、スモールセル１５０２と回線１５０８を通じて接続しており、スモールセル１５０３と回線１５０９を通じて接続している。これにより、マクロセル１５０１は、スモールセル１５０２およびスモールセル１５０３と、データ信号や制御信号（制御情報）を送受信することができる。ここで、例えば、回線１５０８および回線１５０９には、光ファイバ等の有線回線やリレー技術を用いた無線回線が利用される。この際、マクロセル１５０１、スモールセル１５０２、スモールセル１５０３の一部または全てが、同一のリソースを用いることで、カバレッジ１５０５のエリア内の総合的な周波数利用効率（伝送容量）を向上することができる。【０００５】
また、端末１５０４は、カバレッジ１５０６の中に位置している場合、マクロセル１５０１またはスモールセル１５０２とシングルセル通信を行うことができる。また、端末１５０４は、カバレッジ１５０６の中に位置している場合、マクロセル１５０１およびスモールセル１５０２とマルチセル通信（協調通信）を行うことができる。【０００６】
一方、無線通信システムにおいて、基地局は、端末に対して、基地局と端末との間において既知の信号である参照信号（ＲＳ；Reference Signalとも呼称される）を送信できる。この参照信号は、信号やチャネルの復調やチャネル状態のレポートなどの様々な目的のために、複数の参照信号を送信できる。例えば、セル固有参照信号（ＣＲＳ；Cell-specific RS）は、セルに固有の参照信号として、全てのサブフレームおよび所定の周波数間隔でシステム帯域幅に渡って送信される。ＣＲＳの詳細は非特許文献１に開示されている。
【先行技術文献】
【非特許文献】
【０００７】
【非特許文献１】3rd Generation Partnership Project; Technical Specification Group Radio Access Network; Evolved Universal Terrestrial Radio Access (E-UTRA); Physical Channels and Modulation (Release 11)、3GPP TS 36.211 v11.1.0、2012年12月。
【発明の概要】
【発明が解決しようとする課題】
【０００８】
しかしながら、セル内に端末がいない場合でも、そのセルは、そのセル内に移動してくる端末がそのセルに接続するために、ＣＲＳを常に送信する必要がある。そのような場合、そのセルをサービスする基地局の電力は浪費することになる。さらに、そのＣＲＳのようなセルに固有の信号はセル間干渉を引き起こす可能性がある。そのセル間干渉は、伝送効率を低下させる要因となる。特に、ヘテロジーニアスネットワーク配置を用いる通信システムにおいて、マクロセル内のスモールセルの数が多い場合、ＣＲＳによるセル間干渉の影響は大きくなる。【０００９】
本発明は、上記問題を鑑みてなされたものであり、その目的は、基地局と端末が通信する通信システムにおいて、セル間干渉を低減させ、伝送効率を向上させることができる基地局、端末、通信システム、通信方法および集積回路を提供することにある。
【課題を解決するための手段】
【００１０】
（１）この発明は上述した課題を解決するためになされたもので、本発明の一態様による基地局は、サブキャリアとＯＦＤＭシンボルとで構成されるリソースエレメントを用いて、端末と通信する基地局であって、端末に対する制御情報を通知するＥＰＤＣＣＨを生成するＥＰＤＣＣＨ生成部と、ＥＰＤＣＣＨに関連付けられる復調参照信号であり、複数のアンテナポート間で多重可能な第１の復調参照信号または第２の復調参照信号を生成する参照信号生成部と、ＥＰＤＣＣＨと、端末に対する設定に基づいて選択される第１の復調参照信号または第２の復調参照信号とを送信する送信部と、を備える。【００１１】
（９）本発明の一態様による端末は、サブキャリアとＯＦＤＭシンボルとで構成されるリソースエレメントを用いて、基地局と通信する端末であって、端末に対する制御情報を通知するＥＰＤＣＣＨと、ＥＰＤＣＣＨに関連付けられる復調参照信号であり、複数のアンテナポート間で多重可能な第１の復調参照信号または第２の復調参照信号と、を受信する受信部を備える。第１の復調参照信号または第２の復調参照信号は、端末に対する設定に基づいて選択される。【００１２】
（１０）本発明の一態様による通信システムは、サブキャリアとＯＦＤＭシンボルとで構成されるリソースエレメントを用いて、基地局と端末とが通信する通信システムである。基地局は、端末に対する制御情報を通知するＥＰＤＣＣＨを生成するＥＰＤＣＣＨ生成部と、ＥＰＤＣＣＨに関連付けられる復調参照信号であり、複数のアンテナポート間で多重可能な第１の復調参照信号または第２の復調参照信号を生成する参照信号生成部と、ＥＰＤＣＣＨと、端末に対する設定に基づいて選択される第１の復調参照信号または第２の復調参照信号とを送信する送信部と、を備える。端末は、ＥＰＤＣＣＨと、第１の復調参照信号または第２の復調参照信号とを受信する受信部を備える。【００１３】
（１１）本発明の一態様による通信方法は、サブキャリアとＯＦＤＭシンボルとで構成されるリソースエレメントを用いて、端末と通信する基地局で用いられる通信方法であって、端末に対する制御情報を通知するＥＰＤＣＣＨを生成するステップと、ＥＰＤＣＣＨに関連付けられる復調参照信号であり、複数のアンテナポート間で多重可能な第１の復調参照信号または第２の復調参照信号を生成するステップと、ＥＰＤＣＣＨと、端末に対する設定に基づいて選択される第１の復調参照信号または第２の復調参照信号とを送信するステップと、を有する。【００１４】
（１２）本発明の一態様による通信方法は、サブキャリアとＯＦＤＭシンボルとで構成されるリソースエレメントを用いて、基地局と通信する端末で用いられる通信方法であって、端末に対する制御情報を通知するＥＰＤＣＣＨと、ＥＰＤＣＣＨに関連付けられる復調参照信号であり、複数のアンテナポート間で多重可能な第１の復調参照信号または第２の復調参照信号と、を受信するステップを有する。第１の復調参照信号または第２の復調参照信号は、端末に対する設定に基づいて選択される。【００１５】
（１３）本発明の一態様による集積回路は、サブキャリアとＯＦＤＭシンボルとで構成されるリソースエレメントを用いて、端末と通信する基地局で実現される集積回路であって、端末に対する制御情報を通知するＥＰＤＣＣＨを生成する機能と、ＥＰＤＣＣＨに関連付けられる復調参照信号であり、複数のアンテナポート間で多重可能な第１の復調参照信号または第２の復調参照信号を生成する機能と、ＥＰＤＣＣＨと、端末に対する設定に基づいて選択される第１の復調参照信号または第２の復調参照信号とを送信する機能と、を有する。【００１６】
（１４）本発明の一態様による集積回路は、サブキャリアとＯＦＤＭシンボルとで構成されるリソースエレメントを用いて、基地局と通信する端末で用いられる通信方法であって、端末に対する制御情報を通知するＥＰＤＣＣＨと、ＥＰＤＣＣＨに関連付けられる復調参照信号であり、複数のアンテナポート間で多重可能な第１の復調参照信号または第２の復調参照信号と、を受信する機能を有する。第１の復調参照信号または第２の復調参照信号は、端末に対する設定に基づいて選択される。
【発明の効果】
【００１７】
この発明によれば、基地局と端末が通信する無線通信システムにおいて、伝送効率を向上させることができる。
【図面の簡単な説明】
【００１８】
【図１】本実施形態に係る基地局の構成を示す概略ブロック図である。
【図２】本実施形態に係る端末の構成を示す概略ブロック図である。
【図３】本実施形態に係るフレーム構成を示す図である。
【図４】本実施形態に係るサブフレームのリソース構成の一例を示す図である。
【図５】第１のＤＭＲＳが用いられるリソースブロックペアの一例を示す図である。
【図６】第２のＤＭＲＳが用いられるリソースブロックペアの一例を示す図である。
【図７】第２のＤＭＲＳが用いられるリソースブロックペアの別の一例を示す図である。
【図８】第１のＤＭＲＳと第２のＤＭＲＳとの選択方法の一例を用いた端末のフローチャートを示す図である。
【図９】第１のＤＭＲＳと第２のＤＭＲＳとの選択方法の別の一例を用いた端末のフローチャートを示す図である。
【図１０】複数のキャリアタイプを用いる通信システムの周波数割り当ての一例を示す図である。
【図１１】トラッキングＲＳが用いられるリソースブロックペアの一例を示す図である。
【図１２】第１のＤＭＲＳと第２のＤＭＲＳとの選択方法の一例を用いた端末のフローチャートを示す図である。
【図１３】複数のサブフレームタイプを用いる通信システムのサブフレーム設定の一例を示す図である。
【図１４】第１のＤＭＲＳと第２のＤＭＲＳとの選択方法の一例を用いた端末のフローチャートを示す図である。
【図１５】ヘテロジーニアスネットワーク配置を用いた無線通信システムの概要図である。
【発明を実施するための形態】
【００１９】
本明細書で述べられる技術は、符号分割多重アクセス（ＣＤＭＡ）システム、時分割多重アクセス（ＴＤＭＡ）システム、周波数分割多重アクセス（ＦＤＭＡ）システム、直交ＦＤＭＡ（ＯＦＤＭＡ）システム、シングルキャリアＦＤＭＡ（ＳＣ−ＦＤＭＡ）システム、インタリーブ分割多重アクセス（ＩＤＭＡ）、およびその他のシステムの通信システムにおいて使用され得る。用語「システム」及び「ネットワーク」は、しばしば同義的に使用され得る。第３世代パートナーシッププロジェクト（３ＧＰＰ）は、ＬＴＥ（Long Term Evolution）およびＬＴＥ−Ａ（LTE-Advanced）と呼称される通信システムを規格化している。ＬＴＥは、ダウンリンク上でＯＦＤＭＡを、アップリンク上でＳＣ−ＦＤＭＡを採用するＥ−ＵＴＲＡを使用するＵＭＴＳである。ＬＴＥ−Ａは、ＬＴＥを改良したシステム、無線技術、規格である。以下で述べる技術は、ＬＴＥおよび／またはＬＴＥ−Ａで用いられる場合を説明するが、他の通信システムにも適用することができる。また、以下の説明では、ＬＴＥ規格の用語、ＬＴＥ−Ａ規格の用語、および３ＧＰＰの用語が、用いられる。
【００２０】
＜第１の実施形態＞
以下、本発明の第１の実施形態について説明する。本実施形態における通信システムは、基地局および端末を備える。ここで、基地局は、送信装置、セル、送信点、送信アンテナ群、送信アンテナポート群、コンポーネントキャリア、または、ｅＮｏｄｅＢとすることができる。また、基地局は、マクロセル、ピコセル、フェムトセル、スモールセル、ＲＲＨ（Remote Radio Head）、分散アンテナなどを含む。端末は、端末装置、移動端末、受信点、受信端末、受信装置、受信アンテナ群、受信アンテナポート群、または、ＵＥ（User Equipment）とすることができる。また、端末は、セルに固有のパラメータまたは当該端末に固有のパラメータに基づいて基地局（送信点）を識別できる。例えば、端末は、セルに固有の識別子であるセルＩＤ、当該端末に上位レイヤーのシグナリングを通じて設定されるパラメータ（仮想セルＩＤなど）などに基づいて基地局（送信点）を識別できる。
【００２１】
本実施形態の通信システムにおいて、基地局１００と端末２００とは、データ通信を行うため、下りリンクおよび／または上りリンクを通じて、制御情報および／またはデータを、送信および／または受信する。
【００２２】
基地局１００は、下りリンクを通じて、端末２００に、ＰＤＣＣＨ（Physical Downlink Control Channel、物理下りリンク制御チャネル、第１の制御チャネル）、ＥＰＤＣＣＨ（Enhanced PDCCH、拡張物理下りリンク制御チャネル、第２の制御チャネル）、および／または、ＰＤＳＣＨ（Physical Downlink Shared Channel、物理下りリンク共用チャネル）を送信する。制御情報は、ＰＤＣＣＨおよび／またはＥＰＤＣＣＨを通じて送信される。データは、ＰＤＳＣＨを通じて送信される。また、上位レイヤー（上位層）のシグナリングは、ＰＤＳＣＨを通じて送信できる。すなわち、データは、上位レイヤーの制御情報を含んで構成できる。例えば、上位レイヤーは、ＲＲＣ（Radio Resource Control）などである。そのため、上位レイヤーのシグナリングは、ＲＲＣシグナリングとも呼称される。
【００２３】
一方、端末２００は、上りリンクを通じて、基地局１００に、ＰＵＣＣＨ（Physical Uplink Control Channel、物理上りリンク制御チャネル）、および／または、ＰＵＳＣＨ（Physical Uplink Shared Channel、物理上りリンク共用チャネル）を送信する。制御情報は、ＰＵＣＣＨおよび／またはＰＵＳＣＨを通じて送信される。データは、ＰＵＳＣＨを通じて送信される。ここで、ＰＤＣＣＨ、ＥＰＤＣＣＨ、ＰＤＳＣＨ、ＰＵＣＣＨ、および、ＰＵＳＣＨは、物理チャネルの一種であり、物理フレーム上に規定されるチャネルである。なお、以下の説明では、基地局１００と端末２００とがデータ通信を行う場合を説明するが、基地局および／または端末は複数であってもよい。
【００２４】
＜送受信機構成＞
図１は、本発明の実施形態に係る基地局の構成を示す概略ブロック図である。図１において、基地局１００は、情報処理部１０１、ＰＤＣＣＨ生成部１１０、ＥＰＤＣＣＨ生成部１２０、ＰＤＳＣＨ生成部１３０、参照信号生成部１４１、多重部１５１、送信信号生成部１５２、送信部１５３、受信部１６１、上りリンクチャネル処理部１６２を含んで構成される。ＰＤＣＣＨ生成部１１０は、符号部１１１、変調部１１２、レイヤー処理部１１３、プリコーディング部１１４を含んで構成される。ＥＰＤＣＣＨ生成部１２０は、符号部１２１、変調部１２２、レイヤー処理部１２３、プリコーディング部１２４を含んで構成される。ＰＤＳＣＨ生成部１３０は、符号部１３１、変調部１３２、レイヤー処理部１３３、プリコーディング部１３４を含んで構成される。なお、図示しないが、基地局１００は制御部を含んで構成し、制御部は基地局１００における様々な処理を制御することができる。
【００２５】
情報処理部１０１は、下りリンクチャネルを通じて端末２００に送信する情報を生成し、上りリンクチャネルを通じて端末２００から送信された情報を処理する。また、情報処理部１０１は、上位レイヤーと通信できる。また、情報処理部１０１は、他の基地局と通信できる。
【００２６】
情報処理部１０１は、端末２００に対する制御情報および／または端末２００に対するデータを生成する。端末２００に対する制御情報（下りリンク制御情報（ＤＣＩ））は、ＰＤＣＣＨ生成部１１０および／またはＥＰＤＣＣＨ生成部１２０に入力される。また、端末２００に対するデータ（トランスポートブロック、コードワード、ＤＬ−ＳＣＨ）は、ＰＤＳＣＨ生成部１３０に入力される。ここで、データは、誤り訂正符号化を行う単位とすることができる。また、データは、ＨＡＲＱ（Hybrid Automatic Repeat reQuest）等の再送制御を行う単位とすることができる。また、基地局１００は、端末２００に複数の制御情報および／またはデータを送信することができる。
【００２７】
情報処理部１０１は、端末２００からの制御情報および／または端末２００からのデータを処理する。端末２００からの制御情報（上りリンク制御情報（ＵＣＩ））は、ＰＵＣＣＨおよび／またはＰＵＳＣＨを通じて送信される。上りリンク制御情報は、ＨＡＲＱにおけるＡＣＫまたはＮＡＣＫを示す情報、フィードバック情報（例えば、ＲＩ、ＰＭＩ、ＰＴＩおよびＣＱＩなど）、および／または、スケジューリングの要求を示す情報などである。端末２００からのデータ（トランスポートブロック、コードワード、ＵＬ−ＳＣＨ）は、ＰＵＳＣＨを通じて送信される。
【００２８】
ＰＤＣＣＨ生成部１１０は、入力された制御情報から、ＰＤＣＣＨを生成する。符号部１１１は、入力された制御情報に、ＣＲＣ（Cyclic Redundancy Check）を用いた誤り検出符号化、畳み込み符号などの誤り訂正符号を用いた誤り訂正符号化、および、擬似雑音系列を用いたスクランブル符号化を行う。また、符号部１１１は、ＣＲＣにおけるパリティビット（冗長ビット）に、端末２００に固有の識別子（ＵＥ−ＩＤ、ＲＮＴＩ（Radio Network Temporary ID））を用いてスクランブルを行う。また、符号部１１１は、所定の方法を用いて符号化率を制御することができる。変調部１１２は、符号部１１１が生成した信号に対して、ＱＰＳＫ（Quadrature Phase Shift Keying）などの変調方式を用いて変調を行う。レイヤー処理部１１３は、変調部１１２が生成した信号に対して、レイヤーマッピングなどのレイヤー処理を行う。レイヤー処理部１１３におけるレイヤーマッピングは、入力された信号を、１つ以上のレイヤーのそれぞれにマッピング（割り当て）を行う。プリコーディング部１１４は、レイヤー処理部１１３が生成した信号に対して、所定の方法を用いてプリコーディング処理を行い、アンテナポート毎の信号を生成する。例えば、プリコーディング部１１４は、周波数ダイバーシチ効果が得られるプリコーディング処理を行う。ＰＤＣＣＨ生成部１１０において、ＰＤＣＣＨのレイヤー数とアンテナポート数は同数にすることができる。ＰＤＣＣＨは、アンテナポート０〜３の一部または全部を用いて送信できる。
【００２９】
ＥＰＤＣＣＨ生成部１２０は、入力された制御情報から、ＥＰＤＣＣＨを生成する。符号部１２１は、入力された制御情報に、ＣＲＣ（Cyclic Redundancy Check）を用いた誤り検出符号化、畳み込み符号などの誤り訂正符号を用いた誤り訂正符号化、および、擬似雑音系列を用いたスクランブル符号化を行う。また、符号部１２１は、ＣＲＣにおけるパリティビットに、端末２００に固有の識別子を用いてスクランブルを行う。また、符号部１２１は、所定の方法を用いて符号化率を制御することができる。変調部１２２は、符号部１２１が生成した信号に対して、ＱＰＳＫなどの変調方式を用いて変調を行う。レイヤー処理部１２３は、変調部１２２が生成した信号に対して、レイヤーマッピングなどのレイヤー処理を行う。レイヤー処理部１２３におけるレイヤーマッピングは、入力された信号を、１つ以上のレイヤーのそれぞれにマッピング（割り当て）を行う。プリコーディング部１２４は、レイヤー処理部１２３が生成した信号に対して、所定の方法を用いて、プリコーディング処理を行い、アンテナポート毎の信号を生成する。例えば、プリコーディング部１２４は、周波数ダイバーシチ効果および／または周波数スケジューリング効果が得られるプリコーディング処理を行う。ＥＰＤＣＣＨ生成部１２０において、ＥＰＤＣＣＨのレイヤー毎の信号とアンテナポート毎の信号は同じにすることができる。ＥＰＤＣＣＨは、アンテナポート１０７〜１１０またはアンテナポート１０７Ａ〜１１０Ａの一部または全部を用いて送信できる。また、ＥＰＤＣＣＨ生成部１２０は、プレコーディング部１２４が生成したＥＰＤＣＣＨを、所定のリソースエレメントにマッピングをすることができる。
【００３０】
ＰＤＳＣＨ生成部１３０は、入力されたデータから、ＰＤＳＣＨを生成する。なお、データは上位レイヤーなどから入力される。符号部１３１は、入力されたデータに、擬似雑音系列を用いたスクランブル符号化、および、ターボ符号などの誤り訂正符号を用いた誤り訂正符号化を行う。また、符号部１３１は、所定の方法を用いて符号化率を制御することができる。変調部１３２は、符号部１３１が生成した信号に対して、ＱＰＳＫまたはＱＡＭ（Quadrature Amplitude Modulation）などの変調方式を用いて変調を行う。レイヤー処理部１３３は、変調部１３２が生成した信号に対して、レイヤーマッピングなどのレイヤー処理を行う。レイヤー処理部１３３におけるレイヤーマッピングは、入力された信号を、１つ以上のレイヤーのそれぞれにマッピング（割り当て）を行う。ＰＤＳＣＨに対するレイヤー数は、端末２００に対するＭＩＭＯの多重数（ランク数）で決定される。プリコーディング部１３４は、レイヤー処理部１３３が生成した信号に対して、所定の方法を用いて、プリコーディング処理を行い、アンテナポート毎の信号を生成する。例えば、プリコーディング部１３４は、周波数スケジューリング効果が得られるプリコーディング処理を行う。ＰＤＳＣＨ生成部１３０において、ＰＤＳＣＨのレイヤー毎の信号とアンテナポート毎の信号は同じにすることができる。ＰＤＳＣＨは、アンテナポート７〜１４またはアンテナポート７Ａ〜１４Ａの一部または全部を用いて送信できる。
【００３１】
参照信号生成部１４１は、基地局１００および端末２００で互いに既知の信号（系列）である参照信号を生成する。参照信号は、アンテナポートのそれぞれに関連付けることができる。参照信号は、セル固有参照信号（ＣＲＳ；Cell-specific RS）、ＰＤＳＣＨに関連付けられた端末固有参照信号（ＵＥＲＳ；UE-specific RS）、ＥＰＤＣＣＨに関連付けられた復調参照信号（ＤＭ−ＲＳ；Demodulation RS）、伝送路状況測定用参照信号（ＣＳＩ−ＲＳ；Channel State Information-RS、ＣＳＩ参照信号）を含む。ここで、ＰＤＳＣＨに関連付けられた端末固有参照信号は、ＰＤＳＣＨに関連付けられた復調参照信号またはＰＤＳＣＨ用のＤＭＲＳとも呼称される。ＥＰＤＣＣＨに関連付けられた復調参照信号は、ＥＰＤＣＣＨ用のＤＭＲＳとも呼称される。ここで、アンテナポートとは、信号処理で用いる論理的なアンテナを意味し、１個のアンテナポートは複数の物理的なアンテナから構成されてもよい。同一のアンテナポートを構成する複数の物理的なアンテナは、同一の信号を送信する。同一のアンテナポート内で、複数の物理的なアンテナは、遅延ダイバーシチ、またはＣＤＤ（Cyclic Delay Diversity）を適用することはできる。
【００３２】
セル固有参照信号は、アンテナポート０〜３で送信され、端末２００がＰＤＣＣＨおよびセル固有の信号を復調するために用いることができる。伝送路状況測定用参照信号は、アンテナポート１５〜２２で送信され、端末２００が基地局１００に通知する下りリンクの伝搬路状況を測定するために用いることができる。
【００３３】
ＰＤＳＣＨ用のＤＭＲＳは、アンテナポート７〜１４およびアンテナポート７Ａ〜１４Ａで送信され、端末２００がＰＤＳＣＨを復調するために用いることができる。アンテナポート７〜１４で送信するＰＤＳＣＨ用のＤＭＲＳは、ＰＤＳＣＨ用の第１のＤＭＲＳとも呼称される。アンテナポート７Ａ〜１４Ａで送信するＰＤＳＣＨ用のＤＭＲＳは、ＰＤＳＣＨ用の第２のＤＭＲＳとも呼称される。また、アンテナポート７〜１４とアンテナポート７Ａ〜１４Ａとは、それぞれ独立したアンテナポートである。つまり、ＰＤＳＣＨ用の第１のＤＭＲＳと、ＰＤＳＣＨ用の第２のＤＭＲＳとは、独立したＰＤＳＣＨ用のＤＭＲＳである。
【００３４】
なお、ＰＤＳＣＨ用の第１のＤＭＲＳと、ＰＤＳＣＨ用の第２のＤＭＲＳは、同じアンテナポートで送信されてもよい。すなわち、ＰＤＳＣＨ用の第１のＤＭＲＳおよびＰＤＳＣＨ用の第２のＤＭＲＳが送信されるアンテナポートは、アンテナポート７〜１４であってもよい。
【００３５】
ＥＰＤＣＣＨ用のＤＭＲＳは、アンテナポート１０７〜１１０およびアンテナポート１０７Ａ〜１１０Ａで送信され、端末２００がＥＰＤＣＣＨを復調するために用いることができる。アンテナポート１０７〜１１０で送信するＥＰＤＣＣＨ用のＤＭＲＳは、ＥＰＤＣＣＨ用の第１のＤＭＲＳとも呼称される。アンテナポート１０７Ａ〜１１０Ａで送信するＥＰＤＣＣＨ用のＤＭＲＳは、ＥＰＤＣＣＨ用の第２のＤＭＲＳとも呼称される。また、アンテナポート１０７〜１１０とアンテナポート１０７Ａ〜１１０Ａとは、それぞれ独立したアンテナポートである。つまり、ＥＰＤＣＣＨ用の第１のＤＭＲＳと、ＥＰＤＣＣＨ用の第２のＤＭＲＳとは、独立したＥＰＤＣＣＨ用のＤＭＲＳである。
【００３６】
なお、ＥＰＤＣＣＨ用の第１のＤＭＲＳと、ＥＰＤＣＣＨ用の第２のＤＭＲＳは、同じアンテナポートで送信されてもよい。すなわち、ＥＰＤＣＣＨ用の第１のＤＭＲＳおよびＥＰＤＣＣＨ用の第２のＤＭＲＳが送信されるアンテナポートは、アンテナポート１０７〜１１０であってもよい。
【００３７】
参照信号生成部１４１は、それぞれの参照信号に対して、所定の方法を用いてプリコーディング処理を行い、アンテナポート毎の信号を生成する。ここで、それぞれのアンテナポートにおける参照信号は、そのアンテナポートに関連付けられるチャネルと同じプリコーディング処理が行われる。すなわち、セル固有参照信号は、プリコーディング部１１４と同じプリコーディング処理が行われる。ＥＰＤＣＣＨ用のＤＭＲＳは、プリコーディング部１２４と同じプリコーディング処理が行われる。ＰＤＳＣＨ用のＤＭＲＳは、プリコーディング部１３４と同じプリコーディング処理が行われる。なお、伝送路状況測定用参照信号は、プリコーディング処理を行わなくてもよい。
【００３８】
プリコーディング処理は、様々な方法を用いることができる。周波数ダイバーシチ効果が得られるプリコーディング処理は、ＳＦＢＣ（Space Frequency Block Coding）、ＳＴＢＣ（Space Time Block Coding）、ＦＳＴＤ（Frequency Switched Transmit Diversity）および／またはＣＤＤ（Cyclic Delay Diversity）などを用いて行うことができる。周波数スケジューリング効果が得られるプリコーディング処理は、所定のプリコーディング行列を乗算して行うことができる。なお、周波数スケジューリング効果が得られるプリコーディング処理は、端末２００が効率よく受信できるように、伝搬路状況を考慮して、位相回転および／または振幅制御などを行うことができる。
【００３９】
多重部１５１は、ＰＤＣＣＨ生成部１１０が生成したＰＤＣＣＨ、ＥＰＤＣＣＨ生成部１２０が生成したＥＰＤＣＣＨ、ＰＤＳＣＨ生成部１３０が生成したＰＤＳＣＨ、および／または、参照信号生成部１４１が生成した参照信号を多重し、リソースエレメントにマッピングする。ここで、リソースエレメントは、１つのＯＦＤＭシンボルと１つのサブキャリアで構成される信号をマッピングする最小の単位である。また、多重部１５１が多重する信号および／またはチャネルは、それぞれ異なるリソースエレメントおよび／またはアンテナポートにマッピングすることにより、互いに直交または準直交することができる。なお、ＰＤＣＣＨ生成部１１０、ＥＰＤＣＣＨ生成部１２０、ＰＤＳＣＨ生成部１３０、および参照信号生成部１４１は、ＰＤＣＣＨ、ＥＰＤＣＣＨ、ＰＤＳＣＨ、および参照信号を、それぞれ所定のリソースエレメントへマッピングし、多重部１５１はそれらを多重するという構成でもよい。
【００４０】
送信信号生成部１５２は、多重部１５１が多重した信号から送信信号を生成する。送信信号生成部１５２は、多重部１５１が多重した信号に対して、ＩＦＦＴ（Inverse Fast Fourier Transform）により周波数−時間変換し、所定のサイクリックプレフィックス長のサイクリックプレフィックス（ガードインターバル）を付加する。送信信号生成部１５２は、さらにデジタル−アナログ変換、無線周波数帯への周波数変換などを行い、送信信号を生成する。送信部（送信アンテナ、基地局送信部）１５３は、１つまたは複数のアンテナポート（送信アンテナポート）から、送信信号生成部１５２が生成した送信信号を送信する。
【００４１】
受信部（基地局受信部）１６１は、端末２００からの送信信号を受信する。上りリンクチャネル処理部１６２は、端末２００からのＰＵＣＣＨおよび／またはＰＵＳＣＨを処理し、端末２００からのＵＣＩおよび／またはデータを受信する。受信したＵＣＩおよび／またはデータは、情報処理部１０１に入力される。
【００４２】
図２は、本発明の実施形態に係る端末の構成を示す概略ブロック図である。図２において、端末２００は、受信部２０１、受信信号処理部２０２、分離部２０３、伝搬路推定部２０４、情報処理部２０５、ＰＤＣＣＨ処理部２１０、ＥＰＤＣＣＨ処理部２２０、ＰＤＳＣＨ処理部２３０、上りリンクチャネル生成部２４１、送信部２４２を含んで構成される。ＰＤＣＣＨ処理部２１０は、伝搬路等化部２１１、復調部２１２、復号部２１３を含んで構成される。ＥＰＤＣＣＨ処理部２２０は、伝搬路等化部２２１、復調部２２２、復号部２２３を含んで構成される。ＰＤＳＣＨ処理部２３０は、伝搬路等化部２３１、復調部２３２、復号部２３３を含んで構成される。なお、図示しないが、端末２００は制御部を含んで構成し、制御部は端末２００における様々な処理を制御することができる。
【００４３】
受信部（受信アンテナ、端末受信部）２０１は、１つまたは複数の受信アンテナポートにより、基地局１００が送信した信号を受信する。受信信号処理部２０２は、受信部２０１が受信した信号に対して、無線周波数からベースバンド信号への周波数変換、アナログ−デジタル変換、付加されたサイクリックプレフィックスの除去、ＦＦＴ（Fast Fourier Transform）などによる時間−周波数変換を行う。
【００４４】
分離部２０３は、基地局１００の多重部１５１で多重（マッピング）された信号を分離（デマッピング）する。具体的には、分離部２０３は、所定の方法により、ＰＤＣＣＨ、ＥＰＤＣＣＨ、ＰＤＳＣＨ、および／または参照信号を分離する。ＰＤＣＣＨはＰＤＣＣＨ処理部２１０に入力される。ＥＰＤＣＣＨはＥＰＤＣＣＨ処理部２２０に入力される。ＰＤＳＣＨはＰＤＳＣＨ処理部２３０に入力される。参照信号は伝搬路推定部２０４に入力される。例えば、チャネルまたは信号がマッピングされる可能性のあるリソースが予め規定されている場合、分離部２０３はその規定されたリソースから、当該チャネルまたは当該信号、または、当該チャネルまたは当該信号の候補を分離するかもしれない。また、例えば、チャネルまたは信号がマッピングされる可能性のあるリソースが通知され設定されている場合、分離部２０３はその設定されたリソースから、当該チャネルまたは当該信号、または、当該チャネルまたは当該信号の候補を分離するかもしれない。なお、ＰＤＳＣＨがマッピングされるリソースを示す情報がＰＤＣＣＨおよび／またはＥＰＤＣＣＨを通じて通知される制御情報に含まれる場合、端末２００がその制御情報を検出した後、分離部２０３は制御情報に基づいてＰＤＳＣＨを分離するかもしれない。
【００４５】
伝搬路推定部２０４は、参照信号を用いて、ＰＤＣＣＨ、ＥＰＤＣＣＨ、および／またはＰＤＳＣＨに対する伝搬路推定を行う。ＰＤＣＣＨに対する伝搬路推定は、セル固有参照信号を用いて行われる。ＥＰＤＣＣＨに対する伝搬路推定は、ＥＰＤＣＣＨ用のＤＭＲＳを用いて行われる。ＰＤＳＣＨに対する伝搬路推定は、ＰＤＳＣＨ用のＤＭＲＳを用いて行われる。伝搬路推定部２０４は、参照信号を用いて、各送信アンテナポートの各受信アンテナポートに対する、それぞれのリソースエレメントにおける振幅と位相の変動（周波数応答、伝達関数）を推定し、伝搬路推定値を求める。伝搬路推定部２０４は、伝搬路推定値を、ＰＤＣＣＨ処理部２１０、ＥＰＤＣＣＨ処理部２２０、および／またはＰＤＳＣＨ処理部２３０に出力する。
【００４６】
また、伝搬路推定部２０４は、参照信号を用いてフィードバック情報を生成し、情報処理部２０５に入力する。フィードバック情報は、ＵＣＩとして、ＰＵＣＣＨおよび／またはＰＵＳＣＨを通じて基地局１００に通知される。
【００４７】
ＰＤＣＣＨ処理部２１０は、ＰＤＣＣＨ領域から、端末２００宛のＰＤＣＣＨの候補を探索し、端末２００宛のＰＤＣＣＨを検出し、端末２００宛の制御情報を識別する。伝搬路等化部２１１は、分離部２０３から入力されるＰＤＣＣＨの候補と、伝搬路推定部２０４から入力される伝搬路推定値とを用いて、ＰＤＣＣＨの候補に対する伝搬路等化（伝搬路補償）を行う。復調部２１２は、伝搬路等化部２１１が伝搬路等化した信号に、所定の変調方式に対する復調を行う。復号部２１３は、復号部２１２が復調した信号に、擬似雑音系列を用いた所定のスクランブル符号化に対するスクランブル復号、所定の誤り訂正符号化に対する誤り訂正復号、および、所定の誤り検出符号化に対する誤り検出復号を行う。ここで、誤り訂正復号により得られたＣＲＣパリティビットは、端末２００に固有の識別子を用いてスクランブル復号が行われ、誤り検出復号が行われる。そのため、誤り検出復号により、そのＰＤＣＣＨから誤りが検出されなければ、ＰＤＣＣＨ処理部２１０はそのＰＤＣＣＨを端末２００宛のＰＤＣＣＨとして検出できる。ＰＤＣＣＨ処理部２１０は、検出されたＰＤＣＣＨから制御情報を識別する。その制御情報は、情報処理部２０５に入力され、端末２００の様々な制御に用いられる。また、ＰＤＣＣＨ処理部２１０は、全てのＰＤＣＣＨの候補に対して処理を行う。
【００４８】
ＥＰＤＣＣＨ処理部２２０は、複数のＰＲＢペアで構成されるＥＰＤＣＣＨセット（ＥＰＤＣＣＨ領域）から、端末２００宛のＥＰＤＣＣＨの候補を探索（モニタリング）し、端末２００宛のＥＰＤＣＣＨを検出し、端末２００宛の制御情報を識別する。ＥＰＤＣＣＨセットを構成するＰＲＢペアは、上位レイヤーによって、端末固有に設定されることができる。また、ＥＰＤＣＣＨセットを構成するＰＲＢペアは、セルに固有の情報に基づいて、設定されることができる。また、ＥＰＤＣＣＨセットを構成するＰＲＢペアは、予め規定されることができる。伝搬路等化部２２１は、分離部２０３から入力されるＥＰＤＣＣＨの候補と、伝搬路推定部２０４から入力される伝搬路推定値とを用いて、ＥＰＤＣＣＨの候補に対する伝搬路等化（伝搬路補償）を行う。復調部２２２は、伝搬路等化部２２１が伝搬路等化した信号に、所定の変調方式に対する復調を行う。復号部２２３は、復号部２２２が復調した信号に、擬似雑音系列を用いた所定のスクランブル符号化に対するスクランブル復号、所定の誤り訂正符号化に対する誤り訂正復号、および、所定の誤り検出符号化に対する誤り検出復号を行う。ここで、誤り訂正復号により得られたＣＲＣパリティビットは、端末２００に固有の識別子を用いてスクランブル復号が行われ、誤り検出復号が行われる。そのため、誤り検出復号により、そのＥＰＤＣＣＨから誤りが検出されなければ、ＥＰＤＣＣＨ処理部２２０はそのＥＰＤＣＣＨを端末２００宛のＥＰＤＣＣＨとして検出できる。ＥＰＤＣＣＨ処理部２２０は、検出されたＥＰＤＣＣＨから制御情報を識別する。その制御情報は、情報処理部２０５に入力され、端末２００の様々な制御に用いられる。また、ＥＰＤＣＣＨ処理部２２０は、全てのＥＰＤＣＣＨの候補に対して処理を行う。
【００４９】
ＰＤＳＣＨ処理部２３０は、端末２００宛のＰＤＳＣＨを処理し、端末２００宛のデータを検出する。ＰＤＳＣＨ処理部２３０が行う処理は、同一またはそれ以前のサブフレームで検出された制御情報に基づいて行われるかもしれない。また、ＰＤＳＣＨ処理部２３０が行う処理は、予め規定された制御情報に基づいて行われるかもしれない。また、ＰＤＳＣＨ処理部２３０が行う処理は、上位レイヤーを通じて通知された制御情報に基づいて行われるかもしれない。伝搬路等化部２３１は、分離部２０３から入力されるＰＤＳＣＨと、伝搬路推定部２０４から入力される伝搬路推定値とを用いて、ＰＤＳＣＨに対する伝搬路等化（伝搬路補償）を行う。復調部２３２は、伝搬路等化部２３１が伝搬路等化した信号に、所定の変調方式に対する復調を行う。復号部２３３は、復号部２３２が復調した信号に、擬似雑音系列を用いた所定のスクランブル符号化に対するスクランブル復号、および、所定の誤り訂正符号化に対する誤り訂正復号を行う。ＰＤＳＣＨ処理部２３０は、処理されたＰＤＳＣＨからデータを検出し、情報処理部２０５などに出力する。また、ＰＤＳＣＨ処理部２３０は、複数のＰＤＳＣＨに対して処理を行うことができる。
【００５０】
情報処理部２０５は、上りリンクチャネルを通じて基地局１００に送信する情報を生成し、下りリンクチャネルを通じて基地局１００から送信された情報を処理する。また、情報処理部２０５は、上位レイヤーと通信できる。
【００５１】
上りリンクチャネル生成部２４１は、基地局１００に通知するＵＣＩおよび／またはデータを処理し、基地局１００に送信するＰＵＣＣＨおよび／またはＰＵＳＣＨを生成する。送信部（端末送信部）２４２は、上りリンクチャネル生成部２４１によって生成されたＰＵＣＣＨおよび／またはＰＵＳＣＨを送信する。
【００５２】
＜フレームフォーマット＞
図３は、本実施形態に係るフレーム構成を示す図である。この図は、１つの無線フレームの構成を示している。１つの無線フレームは、２０のスロットにより構成される。また、１つの無線フレームは、１０のサブフレームにより構成される。すなわち、１つのサブフレームは、連続する２つのスロットにより構成される。また、１つのスロットは、７または６のＯＦＤＭシンボルにより構成される。また、偶数番目のスロットは第１のスロットとも呼称され、奇数番目のスロットは第２のスロットとも呼称される。
【００５３】
図４は、本実施形態に係るサブフレームのリソース構成の一例を示す図である。この例では、システム帯域幅がNRB個の物理リソースブロックペア（ＰＲＢ；Physical Resource Block）で構成される１個のサブフレームが示される。なお、以下の説明では、リソースブロックペアは、単にリソースブロック、ＰＲＢまたはＲＢとしても説明する。すなわち、以下の説明において、リソースブロック、ＰＲＢまたはＲＢは、リソースブロックペアを含む。また、サブフレームにおいて、先頭の０個以上のＯＦＤＭシンボルはＰＤＣＣＨリソース（ＰＤＣＣＨ領域）である。ＰＤＣＣＨ領域のＯＦＤＭシンボル数は、端末２００に対して通知される。例えば、ＰＤＣＣＨ領域は、先頭のＯＦＤＭシンボルに専用の通知領域を設定し、サブフレーム毎に動的に通知することができる。また、ＰＤＣＣＨ領域は、上位レイヤーの制御情報を用いて、準静的に通知することができる。ＰＤＣＣＨ領域のＯＦＤＭシンボルの最大数は４である。また、ＰＤＳＣＨリソース（ＰＤＳＣＨ領域）またはＥＰＤＣＣＨリソース（ＥＰＤＣＣＨ領域、ＥＰＤＣＣＨセット）は、ＰＲＢペアを単位として用いられる。図４の例では、ＲＢ番号２と６がＥＰＤＣＣＨリソースとして設定される。
【００５４】
１つのリソースブロックは、所定数のサブキャリアと所定数のＯＦＤＭシンボルによって構成される。例えば、１つのリソースブロックは周波数方向に１２個のサブキャリアと時間方向に７個のＯＦＤＭシンボルで構成される。１つのリソースブロックペアは、２つのリソースブロックが時間方向に連続して配置される。１つのリソースブロックの時間方向は、１つのスロットに相当する。１つのリソースブロックペアの時間方向は、１つのサブキャリアに相当する。１つのＯＦＤＭシンボルと１つのサブキャリアとで構成されるリソースはリソースエレメントと呼称される。リソースブロックペアは周波数方向に並べられ、そのリソースブロックペアの数は基地局毎に設定できる。例えば、そのリソースブロックペアの数は６〜１１０個に設定できる。その時の周波数方向の幅は、システム帯域幅と呼称される。
【００５５】
ここで、リソースブロックは、通信システムが用いる周波数帯域幅（システム帯域幅）に応じて、その数を変えることができる。例えば、６〜１１０個のリソースブロックを用いることができ、その単位をコンポーネントキャリアとも呼称される。さらに、基地局１００は、端末２００に対して、周波数アグリゲーションにより、複数のコンポーネントキャリアを設定することもできる。例えば、基地局１００は、端末２００に対して、１つのコンポーネントキャリアは２０ＭＨｚで構成し、周波数方向に連続および／または非連続に、５個のコンポーネントキャリアを設定し、通信システムが用いることができるトータルの帯域幅を１００ＭＨｚにすることができる。例えば、サービングセルそれぞれにおいて、１１０リソースブロックまでの送信帯域幅を使用することができる。
【００５６】
また、キャリアアグリゲーションにおいて、１つのサービングセルは、プライマリーセル（ＰＣｅｌｌ；Primary cell）と定義される。また、キャリアアグリゲーションにおいて、プライマリーセル以外のサービングセルは、セカンダリーセル（ＳＣｅｌｌ；Secondary Cell）と定義される。さらに、下りリンクにおいてサービングセルに対応するキャリアは、下りリンクコンポーネントキャリア（ＤＬＣＣ；Downlink Component Carrier）と定義される。また、下りリンクにおいてプライマリーセルに対応するキャリアは、下りリンクプライマリコンポーネントキャリア（ＤＬＰＣＣ；Downlink Primary Component Carrier）と定義される。また、下りリンクにおいてセカンダリーセルに対応するキャリアは、下りリンクセカンダリコンポーネントキャリア（ＤＬＳＣＣ；Downlink Secondary Component Carrier）と定義される。さらに、上りリンクにおいてサービングセルに対応するキャリアは、上りリンクコンポーネントキャリア（ＵＬＣＣ；Uplink Component Carrier）と定義される。また、上りリンクにおいてプライマリーセルに対応するキャリアは、上りリンクプライマリコンポーネントキャリア（ＵＬＰＣＣ；Uplink Primary Component Carrier）と定義される。また、上りリンクにおいてセカンダリーセルに対応するキャリアは、上りリンクセカンダリコンポーネントキャリア（ＵＬＳＣＣ；Uplink Secondary Component Carrier）と定義される。すなわち、キャリアアグリゲーションにおいて、広送信帯域幅をサポートするために複数のコンポーネントキャリアが集約される。ここで、例えば、プライマリー基地局をプライマリーセルと、セカンダリー基地局をセカンダリーセルとみなす（基地局１００が、端末２００へ設定する）こともできる。
【００５７】
また、本実施形態では、基地局１００は、端末２００がセルサーチ（セル探索）するために用いることができる同期信号を送信する。また、同期信号は、プライマリー同期信号とセカンダリー同期信号の２つの種類を規定できる。例えば、プライマリー同期信号は、端末２００が時間領域の同期を取るために用いることができる。セカンダリー同期信号は、端末２００が周波数領域の同期を取るために用いることができる。同期信号は、所定の周波数領域で送信される。例えば、同期信号は、システム帯域において中心の６つのリソースブロックを用いて送信される。同期信号は、所定の時間間隔で送信される。例えば、プライマリー同期信号は、無線フレームにおいて、スロット番号０と１０における最後のＯＦＤＭシンボルにマッピングされる。セカンダリー同期信号は、無線フレームにおいて、スロット番号０と１０における最後から２番目のＯＦＤＭシンボルにマッピングされる。
【００５８】
＜制御情報＞
次に、本実施形態で用いられる制御情報の詳細が説明される。基地局１００は、端末２００に対する制御情報を、制御チャネルであるＰＤＣＣＨおよび／またはＥＰＤＣＣＨを用いて通知される。ＰＤＣＣＨまたはＥＰＤＣＣＨで送信される下りリンク制御情報（ＤＣＩ；Downlink Control Information）は、複数のフォーマットにより定義される。ここで、下りリンク制御情報のフォーマットは、ＤＣＩフォーマットとも呼称される。すなわち、ＤＣＩフォーマットに、上りリンク制御情報のそれぞれに対するフィールドが定義される。
【００５９】
例えば、制御情報は、基地局１００が端末２００に対して通知する目的に応じて規定されることができる。具体的には、制御情報は、端末２００に対する下りリンクのデータチャネルの割り当て情報、端末２００に対する上りリンクデータチャネル（ＰＵＳＣＨ）、上りリンク制御チャネル（ＰＵＣＣＨ）の割り当て情報、および／または端末２００に対する送信電力を制御するための情報などの目的として、規定されることができる。そのため、例えば、基地局１００は、端末２００に対してＰＤＳＣＨを送信する場合、端末２００に対するＰＤＳＣＨの割り当て情報を含む制御情報がマッピングされた制御チャネル、および、その制御情報に基づいて割り当てられたＰＤＳＣＨを送信する。また、例えば、基地局１００は、端末２００に対するＰＵＳＣＨを割り当てる場合、端末２００に対するＰＵＳＣＨの割り当て情報を含む制御情報がマッピングされたＰＵＣＣＨを送信する。また、基地局１００は、同じサブフレームにおいて、同じ端末２００に対して、複数の異なる制御情報または同じ制御情報を、異なるフォーマットまたは同じフォーマットによって、送信することもできる。なお、基地局１００は、端末２００に対して下りリンクのデータを送信する場合、端末２００に対するＰＤＳＣＨの割り当て情報を含む制御情報がマッピングされた制御チャネルを送信するサブフレームとは異なるサブフレームで下りリンクのデータチャネルを送信することもできる。
【００６０】
例えば、下りリンクに対するＤＣＩフォーマットとして、１つのセルにおける１つのＰＤＳＣＨ（１つのＰＤＳＣＨのコードワード、１つの下りリンクトランスポートブロックの送信）のスケジューリングに使用されるＤＣＩフォーマット１ファミリー（ＤＣＩフォーマット１およびＤＣＩフォーマット１Ａ）が定義される。すなわち、ＤＣＩフォーマット１ファミリーは、１つの送信アンテナポートを使用したＰＤＳＣＨでの送信に使用される。また、ＤＣＩフォーマット１ファミリーは、複数の送信アンテナポートを使用した送信ダイバーシチ（ＴｘＤ；Transmission Diversity）によるＰＤＳＣＨでの送信にも使用される。
【００６１】
また、下りリンクに対するＤＣＩフォーマットとしては、１つのセル（送信ポイント）における１つのＰＤＳＣＨ（２つまでのＰＤＳＣＨのコードワード、２つまでの下りリンクトランスポートの送信）のスケジューリングに使用されるＤＣＩフォーマット２ファミリー（ＤＣＩフォーマット２、ＤＣＩフォーマット２Ａ、ＤＣＩフォーマット２Ｂ、ＤＣＩフォーマット２Ｃ、ＤＣＩフォーマット２Ｄ、およびＤＣＩフォーマット２Ｅなど）が定義される。ＤＣＩフォーマット２ファミリーは、１つのセル（送信ポイント）から、複数の送信アンテナポートによるＭＩＭＯを用いたＰＤＳＣＨでの送信に使用される。例えば、ＤＣＩフォーマット２Ｄは、１つまたは複数のセル（送信ポイント）から、複数の送信アンテナポートによるＭＩＭＯを用いたＰＤＳＣＨでの送信に使用されるかもしれない。
【００６２】
また、基地局１００と端末２００は、上位層（Higher layer）において信号を送受信する。例えば、基地局１００と端末２００は、ＲＲＣ層（レイヤ３）において、無線リソース制御信号（ＲＲＣシグナリング、ＲＲＣメッセージ、ＲＲＣ情報とも呼称される）を送受信する。ここで、ＲＲＣ層において、基地局１００によって、ある端末に対して送信される専用の信号は、Ｄｅｄｉｃａｔｅｄ  ｓｉｇｎａｌ（専用の信号）とも呼称される。すなわち、基地局１００によって、Ｄｅｄｉｃａｔｅｄ  ｓｉｇｎａｌを使用して通知される設定（情報）は、ある端末に対して固有な設定である。
【００６３】
また、基地局１００と端末２００は、ＭＡＣ（Medium Access Control）層（レイヤ２）において、ＭＡＣコントロールエレメントを送受信する。ここで、ＲＲＣシグナリングおよび／またはＭＡＣコントロールエレメントは、上位層の信号（Higher layer signaling）とも呼称される。
【００６４】
＜制御チャネル＞
次に、本実施形態で用いられる制御チャネルであるＰＤＣＣＨおよびＥＰＤＣＣＨの詳細が説明される。基地局１００は、端末２００に対する制御情報を、制御チャネルであるＰＤＣＣＨおよび／またはＥＰＤＣＣＨを用いて通知される。ＰＤＣＣＨは、基地局１００に固有のリソースであるＰＤＣＣＨリソースの一部にマッピングされる。ＥＰＤＣＣＨは、基地局１００または端末２００に固有のリソースであるＥＰＤＣＣＨリソース（ＥＰＤＣＣＨセット）の一部または全部にマッピングされる。
【００６５】
ＥＰＤＣＣＨ処理部２２０は、ＥＰＤＣＣＨ領域にマッピングされた端末２００宛のＥＰＤＣＣＨを探索する場合、可能性のあるＥＰＤＣＣＨを復調するために、ＥＰＤＣＣＨ用のＤＭＲＳを用いる。また、ＰＤＣＣＨ処理部２１０は、ＰＤＣＣＨ領域にマッピングされた端末２００宛のＰＤＣＣＨを探索する場合、可能性のあるＰＤＣＣＨを復調するために、セル固有参照信号を用いる。
【００６６】
具体的には、ＰＤＣＣＨ処理部２１０および／またはＥＰＤＣＣＨ処理部２２０は、制御情報（ＤＣＩ；Downlink Control Information）の種類、マッピングされるリソースの位置、マッピングされるリソースの大きさ等に基づいて得られる制御チャネルの候補の全部または一部を、復調および復号処理を行い、逐次探索する。ＰＤＣＣＨ処理部２１０およびＥＰＤＣＣＨ処理部２２０は、端末２００宛の制御情報か否かを判定する方法として、制御情報に付加される誤り検出符号（例えば、ＣＲＣ（Cyclic Redundancy Check）符号）を用いる。また、このような探索方法は、ブラインドデコーディングとも呼称される。
【００６７】
また、ＰＤＣＣＨ処理部２１０および／またはＥＰＤＣＣＨ処理部２２０は、端末２００宛の制御チャネルを検出した場合、検出された制御チャネルにマッピングされた制御情報を識別し、端末２００全体（上位レイヤーも含む）で共用され、下りリンクデータチャネル（ＰＤＳＣＨ）の受信処理、上りリンクデータチャネル（ＰＵＳＣＨ）や上りリンク制御チャネル（ＰＵＣＣＨ）の送信処理、上りリンクにおける送信電力制御など、端末２００における様々な制御に用いられる。
【００６８】
ＰＤＣＣＨ処理部２１０および／またはＥＰＤＣＣＨ処理部２２０は、検出された制御チャネルに下りリンクデータチャネルの割り当て情報を含む制御情報がマッピングされていた場合、分離部２０３でそのデータチャネルを分離しＰＤＳＣＨ処理部２３０に出力する。
【００６９】
ここで、ＰＤＣＣＨまたはＥＰＤＣＣＨは、下りリンク制御情報（ＤＣＩ）を端末へ通知（指定）するために使用される。例えば、下りリンク制御情報には、ＰＤＳＣＨのリソース割り当てに関する情報、ＭＣＳ（Modulation and Coding scheme）に関する情報、スクランブリングアイデンティティ（スクランブリング識別子とも呼称される）に関する情報、参照信号系列アイデンティティ（ベースシーケンスアイデンティティ、ベースシーケンス識別子、ベースシーケンスインデックスとも呼称される）に関する情報などが含まれる。
【００７０】
以下では、ＰＤＣＣＨの詳細が説明される。ＰＤＣＣＨ（第１の制御チャネル）は、複数の制御チャネルエレメント（ＣＣＥ；Control Channel Element）により構成される。各下りリンクコンポーネントキャリアで用いられるＣＣＥの数は、下りリンクコンポーネントキャリア帯域幅と、ＰＤＣＣＨを構成するＯＦＤＭシンボル数と、通信に用いる基地局１００の送信アンテナの数に応じた下りリンクのセル固有参照信号の送信アンテナポート数に依存する。ＣＣＥは、複数の下りリンクリソースエレメント（１つのＯＦＤＭシンボルおよび１つのサブキャリアで規定されるリソース）により構成される。
【００７１】
基地局１００と端末２００との間で用いられるＣＣＥには、ＣＣＥを識別するための番号が付与されている。ＣＣＥの番号付けは、予め決められた規則に基づいて、基地局１００に固有に行なわれる。ＰＤＣＣＨは、１つ以上のＣＣＥにより構成される。１つのＰＤＣＣＨを構成するＣＣＥの数を、ＣＣＥ集合レベル（ＣＣＥアグリゲーションレベル）と称す。ＰＤＣＣＨを構成するＣＣＥ集合レベルは、ＰＤＣＣＨに設定される符号化率、ＰＤＣＣＨに含められるＤＣＩのビット数に応じて基地局１００において設定される。なお、端末２００に対して用いられる可能性のあるＣＣＥ集合レベルの組み合わせは予め決められている。
【００７２】
さらに、１つのＣＣＥは、周波数領域及び時間領域に分散した９個の異なるリソースエレメントグループ（ＲＥＧ）により構成される。１つのリソースエレメントグループは周波数領域の隣接する４つのリソースエレメントにより構成される。具体的には、下りリンクコンポーネントキャリア全体に対して、番号付けされた全てのリソースエレメントグループに対してブロックインタリーバを用いてリソースエレメントグループ単位でインタリーブが行なわれ、インタリーブ後の番号の連続する９個のリソースエレメントグループにより１個のＣＣＥが構成される。
【００７３】
各端末には、ＰＤＣＣＨを探索する領域（ＳＳ；Search Space）が設定される。ＳＳは、複数のＣＣＥから構成される。最も小さいＣＣＥから番号の連続する複数のＣＣＥからＳＳは構成され、番号の連続する複数のＣＣＥの数は予め決められている。各ＣＣＥ集合レベルのＳＳは、複数のＰＤＣＣＨの候補の集合体により構成される。ＳＳは、最も小さいＣＣＥから番号がセル内で共通であるＣＳＳ（Cell-specific SS）と、最も小さいＣＣＥから番号が端末固有であるＵＳＳ（UE-specific SS）とに分類される。ＣＳＳには、システム情報あるいはページングに関する情報など、複数の端末が読む制御情報が割り当てられたＰＤＣＣＨ、あるいは下位の送信方式へのフォールバックやランダムアクセスの指示を示す下りリンク／上りリンクグラントが割り当てられたＰＤＣＣＨを配置することができる。
【００７４】
基地局１００は、端末２００において設定されるＳＳ内の１個以上のＣＣＥを用いてＰＤＣＣＨを送信する。端末２００は、ＳＳ内の１個以上のＣＣＥを用いて受信信号の復号を行ない、自身宛てのＰＤＣＣＨを検出するための処理を行なう（ブラインドデコーディングと呼称される）。端末２００は、ＣＣＥ集合レベル毎に異なるＳＳを設定する。その後、端末２００は、ＣＣＥ集合レベル毎に異なるＳＳ内の予め決められた組み合わせのＣＣＥを用いてブラインドデコーディングを行う。言い換えると、端末２００は、ＣＣＥ集合レベル毎に異なるＳＳ内の各ＰＤＣＣＨの候補に対してブラインドデコーディングを行う。端末２００におけるこの一連の処理をＰＤＣＣＨのモニタリングという。
【００７５】
以下では、ＥＰＤＣＣＨの詳細が説明される。ＥＰＤＣＣＨ（第２の制御チャネル）は、ＥＰＤＣＣＨ領域の一部または全部にマッピングされる。基地局１００が端末２００に対してＥＰＤＣＣＨを通知する場合、基地局１００は端末２００に対してＥＰＤＣＣＨのモニタリングを設定し、ＥＰＤＣＣＨ領域に端末２００に対するＥＰＤＣＣＨをマッピングする。また、基地局１００が端末２００に対してＰＤＣＣＨを通知する場合、基地局１００は端末２００に対してＥＰＤＣＣＨのモニタリングの設定に関わらず、ＰＤＣＣＨ領域に端末２００に対するＰＤＣＣＨをマッピングしてもよい。
【００７６】
一方、端末２００は、基地局１００によってＥＰＤＣＣＨのモニタリングが設定された場合、ＰＤＣＣＨ領域における端末２００宛のＰＤＣＣＨおよび／またはＥＰＤＣＣＨ領域における端末２００宛のＥＰＤＣＣＨをブラインドデコーディングする。また、端末２００は、基地局１００によってＥＰＤＣＣＨのモニタリングが設定されない場合、ＰＤＣＣＨ領域から端末２００宛のＥＰＤＣＣＨをブラインドデコーディングしない。
【００７７】
基地局１００は、端末２００にＥＰＤＣＣＨ領域（ＥＰＤＣＣＨセット、ＥＰＤＣＣＨ‐ＰＲＢセット）を設定できる。ＥＰＤＣＣＨセットの設定は、基地局１００から端末２００に対して通知する上位層の制御情報を通じて行われる。例えば、ＥＰＤＣＣＨセットの設定は、ＥＰＤＣＣＨをモニタリングするためのリソース（ＥＰＤＣＣＨセット）を設定するための制御情報である、ＥＰＤＣＣＨ設定情報を用いて行われる。ＥＰＤＣＣＨ設定情報は、端末２００に固有の設定情報である。ＥＰＤＣＣＨセットは、ＥＰＤＣＣＨをモニタリングするためのＲＰＢペアおよび／またはサブフレームにより定義される。1つ以上のＥＰＤＣＣＨセットが設定でき、ＥＰＤＣＣＨ設定情報はＥＰＤＣＣＨセット毎に独立に設定される。ＥＰＤＣＣＨ領域は、１つ以上のＰＲＢペアにより構成される。ＥＰＤＣＣＨ領域を構成するＲＢペアの数は、予め規定された複数の所定の値である。例えば、ＥＰＤＣＣＨ領域を構成するＲＢペアの数は、２、４または８とすることができる。
【００７８】
基地局１００は、端末２００に設定されたＥＰＤＣＣＨ領域に探索領域（サーチスペース）を設定できる。基地局１００は、端末２００に対するＥＰＤＣＣＨを、設定したＥＰＤＣＣＨ領域の探索領域にマッピングする。また、基地局１００は、複数の端末に対して、ＥＰＤＣＣＨ領域および／または探索領域の全部または一部を共通化することができる。すなわち、複数の端末に対する複数のＥＰＤＣＣＨは、ＥＰＤＣＣＨ領域および／または探索領域内で多重することができる。ここで、ＥＰＤＣＣＨは、所定数の拡張制御チャネルエレメント（ＥＣＣＥ；Enhanced CCE）により構成される。ＥＣＣＥは、ＥＰＤＣＣＨを構成する単位である。ＥＣＣＥは、所定数の拡張リソースエレメントグループ（ＥＲＥＧ；Enhanced REG）により構成される。
【００７９】
１つのＰＲＢペア（ＲＢペア）は、所定数のＥＲＥＧを構成する。例えば、１つのＰＲＢペアは、１６のＥＲＥＧを構成する。それぞれのＥＲＥＧは、識別するための番号（インデックス）が付与される。例えば、１つのＰＲＢペアが１６のＥＲＥＧを構成する場合、ＥＲＥＧを識別するＥＲＥＧ番号は０〜１５が用いられる。ＥＲＥＧ番号は０〜１５のＥＲＥＧは、ＥＲＥＧ０〜ＥＲＥＧ１５とも呼称される。１つのＰＲＢペアにおけるＥＲＥＧの番号付けは、予め決められた規則に基づいて行なわれる。例えば、１つのＰＲＢペアにおいて、ＥＲＥＧ０〜ＥＲＥＧ１５のＥＲＥＧ番号は、周波数優先マッピング規則（frequency-first and time-second）により、順にマッピングされる。
【００８０】
ＥＰＤＣＣＨは、局所送信（Localized transmission）または分散送信（Distributed transmission）のいずれかを用いることができる。局所送信または分散送信は、ＥＰＤＣＣＨセット毎に独立に設定できる。局所送信と分散送信との違いは、ＥＣＣＥに対するＥＲＥＧのマッピングが異なることである。局所送信の場合、１つのＥＣＣＥは、同一のＰＲＢペア内の複数のＥＲＥＧで構成される。すなわち、局所送信は、ＥＰＤＣＣＨを周波数方向に局所的なリソースを用いて送信されるため、プレコーディング利得や周波数スケジューリング利得が得られやすい。分散送信の場合、１つのＥＣＣＥは、複数の異なるＰＲＢペア内の複数のＥＲＥＧで構成される。すなわち、分散送信は、ＥＰＤＣＣＨを周波数方向に分散されたリソースを用いて送信されるため、周波数ダイバーシチ利得が得られやすい。
【００８１】
ＥＰＤＣＣＨ領域にマッピングされるＥＰＤＣＣＨは、１つまたは複数の端末に対する制御情報毎に処理され、ＰＤＳＣＨと同様に、スクランブル処理、変調処理、レイヤーマッピング処理、プレコーディング処理等を行うことができる。また、１つのＰＲＢの中で、ＥＰＤＣＣＨとＥＰＤＣＣＨ用のＤＭＲＳとに対して、同一のプレコーディング処理が行われる。
【００８２】
以下では、端末２００におけるＥＰＤＣＣＨを検索（探索、ブラインドデコーディング）するための領域であるＳＳ（探索領域）が説明される。端末２００は、基地局１００によってＥＰＤＣＣＨ領域が設定され、ＥＰＤＣＣＨ領域における複数のＥＣＣＥを認識する。端末２００は、基地局１００によってＳＳが設定される。例えば、端末２００は、基地局１００によってＳＳとして認識するＥＣＣＥ番号が設定される。
【００８３】
ＥＰＤＣＣＨのＳＳは、端末２００に固有に設定されるＥＰＤＣＣＨのＵＳＳ（UE-specific SS）と、基地局１００（セル）に固有に規定されるＥＰＤＣＣＨのＣＳＳ（Common SS）のいずれかを用いることができる。ＥＰＤＣＣＨのＣＳＳは、基地局１００（セル）と通信する複数の端末で共通に用いられることができる。
【００８４】
ＥＰＤＣＣＨのＳＳは、ＥＰＤＣＣＨセット毎に独立に設定できる。例えば、スタートＥＣＣＥ番号がＥＰＤＣＣＨセット毎に独立に設定できる。ＥＰＤＣＣＨのＣＳＳまたはＥＰＤＣＣＨのＵＳＳは、ＥＰＤＣＣＨセット毎に独立に設定できる。
【００８５】
ＥＰＤＣＣＨのＣＳＳの場合、スタートＥＣＣＥ番号は、基地局１００（セル）に固有の情報に基づいて規定されることができる。また、ＥＰＤＣＣＨのＣＳＳの場合、スタートＥＣＣＥ番号は予め規定されることができる。また、ＥＰＤＣＣＨのＣＳＳの場合、スタートＥＣＣＥ番号は、基地局１００（セル）が報知する制御情報に基づいて規定されることができる。ＥＰＤＣＣＨのＣＳＳの場合、スタートＥＣＣＥ番号は、基地局１００から端末２００に固有に設定される識別情報であるＲＮＴＩに基づいて設定されることができる。また、スタートＥＣＣＥ番号は、サブフレーム毎に番号付けされるサブフレーム番号またはスロット毎に番号付けされるスロット番号にさらに基づいて設定されてもよい。これにより、スタートＥＣＣＥ番号は、サブフレーム毎またはスロット毎に固有の情報となる。そのため、ＥＰＤＣＣＨのＳＳは、サブフレーム毎またはスロット毎に異なるように設定することができる。また、そのＳＳをスタートＥＣＣＥ番号から認識するための規則は、予め規定された方法を用いることができる。
【００８６】
端末２００におけるＥＰＤＣＣＨを検索するためのＳＳは、１つ以上のＥＣＣＥからＳＳを構成することができる。１つのＥＰＤＣＣＨまたはＥＰＤＣＣＨの候補は、ＥＣＣＥ番号の連続する１つ以上のＥＣＣＥから構成される。１つのＥＰＤＣＣＨまたはＥＰＤＣＣＨの候補を構成するＥＣＣＥの数は、ＥＣＣＥ集合レベル（ＥＣＣＥアグリゲーションレベル）と称される。各ＥＣＣＥ集合レベルのＳＳは、複数のＥＰＤＣＣＨの候補の集合体により構成される。また、ＥＰＤＣＣＨの候補の数は、ＥＣＣＥ集合レベル毎に規定されてもよい。また、ＥＰＤＣＣＨのＳＳは、ＥＣＣＥ集合レベル毎に設定されてもよい。例えば、ＥＰＤＣＣＨのＳＳを設定するスタートＥＣＣＥは、ＥＣＣＥ集合レベル毎に設定されてもよい。
【００８７】
基地局１００は、端末２００において設定されるＥＣＣＥ内の１個以上のＥＣＣＥを用いてＥＰＤＣＣＨを送信する。端末２００は、ＳＳ内の１個以上のＥＰＤＣＣＨの候補に対して復調および復号を行い、端末２００宛てのＥＰＤＣＣＨを検出するための処理を行う（ブラインドデコーディングする）。端末２００は、ＥＣＣＥ集合レベル毎に異なるＳＳを設定する。その後、端末２００は、ＥＣＣＥ集合レベル毎に異なるＳＳ内の予め決められた組み合わせのＥＣＣＥを用いてブラインドデコーディングを行なう。言い換えると、端末２００は、ＥＣＣＥ集合レベル毎に異なるＳＳ内の各ＥＰＤＣＣＨの候補に対してブラインドデコーディングを行う（ＥＰＤＣＣＨをモニタリングする）。
【００８８】
また、ＥＰＤＣＣＨのＳＳは、サブフレームの種類および／またはサイクリックプレフィックス長に応じて、設定されることができる。ＥＰＤＣＣＨのＳＳは、第１のＥＣＣＥ集合レベルの組み合わせと第２のＥＣＣＥ集合レベルの組み合わせとが切り替えられる。第１のＥＣＣＥ集合レベルの組み合わせは１、２、４および８である。第２のＥＣＣＥ集合レベルの組み合わせは２、４、８および１６である。これにより、サブフレームの種類および／またはサイクリックプレフィックス長によってＥＰＤＣＣＨを送信するためのリソースエレメントの数が変わる場合、ＥＰＤＣＣＨの所要品質が大きく劣化することなく通信できる。また、ＥＰＤＣＣＨの所定の受信品質またはＥＰＤＣＣＨによるオーバーヘッドを変更するために、他のＥＣＣＥ集合レベルが用いられてもよい。
【００８９】
＜ＤＭＲＳ＞
次に、本実施形態で用いられるＰＤＳＣＨ用のＤＭＲＳおよびＥＰＤＣＣＨ用のＤＭＲＳの詳細が説明される。なお、以下では、ＰＤＳＣＨ用のＤＭＲＳおよびＥＰＤＣＣＨ用のＤＭＲＳは、単にＤＭＲＳとも呼称される。すなわち、以下の説明では、ＤＭＲＳは、ＰＤＳＣＨ用のＤＭＲＳおよびＥＰＤＣＣＨ用のＤＭＲＳを含む。
【００９０】
本実施形態では、独立に設定できるＤＭＲＳが複数規定される。例えば、それらのＤＭＲＳは、ＤＭＲＳのマッピングパターンが異なる。以下では、その一例として、２つのＤＭＲＳが規定される場合が説明されるが、３つ以上のＤＭＲＳが規定される場合でも同様の効果が発揮できる。
【００９１】
また、以下では、第１のＤＭＲＳパターン（第１のマッピングパターン）が用いられるＤＭＲＳは第１のＤＭＲＳとも呼称される。第２のＤＭＲＳパターン（第２のマッピングパターン）が用いられるＤＭＲＳは第２のＤＭＲＳとも呼称される。
【００９２】
また、以下では、ＰＤＳＣＨに関連付けられる第１のＤＭＲＳはＰＤＳＣＨ用の第１のＤＭＲＳとも呼称される。ＰＤＳＣＨに関連付けられる第２のＤＭＲＳはＰＤＳＣＨ用の第２のＤＭＲＳとも呼称される。ＥＰＤＣＣＨに関連付けられる第１のＤＭＲＳはＥＰＤＣＣＨ用の第１のＤＭＲＳとも呼称される。ＥＰＤＣＣＨに関連付けられる第２のＤＭＲＳはＥＰＤＣＣＨ用の第２のＤＭＲＳとも呼称される。
【００９３】
また、以下では、第１のＤＭＲＳは、ＰＤＳＣＨ用の第１のＤＭＲＳと、ＥＰＤＣＣＨ用の第１のＤＭＲＳとを含む。第２のＤＭＲＳは、ＰＤＳＣＨ用の第２のＤＭＲＳと、ＥＰＤＣＣＨ用の第２のＤＭＲＳとを含む。
【００９４】
また、以下では、ＰＤＳＣＨ用のＤＭＲＳは、ＰＤＳＣＨ用の第１のＤＭＲＳと、ＰＤＳＣＨ用の第２のＤＭＲＳとを含む。ＥＰＤＣＣＨ用のＤＭＲＳは、ＥＰＤＣＣＨ用の第１のＤＭＲＳと、ＥＰＤＣＣＨ用の第２のＤＭＲＳとを含む。
【００９５】
図５は、第１のＤＭＲＳが用いられるリソースブロックペアの一例を示す図である。この図は、１つのリソースブロックにおけるＯＦＤＭシンボル数が７である場合の、１つのリソースブロックペアにおけるリソースエレメントの集合を示している。つまり、この図は、１つのスロットのＯＦＤＭシンボル数が７である場合を示している。また、リソースブロックペア内の時間方向に前半の７つのＯＦＤＭシンボルは、第１のスロット（第１のリソースブロック）とも呼称される。リソースブロックペア内の時間方向に後半の７つのＯＦＤＭシンボルは、第２のスロット（第２のリソースブロック）とも呼称される。また、各スロット（リソースブロック）におけるＯＦＤＭシンボルのそれぞれは、ＯＦＤＭシンボル番号０〜６で示される。また、リソースブロックペアにおける周波数方向のサブキャリアのそれぞれは、サブキャリア番号０〜１１で示される。なお、システム帯域幅が複数のリソースブロックで構成される場合、サブキャリア番号はそのシステム帯域幅に渡って異なるように割り当てる。例えば、システム帯域幅が６個のリソースブロックで構成される場合、サブキャリア番号０〜７１が割り当てられるサブキャリアが用いられる。なお、以下の説明では、リソースエレメント（ｋ，ｌ）は、サブキャリア番号ｋとＯＦＤＭシンボル番号ｌで示されるリソースエレメントである。また、図中の網掛けしたリソースエレメントは、参照信号がマッピングされたリソースエレメントである。
【００９６】
Ｒ０〜Ｒ３で示されるリソースエレメントは、それぞれアンテナポート０〜３のセル固有参照信号を示す。以下では、アンテナポート０〜３のセル固有参照信号はＣＲＳ（Cell-specific RS）とも呼称される。この例では、ＣＲＳが４つのアンテナポートの場合であるが、その数を変えることができる。例えば、ＣＲＳは、１つのアンテナポートまたは２つのアンテナポートを用いることができる。また、ＣＲＳは、セルＩＤに基づいて、周波数方向へシフトすることができる。例えば、ＣＲＳは、セルＩＤを６で割った余りに基づいて、周波数方向へシフトすることができる。その時のシフトのパターンは６である。
【００９７】
Ｃ１〜Ｃ４で示されるリソースエレメントは、アンテナポート１５〜２２の伝送路状況測定用参照信号（ＣＳＩ−ＲＳ）を示す。Ｃ１〜Ｃ４で示されるリソースエレメントは、それぞれＣＤＭ（Code Division Multiplexing）グループ１〜ＣＤＭグループ４のＣＳＩ−ＲＳを示す。ＣＳＩ−ＲＳは、Ｗａｌｓｈ符号を用いた直交系列（直交符号）と、擬似ランダム系列を用いたスクランブル符号とで構成される。また、ＣＳＩ−ＲＳは、ＣＤＭグループ内において、それぞれＷａｌｓｈ符号等の直交符号により符号分割多重される。また、ＣＳＩ−ＲＳは、ＣＤＭグループ間において、互いに周波数分割多重（ＦＤＭ；Frequency Division Multiplexing）される。
【００９８】
アンテナポート１５および１６のＣＳＩ−ＲＳはＣ１にマッピングされ、アンテナポート１７および１８のＣＳＩ−ＲＳはＣ２にマッピングされ、アンテナポート１９および２０のＣＳＩ−ＲＳはＣ３にマッピングされ、アンテナポート２１および２２のＣＳＩ−ＲＳはＣ４にマッピングされる。
【００９９】
ＣＳＩ−ＲＳのアンテナポート数は複数規定される。ＣＳＩ−ＲＳは、アンテナポート１５〜２２の８つのアンテナポートに対応する参照信号として設定されることができる。また、ＣＳＩ−ＲＳは、アンテナポート１５〜１８の４つのアンテナポートに対応する参照信号として設定されることができる。また、ＣＳＩ−ＲＳは、アンテナポート１５〜１６の２つのアンテナポートに対応する参照信号として設定されることができる。また、ＣＳＩ−ＲＳは、アンテナポート１５の１つのアンテナポートに対応する参照信号として設定されることができる。
【０１００】
ＣＳＩ−ＲＳは、一部のサブフレームにマッピングされることができ、例えば、複数のサブフレーム毎にマッピングされることができる。また、ＣＳＩ−ＲＳをマッピングするリソースエレメントは、図４で示すリソースエレメントとは異なってもよい。
【０１０１】
ＣＳＩ−ＲＳのリソースエレメントに対するマッピングパターンは複数規定される。また、基地局１００は、端末２００に対して、複数のＣＳＩ−ＲＳを設定することができる。
【０１０２】
ＣＳＩ−ＲＳは、送信電力をゼロにすることができる。送信電力がゼロのＣＳＩ−ＲＳは、ゼロパワーＣＳＩ−ＲＳとも呼称される。ゼロパワーＣＳＩ−ＲＳは、アンテナポート１５〜２２のＣＳＩ−ＲＳとは独立に設定される。なお、アンテナポート１５〜２２のＣＳＩ−ＲＳは、非ゼロパワーＣＳＩ−ＲＳとも呼称される。
【０１０３】
基地局１００は、ＲＲＣシグナリングを通じて、端末２００に対する端末固有の制御情報として、ＣＳＩ−ＲＳを設定する。端末２００は、基地局１００によりＲＲＣシグナリングを通じて、ＣＳＩ−ＲＳが設定される。また、端末２００は、干渉電力を測定するためのリソースであるＣＳＩ−ＩＭリソースが設定されることができる。端末２００は、基地局１００からの設定に基づいて、ＣＲＳ、ＣＳＩ−ＲＳおよび／またはＣＳＩ−ＩＭリソースを用いて、フィードバック情報を生成する。
【０１０４】
白く塗りつぶされたリソースエレメントは、ＰＤＳＣＨおよび／またはＥＰＤＣＣＨが配置される領域である。ＰＤＳＣＨ領域および／またはＥＰＤＣＣＨ領域は、サブフレーム中のＰＤＣＣＨ領域のＯＦＤＭシンボルとは異なるＯＦＤＭシンボルにマッピングされる。図４の例では、ＰＤＣＣＨ領域のＯＦＤＭシンボル数は３であり、サブフレーム中の先頭のＯＦＤＭシンボルから３番目のＯＦＤＭシンボルで構成される。また、ＰＤＳＣＨ領域および／またはＥＰＤＣＣＨ領域は、サブフレーム中の４番目のＯＦＤＭシンボルから最後のＯＦＤＭシンボルで構成され、ＰＤＳＣＨ領域および／またはＥＰＤＣＣＨ領域のＯＦＤＭシンボル数は１１である。ＰＤＣＣＨ領域、ＰＤＳＣＨ領域および／またはＥＰＤＣＣＨ領域は、サブフレーム毎に所定数のＯＦＤＭシンボルを設定し構成することができる。なお、ＰＤＳＣＨ領域および／またはＥＰＤＣＣＨ領域の全部または一部は、そのサブフレームにおけるＰＤＣＣＨ領域に関わらず、予め規定された所定のＯＦＤＭシンボルにマッピングされることもできる。また、ＰＤＳＣＨ領域および／またはＥＰＤＣＣＨ領域は、リソースブロックペア毎に設定することができる。また、ＥＰＤＣＣＨ領域は、ＰＤＣＣＨ領域のＯＦＤＭシンボル数に関わらず、全てのＯＦＤＭシンボルで構成されてもよい。
【０１０５】
Ｄ１〜Ｄ２で示されるリソースエレメントは、それぞれＣＤＭグループ１〜ＣＤＭグループ２の第１のＤＭＲＳを示す。第１のＤＭＲＳは、Ｗａｌｓｈ符号を用いた直交系列（直交符号）と、擬似ランダム系列によるスクランブル系列とを用いて構成される。また、第１のＤＭＲＳは、アンテナポート毎に独立であり、それぞれのリソースブロックペア内で多重できる。第１のＤＭＲＳは、ＣＤＭおよび／またはＦＤＭにより、アンテナポート間で互いに直交関係にある。第１のＤＭＲＳは、ＣＤＭグループ内において、それぞれ直交符号によりＣＤＭされる。第１のＤＭＲＳは、ＣＤＭグループ間において、互いにＦＤＭされる。同じＣＤＭグループにおける第１のＤＭＲＳは、それぞれ同じリソースエレメントにマッピングされる。同じＣＤＭグループにおける第１のＤＭＲＳは、アンテナポート間でそれぞれ異なる直交系列が用いられ、それらの直交系列は互いに直交関係にある。ＰＤＳＣＨ用の第１のＤＭＲＳは、８つのアンテナポート（アンテナポート７〜１４）の一部または全部を用いることができる。つまり、第１のＤＭＲＳに関連付けられるＰＤＳＣＨは、最大８ランクまでのＭＩＭＯ送信ができる。ＥＰＤＣＣＨ用の第１のＤＭＲＳは、４つのアンテナポート（アンテナポート１０７〜１１０）の一部または全部を用いることができる。また、第１のＤＭＲＳは、関連付けられるチャネルのランク数に応じて、ＣＤＭの拡散符号長やマッピングされるリソースエレメントの数を変えることができる。
【０１０６】
第１のＤＭＲＳは、第１のＤＭＲＳパターン（第１のポジション）が用いられる。第１のＤＭＲＳパターンの時間方向は、第１のスロットにおけるＯＦＤＭシンボル番号５および６と、第２のスロットにおけるＯＦＤＭシンボル番号５および６との、ＯＦＤＭシンボルを用いる。第１のＤＭＲＳパターンの周波数方向について、Ｄ１で示されるＣＤＭグループ１のサブキャリアはサブキャリア番号１、６および１１であり、Ｄ２で示されるＣＤＭグループ２のサブキャリアはサブキャリア番号０、５および１０である。
【０１０７】
アンテナポート７、８、１１および１３で送信するＰＤＳＣＨ用の第１のＤＭＲＳは、Ｄ１で示されるリソースエレメントにマッピングされる。アンテナポート９、１０、１２および１４で送信するＰＤＳＣＨ用の第１のＤＭＲＳは、Ｄ２で示されるリソースエレメントにマッピングされる。また、アンテナポート１０７および１０８で送信するＥＰＤＣＣＨ用の第１のＤＭＲＳは、Ｄ１で示されるリソースエレメントにマッピングされる。アンテナポート１０９および１１０で送信するＥＰＤＣＣＨ用の第１のＤＭＲＳは、Ｄ２で示されるリソースエレメントにマッピングされる。
【０１０８】
第１のＤＭＲＳパターンは、次の特徴を有する。
（１）第１のＤＭＲＳがマッピングされるサブキャリアのそれぞれにおいて、４つのリソースエレメントが用いられる。また、４つのリソースエレメントのうち、２つのリソースエレメントは時間方向に連続したリソースエレメントを用いる。
（２）セル固有参照信号がマッピングされ得るリソースエレメントとは異なるリソースエレメントが用いられる。
（３）ＰＤＣＣＨリソースとして設定され得るリソースエレメントとは異なるリソースエレメントが用いられる。
（４）任意のＰＲＢの中の第１のＤＭＲＳがマッピングされるリソースエレメントの位置と、任意のＰＲＢの中のプライマリー同期信号および／またはセカンダリー同期信号がマッピングされるリソースエレメントの位置とが、一部同じになる。この場合、プライマリー同期信号および／またはセカンダリー同期信号が配置されるＰＲＢにおいて、第１のＤＭＲＳは配置されないものとする。
【０１０９】
また、上記の特徴に対する効果は、以下の通りである。
（ａ）第１のＤＭＲＳは、拡散符号長が２または４チップの直交符号を用いて、同一のサブキャリアにおける４つのリソースエレメントでＣＤＭできる。そのため、端末は、同一のサブキャリアにおける４つのリソースエレメントにマッピングされた第１のＤＭＲＳに対して逆拡散を行い伝搬路推定ができる。これにより、端末は、サブキャリア単位に精度の高い伝搬路推定が可能となる。また、時間方向に連続したリソースエレメントにマッピングされる直交符号は、符号間干渉を抑制するため、端末における受信品質の劣化は低減される。
（ｂ）第１のＤＭＲＳがマッピングされるリソースエレメントと、セル固有参照信号がマッピングされるリソースエレメントとは異なる。そのため、第１のＤＭＲＳとセル固有参照信号が１つのリソースブロックペアに同時にマッピングされたとしても、それぞれ受信品質は維持できる。
（ｃ）第１のＤＭＲＳがマッピングされるリソースエレメントと、ＰＤＣＣＨがマッピングされるリソースエレメントとは異なる。そのため、第１のＤＭＲＳとＰＤＣＣＨが１つのリソースブロックペアに同時にマッピングされたとしても、それぞれ受信品質は維持できる。
【０１１０】
図６は、第２のＤＭＲＳが用いられるリソースブロックペアの一例を示す図である。この図は、１つのリソースブロックにおけるＯＦＤＭシンボル数が７である場合の、１つのリソースブロックペアにおけるリソースエレメントの集合を示している。つまり、この図は、１つのスロットのＯＦＤＭシンボル数が７である場合を示している。また、リソースブロックペア内の時間方向に前半の７つのＯＦＤＭシンボルは、第１のスロット（第１のリソースブロック）とも呼称される。リソースブロックペア内の時間方向に後半の７つのＯＦＤＭシンボルは、第２のスロット（第２のリソースブロック）とも呼称される。また、各スロット（リソースブロック）におけるＯＦＤＭシンボルのそれぞれは、ＯＦＤＭシンボル番号０〜６で示される。また、リソースブロックペアにおける周波数方向のサブキャリアのそれぞれは、サブキャリア番号０〜１１で示される。なお、システム帯域幅が複数のリソースブロックで構成される場合、サブキャリア番号はそのシステム帯域幅に渡って異なるように割り当てる。例えば、システム帯域幅が６個のリソースブロックで構成される場合、サブキャリア番号０〜７１が割り当てられるサブキャリアが用いられる。また、図中の網掛けしたリソースエレメントは、参照信号がマッピングされたリソースエレメントである。
【０１１１】
Ｒ０〜Ｒ３で示されるリソースエレメントは、それぞれアンテナポート０〜３のセル固有参照信号を示す。Ｃ１〜Ｃ４で示されるリソースエレメントは、アンテナポート１５〜２２の伝送路状況測定用参照信号（ＣＳＩ−ＲＳ）を示す。白く塗りつぶされたリソースエレメントは、ＰＤＳＣＨおよび／またはＥＰＤＣＣＨが配置される領域である。図６におけるセル固有参照信号、伝送路状況測定用参照信号、ＰＤＳＣＨおよび／またはＥＰＤＣＣＨが配置される領域は、図５で説明したセル固有参照信号、伝送路状況測定用参照信号、ＰＤＳＣＨおよび／またはＥＰＤＣＣＨが配置される領域と同じであるため、説明は省略する。
【０１１２】
Ｅ１〜Ｅ２で示されるリソースエレメントは、それぞれＣＤＭグループ１〜ＣＤＭグループ２の第２のＤＭＲＳを示す。第２のＤＭＲＳは、Ｗａｌｓｈ符号を用いた直交系列（直交符号）と、擬似ランダム系列によるスクランブル系列とを用いて構成される。また、第２のＤＭＲＳは、アンテナポート毎に独立であり、それぞれのリソースブロックペア内で多重できる。第２のＤＭＲＳは、ＣＤＭおよび／またはＦＤＭにより、アンテナポート間で互いに直交関係にある。第２のＤＭＲＳは、ＣＤＭグループ内において、それぞれ直交符号によりＣＤＭされる。第２のＤＭＲＳは、ＣＤＭグループ間において、互いにＦＤＭされる。同じＣＤＭグループにおける第２のＤＭＲＳは、それぞれ同じリソースエレメントにマッピングされる。同じＣＤＭグループにおける第２のＤＭＲＳは、アンテナポート間でそれぞれ異なる直交系列が用いられ、それらの直交系列は互いに直交関係にある。ＰＤＳＣＨ用の第２のＤＭＲＳは、８つのアンテナポート（アンテナポート７Ａ〜１４Ａ）の一部または全部を用いることができる。つまり、第２のＤＭＲＳに関連付けられるＰＤＳＣＨは、最大８ランクまでのＭＩＭＯ送信ができる。ＥＰＤＣＣＨ用の第２のＤＭＲＳは、４つのアンテナポート（アンテナポート１０７Ａ〜１１０Ａ）の一部または全部を用いることができる。また、第２のＤＭＲＳは、関連付けられるチャネルのランク数に応じて、ＣＤＭの拡散符号長やマッピングされるリソースエレメントの数を変えることができる。
【０１１３】
図６に示される第２のＤＭＲＳは、図６に示される第２のＤＭＲＳパターン（第２のポジション）が用いられる。図６に示される第２のＤＭＲＳパターンの時間方向は、第１のスロットにおけるＯＦＤＭシンボル番号２および３と、第２のスロットにおけるＯＦＤＭシンボル番号５および６との、ＯＦＤＭシンボルを用いる。図６に示される第２のＤＭＲＳパターンの周波数方向について、Ｄ１で示されるＣＤＭグループ１のサブキャリアはサブキャリア番号１、６および１１であり、Ｄ２で示されるＣＤＭグループ２のサブキャリアはサブキャリア番号０、５および１０である。
【０１１４】
アンテナポート７Ａ、８Ａ、１１Ａおよび１３Ａで送信するＰＤＳＣＨ用の第２のＤＭＲＳは、Ｄ１で示されるリソースエレメントにマッピングされる。アンテナポート９Ａ、１０Ａ、１２Ａおよび１４Ａで送信するＰＤＳＣＨ用の第２のＤＭＲＳは、Ｄ２で示されるリソースエレメントにマッピングされる。また、アンテナポート１０７Ａおよび１０８Ａで送信するＥＰＤＣＣＨ用の第２のＤＭＲＳは、Ｄ１で示されるリソースエレメントにマッピングされる。アンテナポート１０９Ａおよび１１０Ａで送信するＥＰＤＣＣＨ用の第２のＤＭＲＳは、Ｄ２で示されるリソースエレメントにマッピングされる。
【０１１５】
図６に示される第２のＤＭＲＳパターンは、次の特徴を有する。
（１）第２のＤＭＲＳがマッピングされるサブキャリアのそれぞれにおいて、４つのリソースエレメントが用いられる。また、４つのリソースエレメントのうち、２つのリソースエレメントは時間方向に連続したリソースエレメントを用いる。
（２）セル固有参照信号がマッピングされ得るリソースエレメントとは異なるリソースエレメントを用いる。
（３）プライマリー同期信号またはセカンダリー同期信号がマッピングされ得るリソースエレメントとは異なるリソースエレメントを用いる。
（４）任意のＰＲＢの中の第１のＤＭＲＳがマッピングされるリソースエレメントの位置と、任意のＰＲＢの中のＰＤＣＣＨやＰＨＩＣＨ（Physical HARQ Indicator Channel）やＰＣＦＩＣＨ（Physical Control Format Indicator Channel）などがマッピングされるリソースエレメントの位置とが、一部同じになる。
【０１１６】
また、上記の特徴に対する効果は、以下の通りである。
（ａ）第２のＤＭＲＳは、拡散符号長が２または４チップの直交符号を用いて、同一のサブキャリアにおける４つのリソースエレメントでＣＤＭできる。そのため、端末は、同一のサブキャリアにおける４つのリソースエレメントにマッピングされた第２のＤＭＲＳに対して逆拡散を行い伝搬路推定ができる。これにより、端末は、サブキャリア単位に精度の高い伝搬路推定が可能となる。また、時間方向に連続したリソースエレメントにマッピングされる直交符号は、符号間干渉を抑制するため、端末における受信品質の劣化は低減される。
（ｂ）第２のＤＭＲＳがマッピングされるリソースエレメントと、セル固有参照信号がマッピングされるリソースエレメントとは異なる。そのため、第２のＤＭＲＳとセル固有参照信号が１つのリソースブロックペアに同時にマッピングされたとしても、それぞれ受信品質は維持できる。
（ｃ）第２のＤＭＲＳがマッピングされるリソースエレメントと、プライマリー同期信号またはセカンダリー同期信号がマッピングされるリソースエレメントとは異なる。そのため、第２のＤＭＲＳと、プライマリー同期信号および／またはセカンダリー同期信号が１つのリソースブロックペアに同時にマッピングされたとしても、それぞれ受信品質は維持できる。
【０１１７】
さらに、図６に示される第２のＤＭＲＳパターンは、次の特徴の一部または全部を有してもよい。
（Ａ）第２のＤＭＲＳは、１つのリソースブロックペアにおいて、時間方向に出来るだけ離れた複数のリソースエレメントにマッピングされる。つまり、第２のＤＭＲＳがマッピングされる最初のＯＦＤＭシンボルは、セル固有参照信号がマッピングされ得るＯＦＤＭシンボルを除いた、リソースブロックペア内の最初のＯＦＤＭシンボルである。また、第２のＤＭＲＳがマッピングされる最後のＯＦＤＭシンボルは、リソースブロックペア内の最後のＯＦＤＭシンボルである。
（Ｂ）図６に示される第２のＤＭＲＳがマッピングされるリソースブロックペア、サブフレームまたはセルには、ＰＤＣＣＨリソースのＯＦＤＭシンボル数が０、１または２である。端末は、図６に示される第２のＤＭＲＳがマッピングされるリソースブロックペア、サブフレームまたはセルにおいて、０、１または２以外のＯＦＤＭシンボル数のＰＤＣＣＨリソースが用いられることを想定しない。また、端末に対して３以上のＯＦＤＭシンボル数のＰＤＣＣＨリソースが設定されたとしても、図６に示される第２のＤＭＲＳが用いられる端末は、そのＰＤＣＣＨリソースのＯＦＤＭシンボル数を０、１または２と想定することができる。
【０１１８】
また、上記の特徴に対する効果は、以下の通りである。
（ｘ）端末は、参照信号がマッピングされるリソースエレメントを用いて、補間処理を行い、参照信号がマッピングされないリソースエレメントに対する伝搬路を推定できる。また、参照信号がマッピングされるリソースエレメントより外側のリソースエレメント（例えば、図６の例では、第１のスロットにおけるＯＦＤＭシンボル番号０および１のリソースエレメント）は、外挿法により伝搬路推定を行うことになり、推定精度が劣化する可能性がある。しかしながら、第２のＤＭＲＳは、第１のＤＭＲＳと比較して、１つのリソースブロックペアにおいて、時間方向に出来るだけ離れた複数のリソースエレメントにマッピングされるため、外挿法を用いた伝搬路推定を行うリソースエレメントの数を抑制することができる。結果として、第２のＤＭＲＳは、１つのリソースブロックペア内のリソースエレメントに対する全体的な伝搬路の推定精度を高めることができる。
（ｙ）図６に示される第２のＤＭＲＳがマッピングされるリソースエレメントと、３以上のＯＦＤＭシンボル数のＰＤＣＣＨリソースを用いて送信されるＰＤＣＣＨがマッピングされるリソースエレメントとが衝突する可能性が無くなる。
【０１１９】
図７は、第２のＤＭＲＳが用いられるリソースブロックペアの別の一例を示す図である。この図は、１つのリソースブロックにおけるＯＦＤＭシンボル数が７である場合の、１つのリソースブロックペアにおけるリソースエレメントの集合を示している。つまり、この図は、１つのスロットのＯＦＤＭシンボル数が７である場合を示している。また、リソースブロックペア内の時間方向に前半の７つのＯＦＤＭシンボルは、第１のスロット（第１のリソースブロック）とも呼称される。リソースブロックペア内の時間方向に後半の７つのＯＦＤＭシンボルは、第２のスロット（第２のリソースブロック）とも呼称される。また、各スロット（リソースブロック）におけるＯＦＤＭシンボルのそれぞれは、ＯＦＤＭシンボル番号０〜６で示される。また、リソースブロックペアにおける周波数方向のサブキャリアのそれぞれは、サブキャリア番号０〜１１で示される。なお、システム帯域幅が複数のリソースブロックで構成される場合、サブキャリア番号はそのシステム帯域幅に渡って異なるように割り当てる。例えば、システム帯域幅が６個のリソースブロックで構成される場合、サブキャリア番号０〜７１が割り当てられるサブキャリアが用いられる。また、図中の網掛けしたリソースエレメントは、参照信号がマッピングされたリソースエレメントである。
【０１２０】
Ｒ０〜Ｒ１で示されるリソースエレメントは、それぞれアンテナポート０〜１のセル固有参照信号を示す。Ｃ１〜Ｃ４で示されるリソースエレメントは、アンテナポート１５〜２２の伝送路状況測定用参照信号（ＣＳＩ−ＲＳ）を示す。白く塗りつぶされたリソースエレメントは、ＰＤＳＣＨおよび／またはＥＰＤＣＣＨが配置される領域である。図７におけるセル固有参照信号、伝送路状況測定用参照信号、ＰＤＳＣＨおよび／またはＥＰＤＣＣＨが配置される領域は、図５で説明したセル固有参照信号、伝送路状況測定用参照信号、ＰＤＳＣＨおよび／またはＥＰＤＣＣＨが配置される領域と同じであるため、説明は省略する。しかしながら、１つのサブフレームにおいて、ＥＰＤＣＣＨの開始位置は、ＰＤＳＣＨの開始位置とは独立に設定することもできる。
【０１２１】
Ｅ１〜Ｅ２で示されるリソースエレメントは、それぞれＣＤＭグループ１〜ＣＤＭグループ２の第２のＤＭＲＳを示す。第２のＤＭＲＳは、Ｗａｌｓｈ符号を用いた直交系列（直交符号）と、擬似ランダム系列によるスクランブル系列とを用いて構成される。また、第２のＤＭＲＳは、アンテナポート毎に独立であり、それぞれのリソースブロックペア内で多重できる。第２のＤＭＲＳは、ＣＤＭおよび／またはＦＤＭにより、アンテナポート間で互いに直交関係にある。第２のＤＭＲＳは、ＣＤＭグループ内において、それぞれ直交符号によりＣＤＭされる。第２のＤＭＲＳは、ＣＤＭグループ間において、互いにＦＤＭされる。同じＣＤＭグループにおける第２のＤＭＲＳは、それぞれ同じリソースエレメントにマッピングされる。同じＣＤＭグループにおける第２のＤＭＲＳは、アンテナポート間でそれぞれ異なる直交系列が用いられ、それらの直交系列は互いに直交関係にある。ＰＤＳＣＨ用の第２のＤＭＲＳは、８つのアンテナポート（アンテナポート７Ａ〜１４Ａ）の一部または全部を用いることができる。つまり、第２のＤＭＲＳに関連付けられるＰＤＳＣＨは、最大８ランクまでのＭＩＭＯ送信ができる。ＥＰＤＣＣＨ用の第２のＤＭＲＳは、４つのアンテナポート（アンテナポート１０７Ａ〜１１０Ａ）の一部または全部を用いることができる。また、第２のＤＭＲＳは、関連付けられるチャネルのランク数に応じて、ＣＤＭの拡散符号長やマッピングされるリソースエレメントの数を変えることができる。
【０１２２】
図７に示される第２のＤＭＲＳは、図７に示される第２のＤＭＲＳパターン（第２のポジション）が用いられる。図７に示される第２のＤＭＲＳパターンの時間方向は、第１のスロットにおけるＯＦＤＭシンボル番号１および２と、第２のスロットにおけるＯＦＤＭシンボル番号５および６との、ＯＦＤＭシンボルを用いる。図７に示される第２のＤＭＲＳパターンの周波数方向について、Ｄ１で示されるＣＤＭグループ１のサブキャリアはサブキャリア番号１、６および１１であり、Ｄ２で示されるＣＤＭグループ２のサブキャリアはサブキャリア番号０、５および１０である。
【０１２３】
アンテナポート７Ａ、８Ａ、１１Ａおよび１３Ａで送信するＰＤＳＣＨ用の第２のＤＭＲＳは、Ｄ１で示されるリソースエレメントにマッピングされる。アンテナポート９Ａ、１０Ａ、１２Ａおよび１４Ａで送信するＰＤＳＣＨ用の第２のＤＭＲＳは、Ｄ２で示されるリソースエレメントにマッピングされる。また、アンテナポート１０７Ａおよび１０８Ａで送信するＥＰＤＣＣＨ用の第２のＤＭＲＳは、Ｄ１で示されるリソースエレメントにマッピングされる。アンテナポート１０９Ａおよび１１０Ａで送信するＥＰＤＣＣＨ用の第２のＤＭＲＳは、Ｄ２で示されるリソースエレメントにマッピングされる。
【０１２４】
図７に示される第２のＤＭＲＳパターンは、次の特徴を有する。
（１）第２のＤＭＲＳがマッピングされるサブキャリアのそれぞれにおいて、４つのリソースエレメントが用いられる。また、４つのリソースエレメントのうち、２つのリソースエレメントは時間方向に連続したリソースエレメントを用いる。
（２）セル固有参照信号がマッピングされ得るリソースエレメントとは異なるリソースエレメントを用いる。
（３）プライマリー同期信号またはセカンダリー同期信号がマッピングされ得るリソースエレメントとは異なるリソースエレメントを用いる。
（４）任意のＰＲＢの中の第１のＤＭＲＳがマッピングされるリソースエレメントの位置と、任意のＰＲＢの中のＰＤＣＣＨやＰＨＩＣＨやＰＣＦＩＣＨなどがマッピングされるリソースエレメントの位置とが、一部同じになる。
【０１２５】
また、上記の特徴に対する効果は、以下の通りである。
（ａ）第２のＤＭＲＳは、拡散符号長が２または４チップの直交符号を用いて、同一のサブキャリアにおける４つのリソースエレメントでＣＤＭできる。そのため、端末は、同一のサブキャリアにおける４つのリソースエレメントにマッピングされた第２のＤＭＲＳに対して逆拡散を行い伝搬路推定ができる。これにより、端末は、サブキャリア単位に精度の高い伝搬路推定が可能となる。また、時間方向に連続したリソースエレメントにマッピングされる直交符号は、符号間干渉を抑制するため、端末における受信品質の劣化は低減される。
（ｂ）第２のＤＭＲＳがマッピングされるリソースエレメントと、セル固有参照信号がマッピングされるリソースエレメントとは異なる。そのため、第２のＤＭＲＳとセル固有参照信号が１つのリソースブロックペアに同時にマッピングされたとしても、それぞれ受信品質は維持できる。
（ｃ）第２のＤＭＲＳがマッピングされるリソースエレメントと、プライマリー同期信号またはセカンダリー同期信号がマッピングされるリソースエレメントとは異なる。そのため、第２のＤＭＲＳと、プライマリー同期信号および／またはセカンダリー同期信号が１つのリソースブロックペアに同時にマッピングされたとしても、それぞれ受信品質は維持できる。
【０１２６】
さらに、図７に示される第２のＤＭＲＳパターンは、次の特徴の一部または全部を有してもよい。
（Ａ）第２のＤＭＲＳは、１つのリソースブロックペアにおいて、時間方向に出来るだけ離れた複数のリソースエレメントにマッピングされる。つまり、第２のＤＭＲＳがマッピングされる最初のＯＦＤＭシンボルは、セル固有参照信号がマッピングされ得るＯＦＤＭシンボルを除いた、リソースブロックペア内の最初のＯＦＤＭシンボルである。また、第２のＤＭＲＳがマッピングされる最後のＯＦＤＭシンボルは、リソースブロックペア内の最後のＯＦＤＭシンボルである。
（Ｂ）図７に示される第２のＤＭＲＳがマッピングされるリソースブロックペア、サブフレームまたはセルには、ＰＤＣＣＨリソースのＯＦＤＭシンボル数が０または１である。端末は、図７に示される第２のＤＭＲＳがマッピングされるリソースブロックペア、サブフレームまたはセルにおいて、０または１以外のＯＦＤＭシンボル数のＰＤＣＣＨリソースが用いられることを想定しない。また、端末に対して２以上のＯＦＤＭシンボル数のＰＤＣＣＨリソースが設定されたとしても、図７に示される第２のＤＭＲＳが用いられる端末は、そのＰＤＣＣＨリソースのＯＦＤＭシンボル数を０または１と想定することができる。
（Ｃ）図７に示される第２のＤＭＲＳがマッピングされるリソースブロックペア、サブフレームまたはセルには、アンテナポート２または３のセル固有参照信号がマッピングされない。すなわち、図７に示される第２のＤＭＲＳがマッピングされるリソースブロックペア、サブフレームまたはセルで用いることができるセル固有参照信号のアンテナポート数は、１または２である。端末は、図７に示される第２のＤＭＲＳがマッピングされるリソースブロックペア、サブフレームまたはセルにおいて、１または２以外のアンテナポート数のセル固有参照信号が用いられることを想定しない。
【０１２７】
また、上記の特徴に対する効果は、以下の通りである。
（ｘ）端末は、参照信号がマッピングされるリソースエレメントを用いて、補間処理を行い、参照信号がマッピングされないリソースエレメントに対する伝搬路を推定できる。また、参照信号がマッピングされるリソースエレメントより外側のリソースエレメント（例えば、図７の例では、第１のスロットにおけるＯＦＤＭシンボル番号０のリソースエレメント）は、外挿法により伝搬路推定を行うことになり、推定精度が劣化する可能性がある。しかしながら、第２のＤＭＲＳは、１つのリソースブロックペアにおいて、時間方向に出来るだけ離れた複数のリソースエレメントにマッピングされるため、外挿法を用いた伝搬路推定を行うリソースエレメントの数を抑制することができる。結果として、第２のＤＭＲＳは、１つのリソースブロックペア内のリソースエレメントに対する全体的な伝搬路の推定精度を高めることができる。
（ｙ）図７に示される第２のＤＭＲＳがマッピングされるリソースエレメントと、２以上のＯＦＤＭシンボル数のＰＤＣＣＨリソースを用いて送信されるＰＤＣＣＨがマッピングされるリソースエレメントとが衝突する可能性が無くなる。さらに、上記の効果（ｘ）に記載の効果がさらに高くなる。
（ｚ）図７に示される第２のＤＭＲＳがマッピングされるリソースエレメントと、アンテナポート２または３のセル固有参照信号がマッピングされるリソースエレメントとが衝突する可能性が無くなる。さらに、上記の効果（ｘ）に記載の効果がさらに高くなる。
【０１２８】
なお、以上で説明した第２のＤＭＲＳパターンは、次の特徴の一部または全部を有することができる。
（１）ＴＤＤで用いられるプライマリー同期信号またはセカンダリー同期信号がマッピングされ得るＯＦＤＭシンボルとは異なるＯＦＤＭシンボルのリソースエレメントを用いる。
（２）ＦＤＤで用いられるプライマリー同期信号またはセカンダリー同期信号がマッピングされ得るＯＦＤＭシンボルとは異なるＯＦＤＭシンボルのリソースエレメントを用いる。
（３）ＣＳＩ−ＲＳがマッピングされ得るリソースエレメントとは異なるリソースエレメントを用いる。
【０１２９】
また、上記の特徴に対する効果は、以下の通りである。
（ａ）第２のＤＭＲＳがマッピングされるリソースエレメントと、ＴＤＤで用いられるプライマリー同期信号またはセカンダリー同期信号がマッピングされるリソースエレメントとは異なる。そのため、第２のＤＭＲＳと、ＴＤＤで用いられるプライマリー同期信号および／またはセカンダリー同期信号が１つのリソースブロックペアに同時にマッピングされたとしても、それぞれ受信品質は維持できる。
（ｂ）第２のＤＭＲＳがマッピングされるリソースエレメントと、ＦＤＤで用いられるプライマリー同期信号またはセカンダリー同期信号がマッピングされるリソースエレメントとは異なる。そのため、第２のＤＭＲＳと、ＦＤＤで用いられるプライマリー同期信号および／またはセカンダリー同期信号が１つのリソースブロックペアに同時にマッピングされたとしても、それぞれ受信品質は維持できる。
（ｃ）第２のＤＭＲＳがマッピングされるリソースエレメントと、ＣＳＩ−ＲＳがマッピングされるリソースエレメントとは異なる。そのため、第２のＤＭＲＳと、ＣＳＩ−ＲＳが１つのリソースブロックペアに同時にマッピングされたとしても、それぞれ受信品質は維持できる。
【０１３０】
また、第１のＤＭＲＳおよび第２のＤＭＲＳにおける複素変調シンボルａｋ，ｌ（ｐ）の一例は数式（１）で表される。
【０１３１】
【数１】
2014141920.tif 000003
【０１３２】
ただし、ｋはシステム帯域幅におけるサブキャリア番号を示し、ｌはスロットにおけるＯＦＤＭシンボル番号を示す。ｐはアンテナポート番号を示す。ａｋ，ｌ（ｐ）は、サブキャリアｋとＯＦＤＭシンボルｌのリソースエレメントにマッピングされる、アンテナポートｐの複素変調シンボルを示す。Ｗｐ（ｉ）はアンテナポートｐに対する４チップの直交系列を示し、ｉは直交系列のインデックスを示す。ｎＰＲＢはシステム帯域幅における物理リソースブロック番号を示す。ＮＲＢｍａｘ,ＤＬは下りリンクのリソースブロックの最大数を示し、例えば１１０である。ＮｓｃＲＢは１つのリソースブロックを構成するサブキャリア数を示し、例えば１２である。ｎｓは無線フレームにおけるスロット番号である。ｒ（ｍ）は擬似ランダム系列を示し、ｍは擬似ランダム系列のインデックスを示す。
【０１３３】
数式（１）において、ｘおよびｙは、ＤＭＲＳを生成するための値であり、第１のＤＭＲＳまたは第２のＤＭＲＳに対して設定または規定される値である。ｘおよびｙに基づいて、第１のＤＭＲＳまたは第２のＤＭＲＳのマッピングパターンが決定される。例えば、図５に示された第１のＤＭＲＳでは、ｘおよびｙはそれぞれ５および０である。図６に示された第２のＤＭＲＳでは、ｘおよびｙはそれぞれ２および３である。図７に示された第２のＤＭＲＳでは、ｘおよびｙはそれぞれ１および４である。
【０１３４】
すなわち、ＤＭＲＳを生成するための値に基づいて、第１のＤＭＲＳまたは第２のＤＭＲＳが決定できる。数式（１）で表される例では、ＤＭＲＳを生成するための値は、ＤＭＲＳをマッピングするＯＦＤＭシンボルのインデックスを決定するために用いられたが、これに限定されるものではない。例えば、ＤＭＲＳを生成するための値は、ＤＭＲＳをマッピングするサブキャリアのインデックス、直交系列のインデックス、または、擬似ランダム系列のインデックスを決定するために用いられてもよい。また、第１のＤＭＲＳと第２のＤＭＲＳとが切り替えて用いられる場合、ＤＭＲＳを生成するための値が切り替えて設定されてもよい。すなわち、第１のＤＭＲＳと第２のＤＭＲＳにおいて、ＤＭＲＳを生成するための数式は同一であり、その数式に用いられる値（パラメータ）が異なる。これにより、第１のＤＭＲＳと第２のＤＭＲＳとを生成する基地局１００および端末２００において、それらのＤＭＲＳを生成するための処理と記憶容量が軽減できる。
【０１３５】
以上、第１のＤＭＲＳと第２のＤＭＲＳとを説明した。基地局１００および端末２００は、これらを切り替えて用いることができる。次に、何に応じて切り替えるかを説明する。
【０１３６】
１つの例としては、送信モードにより切り替えることができる。
【０１３７】
送信モードは、基地局１００が端末２００に対して通信する送信方法を示す情報である。また、送信モードは、送信モード１〜１１として予め規定される。送信モードは、基地局１００からＲＲＣシグナリングを通じて、端末２００に設定される。送信モードは、対応するＤＣＩフォーマットを規定する。すなわち、端末２００は、基地局１００から設定された送信モードによって、モニタリングする制御チャネルのＤＣＩフォーマットを決定する。
【０１３８】
送信モード１はアンテナポート０を用いるシングルアンテナポート送信方式を用いる送信モードである。送信モード２は送信ダイバーシチ方式を用いる送信モードである。送信モード３は、循環遅延ダイバーシチ方式を用いる送信モードである。送信モード４は、閉ループ空間多重方式を用いる送信モードである。送信モード５は、マルチユーザＭＩＭＯ方式を用いる送信モードである。送信モード６は、シングルアンテナポートを用いる閉ループ空間多重方式を用いる送信モードである。送信モード７は、アンテナポート５を用いるシングルアンテナポート送信方式を用いる送信モードである。送信モード８は、アンテナポート７〜８を用いる閉ループ空間多重方式を用いる送信モードである。送信モード９は、アンテナポート７〜１４を用いる閉ループ空間多重方式を用いる送信モードである。
【０１３９】
送信モード１０は、アンテナポート７〜１４を用いる閉ループ空間多重方式を用いる送信モードである。送信モード１０は、複数のＣＳＩ−ＲＳと、それらのＣＳＩ−ＲＳを用いたフィードバック情報を通知することができる送信モードである。例えば、送信モード１０は、ＣｏＭＰ通信が可能な送信モードとすることができる。また、送信モード１０は、第１の送信モードとも呼称される。なお、第１の送信モードは、送信モード１０に加えて、送信モード１〜９の一部または全部を含んでもよい。例えば、第１の送信モードは、送信モード８、９および１０を示すことができる。
【０１４０】
送信モード１１は、送信モード１〜１０とは異なる送信モードである。送信モード１１は、送信モード１０で可能な機能の一部または全部を含むことができる。送信モード１１は、アンテナポート７〜１４を用いる閉ループ空間多重方式を用いる送信モードであるかもしれない。送信モード１１は、ＴＤＤ（Time Division Duplexing）方式において、上りリンクサブフレームと下りリンクサブフレームをフレキシブルに切り替えることができるフレキシブルサブフレームを設定することができる送信モードであるかもしれない。
【０１４１】
また、送信モード１１は、第２の送信モードとも呼称される。
【０１４２】
このように、送信モード（例えば、送信モード１１であるか、それ以外の送信モードであるか）に応じて切り替えることができる。
【０１４３】
他の１つの例としては、ＥＰＤＣＣＨの設定に応じて切り替えることができる。
【０１４４】
ＥＰＤＣＣＨの設定には、ＥＰＤＣＣＨサブフレーム設定（ＥＰＤＣＣＨをモニタリングするサブフレームの設定）、ＥＰＤＣＣＨスタートシンボル設定、ＥＰＤＣＣＨ−ＰＲＢセットＩＤ設定（ＥＰＤＣＣＨ−ＰＲＢセットに振られるインデクスの設定）、ＥＰＤＣＣＨ送信タイプ設定、ＥＰＤＣＣＨリソースブロック割当設定、ＥＰＤＣＣＨスクランブリング系列初期化設定（ＥＰＤＣＣＨ用ＤＭＲＳのスクランブリング系列を初期化するためのパラメータの設定）、ＰＵＣＣＨオフセット設定、リソースエレメントマッピングおよび擬似コロケーション設定などが含まれる。
【０１４５】
例えば、ＥＰＤＣＣＨスタートシンボル設定により、サブフレーム中でＥＰＤＣＣＨがマッピングされる最初のＯＦＤＭシンボルが何番目のＯＦＤＭシンボルであるかが設定される。ＥＰＤＣＣＨがマッピングされる最初のＯＦＤＭシンボルとしては，ＯＦＤＭシンボル＃０（１番目のＯＦＤＭシンボル）からＯＦＤＭシンボル＃４（５番目のＯＦＤＭシンボル）のいずれかが設定される。ＥＰＤＣＣＨがマッピングされる最初のＯＦＤＭシンボルが所定のＯＦＤＭシンボルよりも前であるか、以降であるかに応じて切り替えることができる。極端な例では、ＥＰＤＣＣＨがマッピングされる最初のＯＦＤＭシンボルが、サブフレーム中の最初のＯＦＤＭシンボルであるか、それ以外のＯＦＤＭシンボルであるかに応じて切り替えることができる。
【０１４６】
あるいは、例えば、リソースエレメントマッピングおよび擬似コロケーション設定により、サブフレーム中でＥＰＤＣＣＨがマッピングされる際に考慮されるＣＲＳのポート数が設定される。ＥＰＤＣＣＨがマッピングされる際に考慮されるＣＲＳのポート数としては，０、１、２、および４のうちのいずれかが設定される。ＥＰＤＣＣＨがマッピングされる際に考慮されるＣＲＳのポート数が所定数よりも小さいか、所定数以上であるかに応じて切り替えることができる。極端な例では、ＥＰＤＣＣＨがマッピングされる際に考慮されるＣＲＳのポート数が０であるか、それ以外の値であるかに応じて切り替えることができる。
【０１４７】
あるいは、例えば、ＥＰＤＣＣＨ送信タイプ設定により、ＥＰＤＣＣＨの送信タイプが設定される。ＥＰＤＣＣＨの送信タイプとしては，分散送信および局所送信のうちのいずれかが設定される。分散送信では、１つのＥＰＤＣＣＨが複数のＰＲＢにおけるＥＲＥＧにマッピングされることにより、周波数ダイバーシチ効果を得ることができる。一方、局所送信では、１つのＥＰＤＣＣＨが１つ（あるいは少数）のＰＲＢにおけるＥＲＥＧにマッピングされることにより、チャネル特性の良好な周波数を用いて送受信されることができる。ＥＰＤＣＣＨの送信タイプが分散送信であるか、局所送信であるかに応じて切り替えることができる。
【０１４８】
このように、ＥＰＤＣＣＨの設定に応じて切り替えることができる。
【０１４９】
他の１つの例としては、サーチスペースのタイプに応じて切り替えることができる。
【０１５０】
ＥＰＤＣＣＨが配置されるサーチスペースのタイプとしては、共通サーチスペース（セル固有サーチスペース）と端末固有サーチスペースがある。共通サーチスペース（ＣＳＳ；Common Search Space）には、システム情報あるいはページングに関する情報など、複数の端末が読む制御情報が割り当てられた（含まれた）ＥＰＤＣＣＨ、あるいは下位の送信方式へのフォールバックやランダムアクセスや送信電力制御の指示を示す下りリンク／上りリンクグラントが割り当てられた（含まれた）ＥＰＤＣＣＨを配置することができる。より具体的には、ＣＳＳには、システム情報用識別子（ＳＩ−ＲＮＴＩ；System Information-Radio Network Temporary Identifier）、ページング用識別子（Ｐ−ＲＮＴＩ；Paging-RNTI）、ランダムアクセス用識別子（ＲＡ−ＲＮＴＩ；Random Access-RNTI）あるいは送信電力制御識別子（ＴＰＣ−ＲＮＴＩ）によりスクランブルされたＣＲＣが付加されたＥＰＤＣＣＨが配置可能である。一方、端末固有サーチスペース（ＵＳＳ；UE-specific SS）には、これらの識別子によりスクランブルされたＣＲＣが付加されたＥＰＤＣＣＨが配置できない。なお、これらの識別子は、１つ以上（複数を含む）の端末に対して１つ割り当てられる識別子であり、これらの識別子によりスクランブルされたＣＲＣが付加されたＰＤＣＣＨは、１つ以上の端末が受信処理を行うかもしれない。なお、Ｃ−ＲＮＴＩ（Cell-RNTI）、ＳＰＳ−Ｃ−ＲＮＴＩ（Semi Persistent Scheduling―C-RNTI）あるいはＴｅｍｐｏｒａｌｙ  Ｃ−ＲＮＴＩなど１つの端末に対して１つ割り当てられる端末固有識別子によりスクランブルされたＣＲＣが付加されたＥＰＤＣＣＨは、ＣＳＳにもＵＳＳにも配置される。
【０１５１】
このように、サーチスペースのタイプ（共通サーチスペースであるか、端末固有サーチスペースであるか）に応じて切り替えることができる。
【０１５２】
あるいは、他の１つの例としては、明示的なシグナリング（いずれを用いるかの指示／設定）によって切り替えることができる。明示的なシグナリングとしては、専用ＲＲＣシグナリングやＭＡＣシグナリングなどの準静的なシグナリング、あるいはＤＣＩフォーマット中の所定フィールドを用いる動的なシグナリングなどを用いることができる。
【０１５３】
以上、何に応じて切り替えるかを説明した。次に、基地局１００および端末２００は、これらに応じて、第１のＤＭＲＳ（第１のＤＭＲＳパターンが用いられるＤＭＲＳ）と第２のＤＭＲＳ（第２のＤＭＲＳパターンが用いられるＤＭＲＳ）とを切り替えて用いる具体的な例を説明する。
【０１５４】
基地局１００および端末２００は、第１のＤＭＲＳと第２のＤＭＲＳとを切り替えて用いることができる。基地局１００および端末２００は、端末２００宛のチャネルに関連付けられる第１のＤＭＲＳまたは第２のＤＭＲＳを、所定の方法により選択する。基地局１００は、端末２００宛のチャネルと、選択された第１のＤＭＲＳまたは第２のＤＭＲＳとを、１つ以上のリソースブロックペアの一部または全部にマッピングし、端末２００に送信する。端末２００は、基地局１００から送信された端末２００宛のチャネルと、そのチャネルに関連付けられたＤＭＲＳとを受信し、そのＤＭＲＳを用いて、そのチャネルに対して処理する。その時、端末２００は、そのＤＭＲＳが、選択された第１のＤＭＲＳまたは第２のＤＭＲＳであると想定する。また、チャネルに対する処理は、そのチャネルに対して行われる様々な処理を含み、例えば、復調処理、復号処理、伝搬路推定処理、検出処理などである。
【０１５５】
基地局１００および端末２００において、第１のＤＭＲＳと第２のＤＭＲＳとの切り替え（選択）は、様々な方法が用いられることができる。
【０１５６】
基地局１００および端末２００における第１のＤＭＲＳと第２のＤＭＲＳとの切り替え（選択）方法の一例が説明される。この例では、基地局１００および端末２００は、基地局１００が端末２００に対して設定する送信モードに応じて、チャネルに対する処理に用いられるＤＭＲＳを切り替える。
【０１５７】
基地局１００が端末２００に設定した送信モードが第１の送信モードである場合、基地局１００は、端末２００に対するチャネルに関連付けられるＤＭＲＳとして、第１のＤＭＲＳを選択する。基地局１００が端末２００に設定した送信モードが第２の送信モードである場合、基地局１００は、端末２００に対するチャネルに関連付けられるＤＭＲＳとして、第２のＤＭＲＳを選択する。基地局１００は、選択された第１のＤＭＲＳまたは第２のＤＭＲＳと、そのＤＭＲＳに関連付けられるチャネルとを、所定のリソースブロックペアにマッピングして、端末２００に送信する。
【０１５８】
一方、端末２００に対して基地局１００により設定された送信モードが第１の送信モードである場合、端末２００は、基地局１００から送信されるチャネルに関連付けられるＤＭＲＳとして、第１のＤＭＲＳを選択する。端末２００に対して基地局１００により設定された送信モードが第２の送信モードである場合、端末２００は、基地局１００から送信されるチャネルに関連付けられるＤＭＲＳとして、第２のＤＭＲＳを選択する。端末２００は、選択された第１のＤＭＲＳまたは第２のＤＭＲＳと、そのＤＭＲＳに関連付けられるチャネルとを、所定のリソースブロックペアからデマッピングする。端末２００は、選択された第１のＤＭＲＳまたは第２のＤＭＲＳを用いて、そのＤＭＲＳがマッピングされたリソースブロックペアにおけるチャネルに対する処理を行う。
【０１５９】
図８は、第１のＤＭＲＳと第２のＤＭＲＳとの選択方法の一例を用いた端末のフローチャートを示す図である。この例では、基地局１００および端末２００における第１のＤＭＲＳと第２のＤＭＲＳとの切り替え（選択）が、基地局１００の端末２００に対して設定される送信モードに応じて行われる。
【０１６０】
ステップＳ１１において、端末２００は、基地局１００から、ＲＲＣシグナリングを通じて、送信モードが設定される。ステップＳ１２において、端末２００は、基地局１００から設定された送信モードが、第１の送信モードまたは第２の送信モードを識別する。基地局１００から設定された送信モードが第１の送信モードである場合、ステップＳ１３において、端末２００は、チャネルに対する処理に用いられるＤＭＲＳとして、第１のＤＭＲＳを選択する。一方、基地局１００から設定された送信モードが第２の送信モードである場合、ステップＳ１４において、端末２００は、チャネルに対する処理に用いられるＤＭＲＳとして、第２のＤＭＲＳを選択する。ステップＳ１５において、端末２００は、選択されたＤＭＲＳを用いて、チャネルに対する処理を行う。
【０１６１】
以上で説明した方法を用いることにより、基地局１００は、端末２００に対して、第１のＤＭＲＳと第２のＤＭＲＳとを適応的に切り替えられる。また、第１のＤＭＲＳと第２のＤＭＲＳとの切り替えにより、それらのＤＭＲＳが有する異なる特徴または効果が切り替えられる。例えば、第１のＤＭＲＳおよび第２のＤＭＲＳをサポートする端末が、第１のＤＭＲＳを選択するように設定されることによって、その端末と、第１のＤＭＲＳのみをサポートする別の端末とが、同一のリソースブロックペアにマッピングされるＤＭＲＳを共有できる。例えば、第１のＤＭＲＳおよび第２のＤＭＲＳをサポートする端末と、第１のＤＭＲＳのみをサポートする別の端末とが、同一のリソースブロックペアにマッピングされるＤＭＲＳを共有しない場合、第１のＤＭＲＳおよび第２のＤＭＲＳをサポートする端末が、第２のＤＭＲＳを選択するように設定されることによって、その端末における伝搬路の推定精度が向上するかもしれない。また、その切り替えが、基地局１００から端末２００に設定される送信モードに応じて行われることにより、その切り替えを指定する制御情報のオーバーヘッドが削減できる。
【０１６２】
基地局１００および端末２００における第１のＤＭＲＳと第２のＤＭＲＳとの切り替え（選択）方法の別の一例が説明される。この例では、基地局１００および端末２００は、基地局１００が端末２００に対して第２のＤＭＲＳを設定するか否かに応じて、チャネルに対する処理に用いられるＤＭＲＳを切り替える。なお、基地局１００および端末２００は、基地局１００が端末２００に対して第１のＤＭＲＳまたは第２のＤＭＲＳを指定し、その指定に応じて、チャネルに対する処理に用いられるＤＭＲＳを切り替えてもよい。
【０１６３】
基地局１００から端末２００に対する第２のＤＭＲＳの設定は、ＲＲＣシグナリングを通じて行われる。第２のＤＭＲＳは、端末２００に固有に設定される。例えば、第２のＤＭＲＳは、DM-RS-Config-r12というパラメータを用いて設定されることができる。例えば、第２のＤＭＲＳの設定がセットアップされた場合、第２のＤＭＲＳが設定された状態である。また、第２のＤＭＲＳの設定がセットアップされない場合、または、第２のＤＭＲＳの設定がリリースされた場合、第２のＤＭＲＳが設定されない状態である。また、例えば、第２のＤＭＲＳの設定が１またはＴｒｕｅである場合、第２のＤＭＲＳが設定された状態である。また、第２のＤＭＲＳの設定が０またはＦａｌｓｅである場合、第２のＤＭＲＳが設定されない状態である。
【０１６４】
基地局１００が端末２００に第２のＤＭＲＳを設定しない場合、基地局１００は、端末２００に対するチャネルに関連付けられるＤＭＲＳとして、第１のＤＭＲＳを選択する。基地局１００が端末２００に第２のＤＭＲＳを設定した場合、基地局１００は、端末２００に対するチャネルに関連付けられるＤＭＲＳとして、第２のＤＭＲＳを選択する。基地局１００は、選択された第１のＤＭＲＳまたは第２のＤＭＲＳと、そのＤＭＲＳに関連付けられるチャネルとを、所定のリソースブロックペアにマッピングして、端末２００に送信する。
【０１６５】
一方、端末２００に対して基地局１００により第２のＤＭＲＳが設定されない場合、端末２００は、基地局１００から送信されるチャネルに関連付けられるＤＭＲＳとして、第１のＤＭＲＳを選択する。端末２００に対して基地局１００により第２のＤＭＲＳが設定された場合、端末２００は、基地局１００から送信されるチャネルに関連付けられるＤＭＲＳとして、第２のＤＭＲＳを選択する。端末２００は、選択された第１のＤＭＲＳまたは第２のＤＭＲＳと、そのＤＭＲＳに関連付けられるチャネルとを、所定のリソースブロックペアからデマッピングする。端末２００は、選択された第１のＤＭＲＳまたは第２のＤＭＲＳを用いて、そのＤＭＲＳがマッピングされたリソースブロックペアにおけるチャネルに対する処理を行う。
【０１６６】
図９は、第１のＤＭＲＳと第２のＤＭＲＳとの選択方法の別の一例を用いた端末のフローチャートを示す図である。この例では、基地局１００および端末２００における第１のＤＭＲＳと第２のＤＭＲＳとの切り替え（選択）は、基地局１００から端末２００に第２のＤＭＲＳが設定されたか否かに応じて行われる。
【０１６７】
ステップＳ２１において、端末２００は、基地局１００から第２のＤＭＲＳが設定されたか否かを識別する。基地局１００から第２のＤＭＲＳが設定されない場合、ステップＳ２２において、端末２００は、第１のＤＭＲＳを選択する。一方、基地局１００から第２のＤＭＲＳが設定された場合、ステップＳ２３において、端末２００は、第２のＤＭＲＳを選択する。ステップＳ２４において、端末２００は、選択されたＤＭＲＳを用いて、チャネルに対する処理を行う。
【０１６８】
以上で説明した方法を用いることにより、基地局１００は、端末２００に対して、第１のＤＭＲＳと第２のＤＭＲＳとを適応的に切り替えられる。また、第１のＤＭＲＳと第２のＤＭＲＳとの切り替えにより、それらのＤＭＲＳが有する異なる特徴または効果が切り替えられる。例えば、第１のＤＭＲＳおよび第２のＤＭＲＳをサポートする端末が、第１のＤＭＲＳを選択するように設定されることによって、その端末と、第１のＤＭＲＳのみをサポートする別の端末とが、同一のリソースブロックペアにマッピングされるＤＭＲＳを共有できる。例えば、第１のＤＭＲＳおよび第２のＤＭＲＳをサポートする端末と、第１のＤＭＲＳのみをサポートする別の端末とが、同一のリソースブロックペアにマッピングされるＤＭＲＳを共有しない場合、第１のＤＭＲＳおよび第２のＤＭＲＳをサポートする端末が、第２のＤＭＲＳを選択するように設定されることによって、その端末における伝搬路の推定精度が向上するかもしれない。また、その切り替えが、基地局１００から端末２００に対して、第２のＤＭＲＳが設定されたか否かに応じて行われることにより、その切り替えは、送信モード等を含む他の設定情報とは独立に設定できる。そのため、基地局１００は端末２００に対して、第２のＤＭＲＳの設定を柔軟に行うことができ、柔軟なスケジューリングを実現できる。
【０１６９】
基地局１００および端末２００における第１のＤＭＲＳと第２のＤＭＲＳとの切り替え（選択）方法の別の一例が説明される。この例では、基地局１００および端末２００は、ＰＤＳＣＨ用のＤＭＲＳおよび／またはＥＰＤＣＣＨ用のＤＭＲＳを、ＥＰＤＣＣＨに対する他の設定に応じて切り替える。
【０１７０】
基地局１００および端末２００は、ＰＤＳＣＨ用のＤＭＲＳおよび／またはＥＰＤＣＣＨ用のＤＭＲＳを、ＥＰＤＣＣＨに関する設定に含まれるスタートシンボルに関する設定に応じて切り替えることができる。スタートシンボルに関する設定は、ＥＰＤＣＣＨと、そのＥＰＤＣＣＨによってスケジューリングされたＰＤＳＣＨに対して、リソースブロックペアにおけるスタートするＯＦＤＭシンボルを示す。
【０１７１】
例えば、第２のＤＭＲＳがマッピングされるリソースエレメントの一部または全部が、そのスタートシンボルによって設定されるリソース内のリソースエレメントに含まれない場合、基地局１００および端末２００は、そのＰＤＳＣＨおよび／またはＥＰＤＣＣＨに対する処理に、第１のＤＭＲＳを用いる。第２のＤＭＲＳがマッピングされるリソースエレメントの全部が、そのスタートシンボルによって設定されるリソース内のリソースエレメントに含まれる場合、基地局１００および端末２００は、そのＰＤＳＣＨおよび／またはＥＰＤＣＣＨに対する処理に、第２のＤＭＲＳを用いる。
【０１７２】
基地局１００および端末２００におけるＥＰＤＣＣＨ用の第１のＤＭＲＳとＥＰＤＣＣＨ用の第２のＤＭＲＳとの切り替え（選択）方法の別の一例が説明される。この例では、基地局１００および端末２００は、基地局１００が端末２００に対して設定されるＥＰＤＣＣＨに関する設定に、ＤＭＲＳに関する設定を含め、その設定に応じてＥＰＤＣＣＨに対する処理に用いられるＤＭＲＳを切り替える。
【０１７３】
例えば、ＥＰＤＣＣＨに関する設定は、ＥＰＤＣＣＨに対する処理に用いられるＤＭＲＳが第２のＤＭＲＳであるか否かを示す情報を含めることができる。ＥＰＤＣＣＨに関する設定は、ＥＰＤＣＣＨに対する処理に用いられるＤＭＲＳが、第１のＤＭＲＳまたは第２のＤＭＲＳであることを指定する情報を含めることができる。
【０１７４】
基地局１００が端末２００に対して複数のＥＰＤＣＣＨセットを設定する場合、ＥＰＤＣＣＨ用のＤＭＲＳはＥＰＤＣＣＨセット毎に独立に設定または規定できる。これにより、ＥＰＤＣＣＨ用のＤＭＲＳに関する設定は、柔軟に行うことができる。また、基地局１００が端末２００に対して複数のＥＰＤＣＣＨセットを設定する場合でも、ＥＰＤＣＣＨ用のＤＭＲＳに関する設定は、設定されたＥＰＤＣＣＨセットの一部または全部で同じにすることができる。これにより、ＥＰＤＣＣＨ用のＤＭＲＳに関する設定の情報のオーバーヘッドが低減できる。
【０１７５】
基地局１００および端末２００におけるＥＰＤＣＣＨ用の第１のＤＭＲＳとＥＰＤＣＣＨ用の第２のＤＭＲＳとの切り替え（選択）方法の別の一例が説明される。この例では、基地局１００および端末２００は、ＥＰＤＣＣＨ用のＤＭＲＳを、ＥＰＤＣＣＨセットに対する他の設定に応じて切り替える。
【０１７６】
基地局１００が端末２００に対して、ＥＰＤＣＣＨセット毎に設定されるＥＰＤＣＣＨに関する設定は、そのＥＰＤＣＣＨセットが分散送信または局所送信であることを示す情報を含めることができる。基地局１００および端末２００は、ＥＰＤＣＣＨ用のＤＭＲＳを、ＥＰＤＣＣＨセットが分散送信または局所送信に応じて切り替えることができる。
【０１７７】
例えば、ＥＰＤＣＣＨセットが分散送信である場合、基地局１００および端末２００は、そのＥＰＤＣＣＨセット内のＥＰＤＣＣＨに対する処理に、第１のＤＭＲＳを用いる。ＥＰＤＣＣＨセットが局所送信である場合、基地局１００および端末２００は、そのＥＰＤＣＣＨセット内のＥＰＤＣＣＨに対する処理に、第２のＤＭＲＳを用いる。
【０１７８】
ここで、ＥＰＤＣＣＨセットが分散送信である場合、そのＥＰＤＣＣＨセット内のＥＰＤＣＣＨに対する処理に用いられるＤＭＲＳが複数の端末で共有される可能性がある。ＥＰＤＣＣＨセットが局所送信である場合、そのＥＰＤＣＣＨセット内のＥＰＤＣＣＨに対する処理に用いられるＤＭＲＳが複数の端末で共有される可能性がない。そのため、以上の方法を用いることにより、それぞれのＤＭＲＳに対する効果が高められる。
【０１７９】
基地局１００および端末２００におけるＥＰＤＣＣＨ用の第１のＤＭＲＳとＥＰＤＣＣＨ用の第２のＤＭＲＳとの切り替え（選択）方法の別の一例が説明される。この例では、基地局１００および端末２００は、ＥＰＤＣＣＨ用のＤＭＲＳを、ＥＰＤＣＣＨに対する他の設定に応じて切り替える。
【０１８０】
基地局１００および端末２００は、ＥＰＤＣＣＨ用のＤＭＲＳを、モニタリングするＥＰＤＣＣＨのサーチスペースに応じて切り替えることができる。サーチスペースは、端末固有サーチスペースまたはセル固有サーチスペースである。
【０１８１】
例えば、モニタリングするＥＰＤＣＣＨがセル固有サーチスペースである場合、基地局１００および端末２００は、そのＥＰＤＣＣＨに対する処理に、第１のＤＭＲＳを用いる。ＥＰＤＣＣＨセットが端末固有サーチスペースである場合、基地局１００および端末２００は、そのＥＰＤＣＣＨに対する処理に、第２のＤＭＲＳを用いる。
【０１８２】
ここで、端末固有サーチスペースは、基地局１００が端末２００に固有に設定するＥＰＤＣＣＨセット内のサーチスペースである。セル固有サーチスペースは、基地局１００に固有のＥＰＤＣＣＨセット内のサーチスペースであり、基地局１００に接続する端末で共有することができる。また、セル固有サーチスペースを構成するＥＰＤＣＣＨセットは、予め規定できる。また、セル固有サーチスペースを構成するＥＰＤＣＣＨセットは、基地局１００の報知情報を通じて設定できる。そのため、以上の方法を用いることにより、それぞれのＤＭＲＳに対する効果が高められる。
【０１８３】
あるいは、モニタリングするＥＰＤＣＣＨが端末固有サーチスペースである場合、基地局１００および端末２００は、そのＥＰＤＣＣＨに対する処理に、第１のＤＭＲＳを用いる。ＥＰＤＣＣＨセットがセル固有サーチスペースである場合、基地局１００および端末２００は、そのＥＰＤＣＣＨに対する処理に、第２のＤＭＲＳを用いる。これにより、セル固有サーチスペースに配置されて送受信されるＥＰＤＣＣＨは、チャネルの時間変動に強くなる。
【０１８４】
基地局１００および端末２００におけるＰＤＳＣＨ用の第１のＤＭＲＳとＰＤＳＣＨ用の第２のＤＭＲＳとの切り替え（選択）方法の別の一例が説明される。この例では、基地局１００および端末２００は、ＰＤＳＣＨ用のＤＭＲＳを、そのＰＤＳＣＨをスケジューリングするＤＣＩを通知するＥＰＤＣＣＨに関連付けられるＤＭＲＳに応じて切り替える。
【０１８５】
例えば、ＥＰＤＣＣＨ用の第１のＤＭＲＳが用いられる場合、基地局１００および端末２００は、そのＥＰＤＣＣＨにより通知されるＤＣＩがスケジューリングするＰＤＳＣＨに関連付けられるＤＭＲＳとして、ＰＤＳＣＨ用の第１のＤＭＲＳを用いる。ＥＰＤＣＣＨ用の第２のＤＭＲＳが用いられる場合、基地局１００および端末２００は、そのＥＰＤＣＣＨにより通知されるＤＣＩがスケジューリングするＰＤＳＣＨに関連付けられるＤＭＲＳとして、ＰＤＳＣＨ用の第２のＤＭＲＳを用いる。
【０１８６】
また、例えば、ＥＰＤＣＣＨ用の第１のＤＭＲＳが用いられる場合、基地局１００および端末２００は、そのＥＰＤＣＣＨにより通知されるＤＣＩがスケジューリングするＰＤＳＣＨに関連付けられるＤＭＲＳとして、ＰＤＳＣＨ用の第１のＤＭＲＳを用いる。ＥＰＤＣＣＨ用の第２のＤＭＲＳが用いられる場合、基地局１００および端末２００は、そのＥＰＤＣＣＨにより通知されるＤＣＩがスケジューリングするＰＤＳＣＨに関連付けられるＤＭＲＳとして、ＰＤＳＣＨ用の第１のＤＭＲＳまたはＰＤＳＣＨ用の第２のＤＭＲＳを用いる。ＰＤＳＣＨ用の第１のＤＭＲＳまたはＰＤＳＣＨ用の第２のＤＭＲＳの切り替えは、他の方法を用いることができる。
【０１８７】
以上の方法を用いることにより、ＰＤＳＣＨ用のＤＭＲＳに関する設定情報のオーバーヘッドが低減できる。
【０１８８】
なお、第１の実施形態で説明した第１のＤＭＲＳと第２のＤＭＲＳとの切り替えは、第２のＤＭＲＳをサポートしない端末が用いることができないリソースで、適用されるようにしてもよい。一方、第２のＤＭＲＳをサポートしない端末が用いることができるリソースでは、第１のＤＭＲＳのみを用いるようにしてもよい。例えば、第２のＤＭＲＳをサポートしない端末が用いることができないリソースは、キャリア、リソースブロック、サブフレーム、無線フレーム、コンポーネントキャリア等を単位としたリソースである。
【０１８９】
＜第２の実施形態＞
以下、本発明の第２の実施形態について説明する。第１の実施形態では、第１のＤＭＲＳと第２のＤＭＲＳとを切り替える場合について説明した。本実施形態では、この他の処理を切り替える場合について説明する。なお、本実施形態と第１の実施形態との違いは、切り替える対象である。何に基づいて切り替えるか（切り替えの基となる指示／設定）は、第１の実施形態で説明したものと同様のものを用いることができる。本実施形態における基地局および端末は、本発明の第１の実施形態で説明した基地局および端末と同様の構成をとることができる。以下では、本発明の第１の実施形態での説明と異なる部分（切り替える対象となる第１の状態と第２の状態）を説明する。
【０１９０】
次に、以下では、第１の状態と第２の状態との相違点の詳細を説明する。既に説明したように、基地局１００と端末２００は、第１の状態と第２の状態のように複数の状態を用いることができる。状態基地局１００と端末２００は、異なる状態に対して、様々な処理（送信処理や受信処理など）、構成（チャネル構成や信号構成など）、あるいは設定を切り替える（選択する）ことができる。
【０１９１】
第１の状態と第２の状態の一例は、ＣＳＩ−ＲＳの設定に関する。ＣＳＩ−ＲＳの設定可能な値は、第１の状態と第２の状態で、それぞれ異ならせることができる。例えば、第２の状態におけるＣＳＩ−ＲＳの設定可能な値は、第１の状態におけるＣＳＩ−ＲＳの設定可能な値の一部である。特に、第２の状態において第２のＤＭＲＳパターンが用いられる場合、ＤＭＲＳがＣＳＩ−ＲＳがマッピングされるリソースエレメントを用いて構成されることがあり得るため、そのようなＣＳＩ−ＲＳの設定を除外することは、基地局１００と端末２００におけるＣＳＩ−ＲＳに関する設定をミスする可能性を低くできる。なお、ＣＳＩ−ＲＳの設定可能な値は、送信モードに応じて切り替えてもよい。特に、第１のＤＭＲＳと第２のＤＭＲＳとの切り替えが送信モードによって行われる場合にも適用することができる。
【０１９２】
第１の状態と第２の状態の一例は、ＰＤＳＣＨ用のＤＭＲＳの生成処理である。
【０１９３】
基地局１００と端末２００で生成されるＤＭＲＳは、ＤＭＲＳを構成するシーケンス（系列）等を切り替える。ＤＭＲＳのシーケンスは、スクランブル系列（擬似ランダム系列）と直交系列（直交符号（例えばアダマール符号））とを用いて構成される。
【０１９４】
第１の状態におけるＰＤＳＣＨ用のＤＭＲＳと第２の状態におけるＰＤＳＣＨ用のＤＭＲＳは、それぞれ独立に設定または規定されたスクランブル系列を用いて構成されることができる。例えば、スクランブル系列を生成するためのパラメータは、第１の状態におけるＰＤＳＣＨ用のＤＭＲＳと第２の状態におけるＰＤＳＣＨ用のＤＭＲＳに対して、それぞれ独立に設定することができる。スクランブル系列を生成するための初期値は、ＲＲＣを通じて設定される仮想セルＩＤ（ＤＭＲＳスクランブリング系列初期化パラメータ）と、ＰＤＣＣＨおよび／またはＥＰＤＣＣＨを通じて設定されるスクランブルＩＤとを用いて、設定される。仮想セルＩＤおよび／またはスクランブルＩＤは、第１の状態におけるＰＤＳＣＨ用のＤＭＲＳと第２の状態におけるＰＤＳＣＨ用のＤＭＲＳに対して、それぞれ独立に設定することができる。また、第１の状態におけるＰＤＳＣＨ用のＤＭＲＳと第２の状態におけるＰＤＳＣＨ用のＤＭＲＳに対して設定可能な仮想セルＩＤおよび／またはスクランブルＩＤの値が、それぞれ異なるようにすることができる。例えば、第１の状態におけるＰＤＳＣＨ用のＤＭＲＳに対して設定可能なスクランブルＩＤの値は０または１であり、第２の状態におけるＰＤＳＣＨ用のＤＭＲＳに対して設定可能なスクランブルＩＤの値は２または３であるとすることができる。また、仮想セルＩＤおよび／またはスクランブルＩＤは、第１の状態におけるＰＤＳＣＨ用のＤＭＲＳと第２の状態におけるＰＤＳＣＨ用のＤＭＲＳの一方または両方に対して、ＰＤＣＣＨおよび／またはＲＲＣを通じて、設定されてもよい。また、仮想セルＩＤおよび／またはスクランブルＩＤは、第１の状態におけるＰＤＳＣＨ用のＤＭＲＳと第２の状態におけるＰＤＳＣＨ用のＤＭＲＳの一方または両方に対して、予め規定されてもよい。
【０１９５】
また、仮想セルＩＤおよび／またはスクランブルＩＤが、第１の状態におけるＰＤＳＣＨ用のＤＭＲＳと第２の状態におけるＰＤＳＣＨ用のＤＭＲＳの一方または両方に対して、設定されない場合、その仮想セルＩＤおよび／またはスクランブルＩＤは、予め規定された所定の値、別のパラメータに対して設定した値などを用いて設定されることができる。例えば、仮想セルＩＤが第１の状態におけるＰＤＳＣＨ用のＤＭＲＳと第２の状態におけるＰＤＳＣＨ用のＤＭＲＳの一方または両方に対して設定されない場合、その仮想セルＩＤは、そのセルの物理セルＩＤ、プライマリーセルまたはセカンダリーセルの仮想セルＩＤまたは物理セルＩＤとすることができる。また、例えば、仮想セルＩＤおよび／またはスクランブルＩＤが第１の状態におけるＰＤＳＣＨ用のＤＭＲＳと第２の状態におけるＰＤＳＣＨ用のＤＭＲＳの一方に対して設定され、もう一方に設定されない場合、設定されないＰＤＳＣＨ用のＤＭＲＳに対する仮想セルＩＤおよび／またはスクランブルＩＤは、設定されたＰＤＳＣＨ用のＤＭＲＳに対する仮想セルＩＤおよび／またはスクランブルＩＤと同じにすることができる。
【０１９６】
第１の状態におけるＰＤＳＣＨ用のＤＭＲＳと第２の状態におけるＰＤＳＣＨ用のＤＭＲＳは、それぞれ独立に設定または規定された直交系列を用いて構成することができる。例えば、アンテナポートに対して用いられる直交系列が、第１の状態におけるＰＤＳＣＨ用のＤＭＲＳと第２の状態におけるＰＤＳＣＨ用のＤＭＲＳに対して、それぞれ独立に設定または規定される。アンテナポート７〜１４と、アンテナポート７Ａ〜１４Ａとは、対応する直交系列が異ならせることができる。アンテナポート７〜１４に対応する直交系列は、それぞれアンテナポート１１Ａ、１３Ａ、１２Ａ、１４Ａ、７Ａ、９Ａ、８Ａ、１０Ａに対応する直交系列と同じであるかもしれない。
【０１９７】
以上の方法を用いることにより、第１の状態におけるＰＤＳＣＨ用のＤＭＲＳと第２の状態におけるＰＤＳＣＨ用のＤＭＲＳが、それぞれ独立に設定または規定されたスクランブル系列および／または直交系列を用いて構成されるため、第１の状態におけるＰＤＳＣＨ用のＤＭＲＳと第２の状態におけるＰＤＳＣＨ用のＤＭＲＳとが同じリソースに多重された場合であっても、干渉は抑圧される。
【０１９８】
第１の状態と第２の状態の一例は、ＰＤＳＣＨ用のＤＭＲＳの準共同配置（Quasi co-location）に関する設定または規定である。
【０１９９】
あるアンテナポートにおける伝搬路（チャネル）の長区間特性が、他のアンテナポートにおける伝搬路から推測できる場合、それらの２つのアンテナポートは準共同配置と言える。長区間特性は、遅延スプレッド、ドップラースプレッド、ドップラーシフト、平均利得、および／または平均遅延を含む。つまり、２つのアンテナポートが準共同配置である場合、基地局１００および／または端末２００は、それらのアンテナポートにおける伝搬路の長区間特性は同じであると想定することができる。
【０２００】
第１の状態におけるＰＤＳＣＨ用のＤＭＲＳと第２の状態におけるＰＤＳＣＨ用のＤＭＲＳに対する準共同配置は、それぞれ独立に設定または規定できる。例えば、準共同配置に関するオペレーションのタイプが複数規定される場合、それらのタイプは第１の状態におけるＰＤＳＣＨ用のＤＭＲＳと第２の状態におけるＰＤＳＣＨ用のＤＭＲＳに対して、独立に設定できる。第１のタイプ（タイプＡとも呼称される）では、基地局１００および／または端末２００は、ＰＤＳＣＨ用のＤＭＲＳに関連付けられるアンテナポートと、サービングセルのＣＲＳに関連付けられるアンテナポートと、サービングセルのＣＳＩ−ＲＳに関連付けられるアンテナポートと、が準共同配置であると想定する。第２のタイプ（タイプＢとも呼称される）では、基地局１００および／または端末２００は、ＰＤＳＣＨ用のＤＭＲＳに関連付けられるアンテナポートと、基地局１００から端末２００に設定されたＣＳＩ−ＲＳに関連付けられるアンテナポートと、が準共同配置であると想定する。
【０２０１】
また、準共同配置である想定されるＣＳＩ−ＲＳの設定可能な値は、ＰＤＳＣＨ用の第１のＤＭＲＳとＰＤＳＣＨ用の第２のＤＭＲＳに対して、それぞれ異ならせることができる。例えば、ＰＤＳＣＨ用の第２のＤＭＲＳと準共同配置である想定されるＣＳＩ−ＲＳの設定可能な値は、第１の状態におけるＰＤＳＣＨ用のＤＭＲＳと準共同配置である想定されるＣＳＩ−ＲＳの設定可能な値の一部である。特に、第２のＤＭＲＳパターンが用いられる場合、ＤＭＲＳがＣＳＩ−ＲＳがマッピングされ得るリソースエレメントを用いて構成されることがあり得るため、そのようなＣＳＩ−ＲＳの設定を除外することは、基地局１００と端末２００における準共同配置に関する設定をミスする可能性を低くできる。
【０２０２】
また、第１の状態におけるＰＤＳＣＨ用のＤＭＲＳと第２の状態におけるＰＤＳＣＨ用のＤＭＲＳに対する準共同配置は、同じ設定または規定を用いることができる。準共同配置に関するオペレーションのタイプの設定、および／または、準共同配置である想定されるＣＳＩ−ＲＳの設定は、第１の状態におけるＰＤＳＣＨ用のＤＭＲＳと第２の状態におけるＰＤＳＣＨ用のＤＭＲＳに対して、同じにできる。例えば、第１の状態におけるＰＤＳＣＨ用のＤＭＲＳに対する設定が、第２の状態におけるＰＤＳＣＨ用のＤＭＲＳに対しても適用される。
【０２０３】
第１の状態と第２の状態の一例は、ＥＰＤＣＣＨ用のＤＭＲＳの生成処理である。
【０２０４】
基地局１００と端末２００で生成されるＤＭＲＳは、ＤＭＲＳを構成するシーケンス（系列）等を切り替える。ＤＭＲＳのシーケンスは、スクランブル系列（擬似ランダム系列）と直交系列（直交符号）とを用いて構成される。
【０２０５】
第１の状態におけるＥＰＤＣＣＨ用のＤＭＲＳと第２の状態におけるＥＰＤＣＣＨ用のＤＭＲＳは、それぞれ独立に設定または規定されたスクランブル系列を用いて構成されることができる。例えば、スクランブル系列を生成するためのパラメータは、第１の状態におけるＥＰＤＣＣＨ用のＤＭＲＳと第２の状態におけるＥＰＤＣＣＨ用のＤＭＲＳに対して、それぞれ独立に設定することができる。スクランブル系列を生成するための初期値は、ＲＲＣを通じて設定される仮想セルＩＤと、予め規定されるスクランブルＩＤとを用いて、設定される。仮想セルＩＤおよび／またはスクランブルＩＤは、第１の状態におけるＥＰＤＣＣＨ用のＤＭＲＳと第２の状態におけるＥＰＤＣＣＨ用のＤＭＲＳに対して、それぞれ独立に設定または規定することができる。また、第１の状態におけるＥＰＤＣＣＨ用のＤＭＲＳと第２の状態におけるＥＰＤＣＣＨ用のＤＭＲＳに対して設定可能な仮想セルＩＤおよび／またはスクランブルＩＤの値が、それぞれ異なるようにすることができる。例えば、第１の状態におけるＥＰＤＣＣＨ用のＤＭＲＳに対して規定されるスクランブルＩＤの値は２であり、第２の状態におけるＥＰＤＣＣＨ用のＤＭＲＳに対して規定されるスクランブルＩＤの値は３である。また、仮想セルＩＤおよび／またはスクランブルＩＤは、第１の状態におけるＥＰＤＣＣＨ用のＤＭＲＳと第２の状態におけるＥＰＤＣＣＨ用のＤＭＲＳの一方または両方に対して、ＰＤＣＣＨおよび／またはＲＲＣを通じて、設定されてもよい。また、仮想セルＩＤおよび／またはスクランブルＩＤは、第１の状態におけるＥＰＤＣＣＨ用のＤＭＲＳと第２の状態におけるＥＰＤＣＣＨ用のＤＭＲＳの一方または両方に対して、予め規定されてもよい。
【０２０６】
また、仮想セルＩＤおよび／またはスクランブルＩＤが、第１の状態におけるＥＰＤＣＣＨ用のＤＭＲＳと第２の状態におけるＥＰＤＣＣＨ用のＤＭＲＳの一方または両方に対して、設定されない場合、その仮想セルＩＤおよび／またはスクランブルＩＤは、予め規定された所定の値、別のパラメータに対して設定した値などを用いて設定されることができる。例えば、仮想セルＩＤが第１の状態におけるＥＰＤＣＣＨ用のＤＭＲＳと第１の状態におけるＥＰＤＣＣＨ用のＤＭＲＳの一方または両方に対して設定されない場合、その仮想セルＩＤは、そのセルの物理セルＩＤ、プライマリーセルまたはセカンダリーセルの仮想セルＩＤまたは物理セルＩＤとすることができる。また、例えば、仮想セルＩＤおよび／またはスクランブルＩＤが第１の状態におけるＥＰＤＣＣＨ用のＤＭＲＳと第１の状態におけるＥＰＤＣＣＨ用のＤＭＲＳの一方に対して設定または規定され、もう一方に設定または規定されない場合、設定または規定されないＥＰＤＣＣＨ用のＤＭＲＳに対する仮想セルＩＤおよび／またはスクランブルＩＤは、設定または規定されたＥＰＤＣＣＨ用のＤＭＲＳに対する仮想セルＩＤおよび／またはスクランブルＩＤと同じにすることができる。
【０２０７】
第１の状態におけるＥＰＤＣＣＨ用のＤＭＲＳと第２の状態におけるＥＰＤＣＣＨ用のＤＭＲＳは、それぞれ独立に設定または規定された直交系列を用いて構成することができる。例えば、アンテナポートに対して用いられる直交系列が、第１の状態におけるＥＰＤＣＣＨ用のＤＭＲＳと第２の状態におけるＥＰＤＣＣＨ用のＤＭＲＳに対して、それぞれ独立に設定または規定される。アンテナポート１０７〜１１０と、アンテナポート１０７Ａ〜１１０Ａとは、対応する直交系列が異ならせることができる。アンテナポート１０７〜１１０に対応する直交系列は、それぞれアンテナポート１０８Ａ、１０７Ａ、１１０Ａ、１０９Ａに対応する直交系列と同じであるかもしれない。また、アンテナポート１０７Ａ〜１１０Ａに対応する直交系列は、アンテナポート１１、１３、１２、１４に対応する直交系列と同じであるかもしれない。
【０２０８】
以上の方法を用いることにより、第１の状態におけるＥＰＤＣＣＨ用のＤＭＲＳと第２の状態におけるＥＰＤＣＣＨ用のＤＭＲＳが、それぞれ独立に設定または規定されたスクランブル系列および／または直交系列を用いて構成されるため、第１の状態におけるＥＰＤＣＣＨ用のＤＭＲＳと第２の状態におけるＥＰＤＣＣＨ用のＤＭＲＳとが同じリソースに多重された場合であっても、干渉は抑圧される。
【０２０９】
第１の状態と第２の状態の一例は、ＥＰＤＣＣＨ用のＤＭＲＳの準共同配置（Quasi co-location）に関する設定または規定である。
【０２１０】
第１の状態におけるＥＰＤＣＣＨ用のＤＭＲＳと第２の状態におけるＥＰＤＣＣＨ用のＤＭＲＳに対する準共同配置は、それぞれ独立に設定または規定できる。例えば、準共同配置に関するオペレーションのタイプが複数規定される場合、それらのタイプは第１の状態におけるＥＰＤＣＣＨ用のＤＭＲＳと第２の状態におけるＥＰＤＣＣＨ用のＤＭＲＳに対して、独立に設定できる。第１のタイプ（タイプＡとも呼称される）では、基地局１００および／または端末２００は、ＥＰＤＣＣＨ用のＤＭＲＳに関連付けられるアンテナポートと、サービングセルのＣＲＳに関連付けられるアンテナポートと、が準共同配置であると想定する。第２のタイプ（タイプＢとも呼称される）では、基地局１００および／または端末２００は、ＥＰＤＣＣＨ用のＤＭＲＳに関連付けられるアンテナポートと、基地局１００から端末２００に設定されたＣＳＩ−ＲＳに関連付けられるアンテナポートと、が準共同配置であると想定する。
【０２１１】
また、準共同配置である想定されるＣＳＩ−ＲＳの設定可能な値は、第１の状態におけるＥＰＤＣＣＨ用のＤＭＲＳと第２の状態におけるＥＰＤＣＣＨ用のＤＭＲＳに対して、それぞれ異ならせることができる。例えば、第１の状態におけるＥＰＤＣＣＨ用のＤＭＲＳと準共同配置である想定されるＣＳＩ−ＲＳの設定可能な値は、第１の状態におけるＥＰＤＣＣＨ用のＤＭＲＳと準共同配置である想定されるＣＳＩ−ＲＳの設定可能な値の一部である。特に、第２のＤＭＲＳパターンが用いられる場合、ＤＭＲＳがＣＳＩ−ＲＳがマッピングされ得るリソースエレメントを用いて構成されることがあり得るため、そのようなＣＳＩ−ＲＳの設定を除外することは、基地局１００と端末２００における準共同配置に関する設定をミスする可能性を低くできる。
【０２１２】
また、第１の状態におけるＥＰＤＣＣＨ用のＤＭＲＳと第２の状態におけるＥＰＤＣＣＨ用のＤＭＲＳに対する準共同配置は、同じ設定または規定を用いることができる。準共同配置に関するオペレーションのタイプの設定、および／または、準共同配置である想定されるＣＳＩ−ＲＳの設定は、第１の状態におけるＥＰＤＣＣＨ用のＤＭＲＳと第２の状態におけるＥＰＤＣＣＨ用のＤＭＲＳに対して、同じにできる。例えば、第１の状態におけるＥＰＤＣＣＨ用のＤＭＲＳに対する設定が、第１の状態におけるＥＰＤＣＣＨ用のＤＭＲＳに対しても適用される。
【０２１３】
第１の状態と第２の状態の一例は、フィードバック情報に対する処理である。例えば、端末２００は、第１の状態または第２の状態を想定して、第１のフィードバック情報または第２のフィードバック情報を生成する。また、第１のフィードバック情報または第２のフィードバック情報は、それぞれ異なる想定のＰＤＳＣＨに対して生成されることができる。
【０２１４】
フィードバック情報は、端末２００が、基地局１００からの参照信号に基づいて生成し、基地局１００にレポートする、下りリンクの伝搬路状況に関する情報（ＣＳＩ；Channel state information）である。フィードバック情報は、ＣＱＩ（Channel quality indicator）、ＰＭＩ（Precoding matrix indicator）、ＰＴＩ（Precoding type indicator）、および／またはＲＩ（Rank indication）等から構成される。ＣＱＩは、所定の受信品質を満たす変調方式と符号化率を示す。所定の受信品質は、ＰＤＳＣＨのトランスポートブロックに対する誤り率が１０％を超えないものとすることができる。ＰＭＩは、複数のプレコーディング重み（プレコーディング行列）により予め規定されたコードブックから選択されたプレコーディング重みを示す。ＰＴＩは、フィードバック情報のタイプを示す。ＲＩは、ＭＩＭＯ多重数（空間多重数、ランク数）を示す。ＰＭＩは、既に選択されたＲＩに基づいて選択できる。ＣＱＩは、既に選択されたＲＩおよび／またはＰＭＩに基づいて選択できる。
【０２１５】
フィードバック情報は、基地局１００から端末２００に対して設定されるＣＳＩプロセスに基づいて、生成される。１つ以上のＣＳＩプロセスが設定でき、フィードバック情報はＣＳＩプロセス毎に独立に生成される。また、フィードバック情報を生成するために用いられるＣＳＩ−ＲＳとＣＳＩ−ＩＭリソースは、ＣＳＩプロセス毎に独立に設定できる。
【０２１６】
また、端末２００から基地局１００へのレポートする複数種類のモードが規定できる。それらのレポートのモードは、基地局１００または端末２００に固有に設定できる。例えば、ＰＭＩとＲＩをレポートするモードでは、端末２００は、ＲＩ、ＰＭＩおよびＣＱＩを、基地局１００に対して周期的または非周期的にレポートする。ＰＭＩとＲＩをレポートしないモードでは、端末２００は、ＣＱＩを、基地局１００に対して周期的または非周期的にレポートする。ＰＭＩとＲＩをレポートしないモードでは、端末２００は、ＲＩおよびＰＭＩを、基地局１００に対してレポートしない。
【０２１７】
端末２００は、フィードバック情報を生成する時に、ＰＤＳＣＨまたはＥＰＤＣＣＨに関連付けられるＤＭＲＳの想定を切り替える。第１の状態である場合、端末２００がレポートするフィードバック情報は第１のＤＭＲＳパターンが用いられると想定して生成される。第２の状態である場合、端末２００がレポートするフィードバック情報は第２のＤＭＲＳパターンが用いられると想定して生成される。また、フィードバック情報の生成のために想定される第１のＤＭＲＳパターンまたは第２のＤＭＲＳパターンは、既に選択されたＲＩが示すランク数に基づく。例えば、ＰＭＩおよび／またはＣＱＩを生成するために想定される第１のＤＭＲＳパターンまたは第２のＤＭＲＳパターンの、ＰＤＳＣＨまたはＥＰＤＣＣＨに対するオーバーヘッドは、既に選択されたＲＩが示すランク数によって決定される。
【０２１８】
具体的な一例を用いて説明する。第１の送信モードと、ＰＭＩとＲＩをレポートするモードとが、端末２００に設定された場合、端末２００がレポートするＲＩ、ＰＭＩおよびＣＱＩは、所定のＰＤＳＣＨまたはＥＰＤＣＣＨに対して第１のＤＭＲＳパターンが用いられると想定して生成される。第２の送信モードと、ＰＭＩとＲＩをレポートするモードとが、端末２００に設定された場合、端末２００がレポートするＲＩ、ＰＭＩおよびＣＱＩは、所定のＰＤＳＣＨまたはＥＰＤＣＣＨに対して第２のＤＭＲＳパターンが用いられると想定して生成される。第１の送信モードと、ＰＭＩとＲＩをレポートしないモードとが、端末２００に設定された場合、端末２００がレポートするＣＱＩは、所定のＰＤＳＣＨまたはＥＰＤＣＣＨに対して、第１のＤＭＲＳパターンにおけるアンテナポート７またはアンテナポート１０７が用いられると想定して生成される。第２の送信モードと、ＰＭＩとＲＩをレポートしないモードとが、端末２００に設定された場合、端末２００がレポートするＣＱＩは、所定のＰＤＳＣＨまたはＥＰＤＣＣＨに対して、第２のＤＭＲＳパターンにおけるアンテナポート７Ａまたはアンテナポート１０７Ａが用いられると想定して生成される。
【０２１９】
また、フィードバック情報を生成するために参照されるリソースとして、ＣＳＩ参照リソースが定義される。周波数領域において、ＣＳＩ参照リソースは、ＣＱＩを生成する単位に対応するリソースブロックのグループによって定義される。時間領域において、ＣＳＩ参照リソースは、所定のサブフレームによって定義される。また、ＣＳＩ参照リソースにおいて、フィードバック情報を生成するための想定は、第１の状態と第２の状態に対してそれぞれ独立に規定できる。
【０２２０】
フィードバック情報を生成するために切り替えられる想定の一例は、制御信号のために用いられるリソースの有無である。第１の状態である場合、フィードバック情報は、ＣＳＩ参照リソースにおける最初の３ＯＦＤＭシンボルは制御信号のために用いられていると想定して、生成される。すなわち、第１の状態である場合、フィードバック情報は、ＣＳＩ参照リソースのサブフレームにおいて、最初の３ＯＦＤＭシンボル以外のリソースにＰＤＳＣＨがマッピングされると想定して、生成される。第２の状態である場合、フィードバック情報は、ＣＳＩ参照リソースにおいて、制御信号のために用いられるリソースは無いものと想定して、生成される。すなわち、第２の状態である場合、フィードバック情報は、ＣＳＩ参照リソースにおける最初の３ＯＦＤＭシンボルも含めたリソースにＰＤＳＣＨがマッピングされると想定して、生成される。
【０２２１】
フィードバック情報を生成するために切り替えられる想定の別の一例は、基地局１００に固有の参照信号のために用いられるリソースである。第１の状態である場合、フィードバック情報は、ＣＳＩ参照リソースにおいて、ＣＲＳがマッピングされ、トラッキングＲＳがマッピングされないと想定して、生成される。第２の状態である場合、フィードバック情報は、ＣＳＩ参照リソースにおいて、トラッキングＲＳがマッピングされ、ＣＲＳがマッピングされないと想定して、生成される。
【０２２２】
また、ＣＳＩ参照リソースに対応するサブフレームは、第１のフィードバック情報および第２のフィードバック情報に対して、それぞれ独立に設定できる。例えば、第１のフィードバック情報におけるＣＳＩ参照リソースに対応するサブフレームと、第２のフィードバック情報におけるＣＳＩ参照リソースに対応するサブフレームとは、それぞれ独立に設定できる。また、ＣＳＩ参照リソースに対応するサブフレームは、所定数のサブフレームに対するビットマップ形式の情報で構成できる。
【０２２３】
以上の方法を用いることにより、基地局１００が端末２００に対して、第１の状態と第２の状態のいずれかを設定できる場合、端末２００はその設定に応じて、好適なフィードバック情報を生成できる。例えば、基地局１００が端末２００に対して、第１のＤＭＲＳパターンと第２のＤＭＲＳパターンのいずれかを設定できる場合、端末２００はその設定に応じて、好適なフィードバック情報を生成できる。特に、端末２００における受信特性が、第１のＤＭＲＳパターンと第２のＤＭＲＳパターンとで異なる場合、端末２００はその受信特性に基づいたフィードバック情報を生成できる。そのため、基地局１００は、端末２００に対して、好適なスケジューリングを実現できる。
【０２２４】
第１の状態と第２の状態の一例は、チャネルまたは信号に対するパンクチャ処理またはレートマッチング処理である。
【０２２５】
レートマッチング処理において、基地局１００は、第１のＤＭＲＳまたは第２のＤＭＲＳがマッピングされるリソース（リソースエレメント）を飛び越して、チャネルまたは信号を所定のリソースにマッピングする。
【０２２６】
レートマッチング処理において、端末２００は、第１のＤＭＲＳまたは第２のＤＭＲＳがマッピングされるリソース（リソースエレメント）を飛び越して、チャネルまたは信号を所定のリソースからデマッピングする。
【０２２７】
パンクチャ処理において、基地局１００は、第１のＤＭＲＳまたは第２のＤＭＲＳがマッピングされるリソース（リソースエレメント）を飛び越さずに、チャネルまたは信号を所定のリソースにマッピングするが、基地局１００は、第１のＤＭＲＳまたは第２のＤＭＲＳがマッピングされるリソース（リソースエレメント）に、第１のＤＭＲＳまたは第２のＤＭＲＳをマッピングする。例えば、パンクチャ処理において、基地局１００は、チャネルまたは信号を所定のリソースにマッピングし、さらに第１のＤＭＲＳまたは第２のＤＭＲＳがマッピングされるリソース（リソースエレメント）に、第１のＤＭＲＳまたは第２のＤＭＲＳを上書きしてマッピングする。
【０２２８】
パンクチャ処理において、端末２００は、第１のＤＭＲＳまたは第２のＤＭＲＳがマッピングされるリソース（リソースエレメント）を飛び越さずに、チャネルまたは信号を所定のリソースにデマッピングするが、端末２００は、第１のＤＭＲＳまたは第２のＤＭＲＳがマッピングされるリソース（リソースエレメント）に、第１のＤＭＲＳまたは第２のＤＭＲＳがマッピングされていると想定して処理を行う。例えば、パンクチャ処理において、端末２００は、第１のＤＭＲＳまたは第２のＤＭＲＳがマッピングされるリソース（リソースエレメント）に対応するチャネルまたは信号の一部が欠落していると想定して、チャネルまたは信号に対する受信処理を行う。
【０２２９】
第１のＤＭＲＳまたは第２のＤＭＲＳに対するチャネルまたは信号のパンクチャ処理またはレートマッチング処理は、それぞれ独立に設定または規定できる。例えば、第１のＤＭＲＳが用いられる場合、基地局１００および／または端末２００は、第１のＤＭＲＳがマッピングされるリソースに対して、チャネルまたは信号のパンクチャ処理またはレートマッチング処理を行う。第２のＤＭＲＳが用いられる場合、基地局１００および／または端末２００は、第２のＤＭＲＳがマッピングされるリソースに対して、チャネルまたは信号のパンクチャ処理またはレートマッチング処理を行う。
【０２３０】
また、例えば、第１のＤＭＲＳが用いられる場合、基地局１００および／または端末２００は、第１のＤＭＲＳおよび第２のＤＭＲＳがマッピングされるリソースに対して、チャネルまたは信号のパンクチャ処理またはレートマッチング処理を行う。第２のＤＭＲＳが用いられる場合、基地局１００および／または端末２００は、第１のＤＭＲＳおよび第２のＤＭＲＳがマッピングされるリソースに対して、チャネルまたは信号のパンクチャ処理またはレートマッチング処理を行う。
【０２３１】
以上の方法を用いることにより、チャネルまたは信号と、第１のＤＭＲＳまたは第２のＤＭＲＳとが、所定のリソースに対して、効率的に多重できる。また、端末２００は、パンクチャ処理またはレートマッチング処理を行うことで、チャネルまたは信号に対する受信品質を大幅な劣化を低減できる。
【０２３２】
第１の状態と第２の状態の一例は、ＰＤＳＣＨあるいはＥＰＤＣＣＨのパンクチャ処理とレートマッチング処理である。
【０２３３】
ＰＤＳＣＨあるいはＥＰＤＣＣＨのレートマッチング処理において、基地局１００は、物理信号（ＣＲＳやＤＭＲＳやＣＳＩ−ＲＳなどの参照信号や同期信号など）がマッピングされるリソース（リソースエレメント）を飛び越して、ＰＤＳＣＨあるいはＥＰＤＣＣＨを所定のリソースにマッピングする。
【０２３４】
ＰＤＳＣＨあるいはＥＰＤＣＣＨのレートマッチング処理において、端末２００は、物理信号がマッピングされるリソース（リソースエレメント）を飛び越して、ＰＤＳＣＨあるいはＥＰＤＣＣＨを所定のリソースからデマッピングする。
【０２３５】
ＰＤＳＣＨあるいはＥＰＤＣＣＨのパンクチャ処理において、基地局１００は、物理信号がマッピングされるリソース（リソースエレメント）を飛び越さずに、ＰＤＳＣＨあるいはＥＰＤＣＣＨを所定のリソースにマッピングするが、基地局１００は、物理信号がマッピングされるリソース（リソースエレメント）に、物理信号をマッピングする（物理信号をＰＤＳＣＨあるいはＥＰＤＣＣＨに上書きしてマッピングする）。
【０２３６】
ＰＤＳＣＨあるいはＥＰＤＣＣＨのパンクチャ処理において、端末２００は、物理信号がマッピングされるリソース（リソースエレメント）を飛び越さずに、ＰＤＳＣＨあるいはＥＰＤＣＣＨを所定のリソースにデマッピングするが、端末２００は、物理信号がマッピングされるリソース（リソースエレメント）に、ＰＤＳＣＨあるいはＥＰＤＣＣＨがマッピングされていると想定してデマッピング処理を行う。好ましくは、端末２００は、物理信号がマッピングされるリソース（リソースエレメント）に対応するＰＤＳＣＨあるいはＥＰＤＣＣＨの一部が欠落していると想定して（このリソースエレメントにおける復調ビットの尤度を低く設定して）、ＰＤＳＣＨあるいはＥＰＤＣＣＨの受信処理（誤り訂正復号）を行う。
【０２３７】
第１の状態において、ＰＤＳＣＨあるいはＥＰＤＣＣＨに対してレートマッチング処理を行う一方、第２の状態において、ＰＤＳＣＨあるいはＥＰＤＣＣＨに対してパンクチャ処理を行うことができる。これにより、端末２００が予め位置を認識している物理信号に対してレートマッチングと行うため、最適なレートマッチング処理を行うことができる。また、端末２００が予め位置を認識しない物理信号に対してパンクチャ処理を行うため、基地局１００から端末２００にすべての物理信号の位置を通知する必要がなくなる。
【０２３８】
第１の状態と第２の状態の一例は、ＥＲＥＧおよび／またはＥＣＣＥの構成である。
【０２３９】
第１の状態と第２の状態とで、ＥＰＤＣＣＨセット内のＲＢペアにおけるＥＲＥＧおよび／またはＥＣＣＥの構成は、それぞれ独立に設定または規定できる。
【０２４０】
＜第３の実施形態＞
以下、本発明の第３の実施形態について説明する。本実施形態における通信システムは、本発明の第１あるいは第２の実施形態で説明した基地局および端末を備える。以下では、本発明の第１あるいは第２の実施形態での説明と異なる部分を説明する。
【０２４１】
本発明の第３の実施形態では、基地局１００および端末２００は、セル（コンポーネントキャリア、キャリア）のキャリアタイプ（セルタイプ、ＣＣタイプ）に応じて、チャネルに対する処理に用いられるＤＭＲＳ（あるいは第２の実施形態における状態）を切り替える。例えば、基地局１００および端末２００は、基地局１００が端末２００に設定されるセルのキャリアタイプに応じて、チャネルに対する処理に用いられるＤＭＲＳを切り替える。
【０２４２】
基地局１００は、端末２００に対して、複数のキャリアタイプを用いて通信できる。例えば、基地局１００は、従来のキャリアタイプ（ＬＣＴ；Legacy carrier type）と、新しいキャリアタイプ（ＮＣＴ；New carrier type）とを用いることができる。ＬＣＴは第１のキャリアタイプとも呼称され、ＮＣＴは第２のキャリアタイプとも呼称される。
【０２４３】
図１０は、複数のキャリアタイプを用いる通信システムの周波数割り当ての一例を示す図である。基地局１００および／または端末２００は、セル毎にＬＣＴまたはＮＣＴを用いることができる。図１０の例では、基地局１００は、第１の周波数（Ｆ１）を用いる第１のセルと、第２の周波数（Ｆ２）を用いる第２のセルとの、２つのセルを用いる。第１のセルにはＬＣＴ（第１のキャリアタイプ）が設定され、第２のセルにはＮＣＴ（第２のキャリアタイプ）が設定される。
【０２４４】
第１のセルと第２のセルは、同一の基地局（送信点）から送信されてもよいし、それぞれ異なる基地局（送信点）から送信されてもよい。なお、第１のセルと第２のセルがそれぞれ異なる基地局（送信点）から送信される場合でも、端末２００は複数の基地局と通信を行っていることを認識することなく、単一の基地局と通信を行っているものとすることができる。
【０２４５】
なお、図１０に示された周波数割り当ては一例であり、これに限定されるものではない。例えば、ＮＣＴを用いた通信システムの周波数割り当ての別の例は、ヘテロジーニアスネットワーク配置を用いる通信システムである。マクロセルの基地局とスモールセルの基地局がそれぞれ独立のセルを用いる。マクロセルとスモールセルとの一方または両方が、ＮＣＴを用いることができる。これらのセルは、それぞれ異なる周波数、または、同一の周波数を用いることができる。また、例えば、ＮＣＴを用いた通信システムの別の例は、ＮＣＴをスタンドアローン（単独）で用いる通信システムである。端末２００は、ＮＣＴを用いたセルで通信する。
【０２４６】
ＬＣＴとＮＣＴとは、異なるキャリアタイプである。例えば、ＬＣＴは、従来の端末を含めたＬＴＥをサポートする全ての端末に用いられるキャリアタイプである。ＮＣＴは、従来の端末以外のＮＣＴをサポートできる端末のみに用いられるキャリアタイプである。ＬＣＴとＮＣＴの詳細は後述される。また、それらのセルはキャリアアグリゲーションができる。ここで、キャリアアグリゲーションは、基地局１００と端末２００が広い周波数帯域幅をサポートするために、２つ以上のセルを統合（集合）することである。
【０２４７】
基地局１００は、ＬＣＴのセルにおいて第１のＤＭＲＳを用い、ＮＣＴのセルにおいて第２のＤＭＲＳを用いる。例えば、基地局１００は、端末２００に設定したセルがＬＣＴである場合、そのセルで送信されるチャネルに関連付けられるＤＭＲＳとして、第１のＤＭＲＳを用いる。基地局１００は、端末２００に設定したセルがＮＣＴである場合、そのセルで送信されるチャネルに関連付けられるＤＭＲＳとして、第２のＤＭＲＳを用いる。
【０２４８】
端末２００は、ＬＣＴのセルにおいて第１のＤＭＲＳを用い、ＮＣＴのセルにおいて第２のＤＭＲＳを用いる。例えば、端末２００は、基地局１００から設定されたセルがＬＣＴである場合、そのセルで送信されるチャネルに関連付けられるＤＭＲＳとして、第１のＤＭＲＳを用いる。端末２００は、基地局１００から設定されたセルがＮＣＴである場合、そのセルで送信されるチャネルに関連付けられるＤＭＲＳとして、第２のＤＭＲＳを用いる。
【０２４９】
次に、端末２００が第１のＤＭＲＳまたは第２のＤＭＲＳを切り替えるための、キャリアタイプの認識方法の詳細を説明する。
【０２５０】
キャリアタイプを認識する方法の一例では、当該セルがＮＣＴであるか否かを示す情報が用いられる。なお、ＮＣＴであるか否かを示す情報は、ＬＣＴまたはＮＣＴのいずれかであることを示す情報とすることもできる。例えば、基地局１００は、端末２００に対してセルを設定する時に、当該セルがＮＣＴであるか否かを端末２００に固有に設定する。端末２００は、基地局１００からセルが設定される時に、当該セルがＮＣＴであるか否かが端末２００に固有に設定され、当該セルのキャリアタイプを認識する。また、例えば、基地局１００は、基地局１００のセルがＮＣＴであるか否かの情報を報知情報に含めて送信する。端末２００は、基地局１００から報知されるＮＣＴであるか否かの情報に基づいて、当該セルのキャリアタイプを認識する。
【０２５１】
キャリアタイプを認識する方法の別の一例では、ＬＣＴとＮＣＴとで異なるチャネルまたは信号が用いられる。基地局１００は、ＬＣＴとＮＣＴとで異なるチャネルまたは信号を送信する。ＬＣＴとＮＣＴとで異なるチャネルまたは信号は、プライマリー同期信号、セカンダリー同期信号、報知チャネル、参照信号などである。端末２００は、基地局から送信されるＬＣＴとＮＣＴとで異なるチャネルまたは信号に基づいて、当該セルのキャリアタイプを認識する。
【０２５２】
なお、キャリアタイプは必ずしも認識されなくてもよく、基地局１００および／または端末２００は、チャネルまたは信号に基づいて、第１のＤＭＲＳまたは第２のＤＭＲＳを切り替える。例えば、基地局１００は、あるセルにおいて、第１のプライマリー同期信号、第１のセカンダリー同期信号、第１の報知チャネル、第１の参照信号などを用いる場合、当該セルにおいて、第１のＤＭＲＳを用いる。基地局１００は、あるセルにおいて、第２のプライマリー同期信号、第２のセカンダリー同期信号、第２の報知チャネル、第２の参照信号などを用いる場合、当該セルにおいて、第２のＤＭＲＳを用いる。端末２００は、あるセルにおいて、第１のプライマリー同期信号、第１のセカンダリー同期信号、第１の報知チャネル、第１の参照信号などが用いられる場合、当該セルにおいて、第１のＤＭＲＳが用いられていると想定する。端末２００は、あるセルにおいて、第２のプライマリー同期信号、第２のセカンダリー同期信号、第２の報知チャネル、第２の参照信号などが用いられる場合、当該セルにおいて、第２のＤＭＲＳが用いられていると想定する。
【０２５３】
キャリアタイプを認識する方法の別の一例では、トラッキングＲＳに関する情報または設定が用いられる。
【０２５４】
図１１は、トラッキングＲＳが用いられるリソースブロックペアの一例を示す図である。トラッキングＲＳは、以下のような特徴の一部または全部を有する。なお、トラッキングＲＳは、減少されたＣＲＳ、拡張された同期信号などとも呼称される。
（１）トラッキングＲＳは、所定のサブフレームのみにマッピングされる。トラッキングＲＳがマッピングされるサブフレームは、予め規定、基地局１００または端末２００に固有に設定、または、基地局１００から報知される。例えば、トラッキングＲＳは、サブフレーム０および５にマッピングされる。
（２）トラッキングＲＳは、端末２００において、周波数方向および／または時間方向の同期またはトラッキングのために用いられる。
（３）トラッキングＲＳは、所定のリソースブロックのみにマッピングされる。トラッキングＲＳがマッピングされるリソースブロックは、予め規定、基地局１００または端末２００に固有に設定、または、基地局１００から報知される。
（４）トラッキングＲＳのシーケンスは、アンテナポート０のＣＲＳと同様に生成される。なお、トラッキングＲＳのシーケンスは、ＲＲＣシグナリングにより設定される値（仮想セルＩＤ）に基づいて、生成されることができる。
（５）トラッキングＲＳは、アンテナポート０のＣＲＳと同様のリソースエレメントにマッピングされる。なお、トラッキングＲＳは、ＲＲＣシグナリングにより設定される値（仮想セルＩＤ）に基づいて、ＲＢペア内で周波数シフトできる。
【０２５５】
基地局１００は、トラッキングＲＳに関する情報を、報知または通知する。端末２００は、基地局から報知または通知されるトラッキングＲＳに関する情報に基づいて、当該セルのキャリアタイプを認識する。
【０２５６】
なお、キャリアタイプは必ずしも認識されなくてもよく、基地局１００および／または端末２００は、トラッキングＲＳに関する情報に基づいて、第１のＤＭＲＳまたは第２のＤＭＲＳを切り替える。例えば、基地局１００は、あるセルにおいて、トラッキングＲＳを用いない場合、当該セルにおいて、第１のＤＭＲＳを用いる。基地局１００は、あるセルにおいて、トラッキングＲＳを用いる場合、当該セルにおいて、第２のＤＭＲＳを用いる。端末２００は、あるセルにおいて、トラッキングＲＳに関する情報に基づいて、トラッキングＲＳが用いられないことを認識した場合、当該セルにおいて、第１のＤＭＲＳが用いられていると想定する。端末２００は、あるセルにおいて、トラッキングＲＳに関する情報に基づいて、トラッキングＲＳが用いられることを認識した場合、当該セルにおいて、第２のＤＭＲＳが用いられていると想定する。
【０２５７】
図１２は、第１のＤＭＲＳと第２のＤＭＲＳとの選択方法の一例を用いた端末のフローチャートを示す図である。この例では、基地局１００および端末２００における第１のＤＭＲＳと第２のＤＭＲＳとの切り替え（選択）は、基地局１００から端末２００にＮＣＴが設定または報知されたか否かに応じて行われる。
【０２５８】
ステップＳ３１において、端末２００は、あるセルに対して、基地局１００からＮＣＴが設定または報知されたか否かを識別する。当該セルに対して、基地局１００からＮＣＴが設定または報知されない場合（ＮＯ）、ステップＳ３２において、端末２００は、第１のＤＭＲＳを選択する。一方、当該セルに対して、基地局１００からＮＣＴが設定または報知された場合（ＹＥＳ）、ステップＳ３３において、端末２００は、第２のＤＭＲＳを選択する。ステップＳ３４において、端末２００は、選択されたＤＭＲＳを用いて、当該セルのチャネルに対する処理を行う。
【０２５９】
なお、第１あるいは第２の実施形態で説明された方法は、ＮＣＴのみに適用されてもよい。なお、キャリアタイプの認識は、第１あるいは第２の実施形態で説明された方法を用いて行われてもよい。例えば、第１の実施形態で説明された方法により第１のＤＭＲＳが選択された場合、当該セルはＬＣＴであると認識される。第１の実施形態で説明された方法により第２のＤＭＲＳが選択された場合、当該セルはＮＣＴであると認識される。
【０２６０】
＜第４の実施形態＞
以下、本発明の第４の実施形態について説明する。本実施形態における通信システムは、本発明の第１あるいは第２の実施形態で説明した基地局および端末を備える。以下では、本発明の第１あるいは第２の実施形態での説明と異なる部分を説明する。
【０２６１】
本発明の第４の実施形態では、基地局１００および端末２００は、サブフレーム（無線フレーム、スロット、シンボル）のサブフレームタイプ（無線フレームタイプ、スロットタイプ、シンボルタイプ）に応じて、チャネルに対する処理に用いられるＤＭＲＳ（あるいは第２の実施形態における状態）を切り替える。例えば、基地局１００および端末２００は、基地局１００が端末２００に設定されるサブフレームタイプに応じて、チャネルに対する処理に用いられるＤＭＲＳを切り替える。
【０２６２】
基地局１００は、端末２００に対して、複数のサブフレームタイプ（ＳＴ）を用いて通信できる。例えば、基地局１００は、従来のサブフレームタイプ（ＬＳＴ；Legacy subframe type）と、新しいサブフレームタイプ（ＮＳＴ；New subframe type）とを用いることができる。ＬＳＴは第１のサブフレームタイプ（第１のＳＴ）とも呼称され、ＮＳＴは第２のサブフレームタイプ（第２のＳＴ）とも呼称される。
【０２６３】
図１３は、複数のサブフレームタイプを用いる通信システムのサブフレーム設定の一例を示す図である。基地局１００および／または端末２００は、サブフレーム単位にＬＳＴまたはＮＳＴを用いることができる。図１３の例では、１つの無線フレームにおいて、サブフレーム（ＳＦ）０、５および６は、第１のサブフレームタイプに設定され、サブフレーム１〜４および７〜９は、第２のサブフレームタイプに設定される。
【０２６４】
ＬＳＴとＮＳＴとは、異なるサブフレームタイプである。例えば、ＬＳＴは、従来の端末を含めたＬＴＥをサポートする全ての端末に用いられるサブフレームタイプである。ＮＳＴは、従来の端末以外のＮＳＴをサポートできる端末のみに用いられるサブフレームタイプである。ＬＳＴとＮＳＴの詳細は後述される。
【０２６５】
基地局１００は、ＬＳＴにおいて第１のＤＭＲＳを用い、ＮＳＴにおいて第２のＤＭＲＳを用いる。例えば、基地局１００は、端末２００に設定したサブフレームがＬＳＴである場合、そのサブフレームで送信されるチャネルに関連付けられるＤＭＲＳとして、第１のＤＭＲＳを用いる。基地局１００は、端末２００に設定したサブフレームがＮＳＴである場合、そのサブフレームで送信されるチャネルに関連付けられるＤＭＲＳとして、第２のＤＭＲＳを用いる。
【０２６６】
端末２００は、ＬＳＴにおいて第１のＤＭＲＳを用い、ＮＳＴにおいて第２のＤＭＲＳを用いる。例えば、端末２００は、基地局１００から設定されたサブフレームがＬＳＴである場合、そのサブフレームで送信されるチャネルに関連付けられるＤＭＲＳとして、第１のＤＭＲＳを用いる。端末２００は、基地局１００から設定されたサブフレームがＮＳＴである場合、そのサブフレームで送信されるチャネルに関連付けられるＤＭＲＳとして、第２のＤＭＲＳを用いる。
【０２６７】
次に、端末２００が第１のＤＭＲＳまたは第２のＤＭＲＳを切り替えるための、サブフレームタイプの認識方法の詳細を説明する。
【０２６８】
サブフレームタイプを認識する方法の一例では、サブフレームタイプに関する情報が用いられる。例えば、サブフレームタイプに関する情報は、当該サブフレームがＮＳＴであるか否かを示す情報、当該サブフレームがＬＳＴまたはＮＳＴのいずれかであることを示す情報などである。
【０２６９】
サブフレームタイプに関する情報は、１つ以上のサブフレームに対して、サブフレーム毎にサブフレームタイプを示す情報とすることができる。例えば、サブフレームタイプに関する情報は、複数のサブフレームに対するサブフレーム毎のビットマップ形式の情報とすることができる。
【０２７０】
サブフレームタイプに関する情報は、基地局１００固有に報知できる。例えば、基地局１００は、サブフレームタイプに関する情報を、報知チャネルを通じて報知する。端末２００は、報知されたサブフレームタイプに関する情報に基づいて、当該サブフレームに対するサブフレームタイプを認識する。
【０２７１】
サブフレームタイプに関する情報は、端末２００固有に通知できる。例えば、基地局１００は、ＰＤＣＣＨシグナリング、ＥＰＤＣＣＨシグナリングおよび／またはＲＲＣシグナリングを通じて、サブフレームタイプに関する情報を端末２００に通知し、サブフレームタイプに関する設定を行う。端末２００は、通知されたサブフレームタイプに関する情報に基づいて、当該サブフレームに対するサブフレームタイプを設定する。
【０２７２】
サブフレームタイプを認識する方法の別の一例では、ＬＳＴとＮＳＴとで異なるチャネルまたは信号が用いられる。基地局１００は、ＬＳＴとＮＳＴとで異なるチャネルまたは信号を送信する。ＬＳＴとＮＳＴとで異なるチャネルまたは信号は、プライマリー同期信号、セカンダリー同期信号、報知チャネル、トラッキングＲＳなどである。端末２００は、基地局から送信されるＬＳＴとＮＳＴとで異なるチャネルまたは信号に基づいて、当該サブフレームのサブフレームタイプを認識する。
【０２７３】
なお、サブフレームタイプは必ずしも認識されなくてもよく、基地局１００および／または端末２００は、チャネルまたは信号に基づいて、第１のＤＭＲＳまたは第２のＤＭＲＳを切り替える。例えば、基地局１００は、あるサブフレームにおいて、プライマリー同期信号、セカンダリー同期信号、報知チャネル、トラッキングＲＳなどの所定のチャネルおよび／または信号が用いられない場合、当該サブフレームにおいて、第１のＤＭＲＳを用いる。基地局１００は、あるセルにおいて、プライマリー同期信号、セカンダリー同期信号、報知チャネル、トラッキングＲＳなどの所定のチャネルおよび／または信号が用いられる場合、当該セルにおいて、第２のＤＭＲＳを用いる。端末２００は、あるセルにおいて、プライマリー同期信号、セカンダリー同期信号、報知チャネル、トラッキングＲＳなどの所定のチャネルおよび／または信号が用いられない場合、当該セルにおいて、第１のＤＭＲＳが用いられていると想定する。端末２００は、あるセルにおいて、プライマリー同期信号、セカンダリー同期信号、報知チャネル、トラッキングＲＳなどの所定のチャネルおよび／または信号が用いられる場合、当該セルにおいて、第２のＤＭＲＳが用いられていると想定する。
【０２７４】
図１４は、第１のＤＭＲＳと第２のＤＭＲＳとの選択方法の一例を用いた端末のフローチャートを示す図である。この例では、基地局１００および端末２００における第１のＤＭＲＳと第２のＤＭＲＳとの切り替え（選択）は、基地局１００から端末２００にＮＳＴ（第２のＳＴ）が設定または報知されたか否かに応じて行われる。
【０２７５】
ステップＳ４１において、端末２００は、基地局１００からＮＳＴが設定されたか否かを識別する。基地局１００からＮＳＴが設定された場合（ＹＥＳ）、ステップＳ４２において、端末２００は、ステップＳ４１で設定されたＮＳＴに関する設定に基づいて、処理対象のサブフレームがＮＳＴであるか否かを識別する。ステップＳ４１で基地局１００からＮＳＴが設定されない場合（ＮＯ）、および、ステップＳ４２で処理対象のサブフレームがＮＳＴでないことが識別された場合（ＮＯ）、ステップＳ４３において、端末２００は、処理対象のサブフレームに対して、第１のＤＭＲＳを選択する。一方、ステップＳ４２で処理対象のサブフレームがＮＳＴであることが識別された場合（ＹＥＳ）、ステップＳ４４において、端末２００は、処理対象のサブフレームに対して、第２のＤＭＲＳを選択する。ステップＳ４５において、端末２００は、選択されたＤＭＲＳを用いて、当該サブフレームのチャネルに対する処理を行う。
【０２７６】
なお、サブフレームタイプは、ＡＢＳ（Almost blank subframe）とは独立に設定できる。ＡＢＳに設定されたサブフレームでは、ＰＤＣＣＨとＰＤＳＣＨがマッピングされない。なお、サブフレームタイプは、ＣＳＩサブフレームセットとは独立に設定できる。
【０２７７】
なお、第１あるいは第２の実施形態で説明された方法は、ＮＳＴのみに適用されてもよい。なお、サブフレームタイプの認識は、第１あるいは第２の実施形態で説明された方法を用いて行われてもよい。例えば、第１の実施形態で説明された方法により第１のＤＭＲＳが選択された場合、当該サブフレームはＬＳＴであると認識される。第１の実施形態で説明された方法により第２のＤＭＲＳが選択された場合、当該サブフレームはＮＳＴであると認識される。
【０２７８】
なお、上記の各実施形態で説明された方法は、単独またはそれらを複合的に組み合わせて用いられることができる。
【０２７９】
なお、上記の各実施形態では、データチャネル、制御チャネル、ＰＤＳＣＨ、ＰＤＣＣＨ、ＥＰＤＣＣＨおよび参照信号のマッピング単位として、リソースエレメント、リソースブロックまたはリソースブロックペアを用い、時間方向の送信単位としてサブフレームや無線フレームを用いて説明したが、これに限るものではない。任意の周波数と時間で構成される領域および時間単位をこれらに代えて用いても、同様の効果を得ることができる。
【０２８０】
なお、端末２００が基地局１００と通信を開始する際に、基地局１００に対して、上記の各実施形態で記載の機能が使用可能であるか否かを示す情報（端末能力情報，あるいは機能グループ情報）を基地局１００に通知することにより、基地局１００は上記各実施形態で記載の機能が使用可能であるか否かを判断することができる。より具体的には、上記各実施形態で記載の機能が使用可能である場合に、端末能力情報にそれを示す情報を含め、上記各実施形態で記載の機能が使用可能ではない場合には、端末能力情報に本機能に関する情報を含めないようにすればよい。あるいは、上記各実施形態で記載の機能が使用可能である場合に、機能グループ情報の所定ビットフィールドに１を立て、上記各実施形態で記載の機能が使用可能ではない場合には、機能グループ情報の所定ビットフィールドを０とするようにすればよい。
【０２８１】
なお、上記各実施形態では、データチャネル、制御チャネル、ＰＤＳＣＨ、ＰＤＣＣＨ、ＥＰＤＣＣＨおよび参照信号のマッピング単位としてリソースエレメントやリソースブロックを用い、時間方向の送信単位としてサブフレームや無線フレームを用いて説明したが、これに限るものではない。任意の周波数と時間で構成される領域および時間単位をこれらに代えて用いても、同様の効果を得ることができる。なお、上記各実施形態では、プレコーディング処理されたＲＳを用いて復調する場合について説明し、プレコーディング処理されたＲＳに対応するポートとして、ＭＩＭＯのレイヤーと等価であるポートを用いて説明したが、これに限るものではない。この他にも、互いに異なる参照信号に対応するポートに対して、上記各実施形態を適用することにより、同様の効果を得ることができる。例えば、Ｐｒｅｃｏｄｅｄ  ＲＳではなくＵｎｐｒｅｃｏｄｅｄ  ＲＳを用い、ポートとしては、プリコーディング処理後の出力端と等価であるポートあるいは物理アンテナ（あるいは物理アンテナの組み合わせ）と等価であるポートを用いることができる。
【０２８２】
上記実施形態に関わる基地局１００および端末２００で動作するプログラムは、本発明に関わる上記実施形態の機能を実現するように、ＣＰＵ等を制御するプログラム（コンピュータを機能させるプログラム）である。そして、これら装置で取り扱われる情報は、その処理時に一時的にＲＡＭに蓄積され、その後、各種ＲＯＭやＨＤＤに格納され、必要に応じてＣＰＵによって読み出し、修正・書き込みが行なわれる。プログラムを格納する記録媒体としては、半導体媒体（例えば、ＲＯＭ、不揮発性メモリカード等）、光記録媒体（例えば、ＤＶＤ、ＭＯ、ＭＤ、ＣＤ、ＢＤ等）、磁気記録媒体（例えば、磁気テープ、フレキシブルディスク等）等のいずれであってもよい。また、ロードしたプログラムを実行することにより、上述した実施形態の機能が実現されるだけでなく、そのプログラムの指示に基づき、オペレーティングシステムあるいは他のアプリケーションプログラム等と共同して処理することにより、上記実施形態の機能が実現される場合もある。
【０２８３】
また、市場に流通させる場合には、可搬型の記録媒体にプログラムを格納して流通させたり、インターネット等のネットワークを介して接続されたサーバコンピュータに転送したりすることができる。この場合、サーバコンピュータの記憶装置も本発明に含まれる。また、上述した実施形態における基地局１００および端末２００の一部、または全部を典型的には集積回路であるＬＳＩとして実現してもよい。基地局１００および端末２００の各機能ブロックは個別にチップ化してもよいし、一部、または全部を集積してチップ化してもよい。また、集積回路化の手法はＬＳＩに限らず専用回路、または汎用プロセッサで実現しても良い。また、半導体技術の進歩によりＬＳＩに代替する集積回路化の技術が出現した場合、当該技術による集積回路を用いることも可能である。
【０２８４】
なお、本願発明は上述の実施形態に限定されるものではない。本願発明の端末装置は、移動局装置への適用に限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などに適用できる。
【０２８５】
以上、この発明の実施形態に関して図面を参照して詳述してきたが、具体的な構成はこの実施形態に限られるものではなく、この発明の要旨を逸脱しない範囲の設計変更等も含まれる。例えば、一連の処理のうち、一部の処理の順序を逆転させるような設計の変更を行ってもよい。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【０２８６】
＜まとめ＞
（１）この発明は上述した課題を解決するためになされたもので、本発明の一態様による基地局は、サブキャリアとＯＦＤＭシンボルとで構成されるリソースエレメントを用いて、端末と通信する基地局であって、端末に対する制御情報を通知するＥＰＤＣＣＨを生成するＥＰＤＣＣＨ生成部と、ＥＰＤＣＣＨに関連付けられる復調参照信号であり、複数のアンテナポート間で多重可能な第１の復調参照信号または第２の復調参照信号を生成する参照信号生成部と、ＥＰＤＣＣＨと、端末に対する設定に基づいて選択される第１の復調参照信号または第２の復調参照信号とを送信する送信部と、を備える。
【０２８７】
（２）本発明の一態様による基地局は、上記の基地局であって、第１の復調参照信号は第１のマッピングパターンを用いてリソースエレメントにマッピングされ、第２の復調参照信号は第２のマッピングパターンを用いてリソースエレメントにマッピングされる。
【０２８８】
（３）本発明の一態様による基地局は、上記の基地局であって、第１の復調参照信号または第２の復調参照信号は、端末に対して設定される送信モードに基づいて選択される。
【０２８９】
（４）本発明の一態様による基地局は、上記の基地局であって、第１の復調参照信号または第２の復調参照信号は、第２の復調参照信号に関する情報が端末に設定されたか否かに基づいて選択される。
【０２９０】
（５）本発明の一態様による基地局は、上記の基地局であって、第１の復調参照信号または第２の復調参照信号は、ＥＰＤＣＣＨに対して設定される分散送信または局所送信に基づいて選択される。
【０２９１】
（６）本発明の一態様による基地局は、上記の基地局であって、第１の復調参照信号または第２の復調参照信号は、ＥＰＤＣＣＨに対して設定される探索領域に基づいて選択される。
【０２９２】
（７）本発明の一態様による基地局は、上記の基地局であって、第１の復調参照信号または第２の復調参照信号は、ＥＰＤＣＣＨが送信されるセルに対して設定されるキャリアタイプに基づいて選択される。
【０２９３】
（８）本発明の一態様による基地局は、上記の基地局であって、第１の復調参照信号または第２の復調参照信号は、ＥＰＤＣＣＨが送信されるサブフレームに対して設定されるサブフレームタイプに基づいて選択される。
【０２９４】
（９）本発明の一態様による端末は、サブキャリアとＯＦＤＭシンボルとで構成されるリソースエレメントを用いて、基地局と通信する端末であって、端末に対する制御情報を通知するＥＰＤＣＣＨと、ＥＰＤＣＣＨに関連付けられる復調参照信号であり、複数のアンテナポート間で多重可能な第１の復調参照信号または第２の復調参照信号と、を受信する受信部を備える。第１の復調参照信号または第２の復調参照信号は、端末に対する設定に基づいて選択される。
【０２９５】
（１０）本発明の一態様による通信システムは、サブキャリアとＯＦＤＭシンボルとで構成されるリソースエレメントを用いて、基地局と端末とが通信する通信システムである。基地局は、端末に対する制御情報を通知するＥＰＤＣＣＨを生成するＥＰＤＣＣＨ生成部と、ＥＰＤＣＣＨに関連付けられる復調参照信号であり、複数のアンテナポート間で多重可能な第１の復調参照信号または第２の復調参照信号を生成する参照信号生成部と、ＥＰＤＣＣＨと、端末に対する設定に基づいて選択される第１の復調参照信号または第２の復調参照信号とを送信する送信部と、を備える。端末は、ＥＰＤＣＣＨと、第１の復調参照信号または第２の復調参照信号とを受信する受信部を備える。
【０２９６】
（１１）本発明の一態様による通信方法は、サブキャリアとＯＦＤＭシンボルとで構成されるリソースエレメントを用いて、端末と通信する基地局で用いられる通信方法であって、端末に対する制御情報を通知するＥＰＤＣＣＨを生成するステップと、ＥＰＤＣＣＨに関連付けられる復調参照信号であり、複数のアンテナポート間で多重可能な第１の復調参照信号または第２の復調参照信号を生成するステップと、ＥＰＤＣＣＨと、端末に対する設定に基づいて選択される第１の復調参照信号または第２の復調参照信号とを送信するステップと、を有する。
【０２９７】
（１２）本発明の一態様による通信方法は、サブキャリアとＯＦＤＭシンボルとで構成されるリソースエレメントを用いて、基地局と通信する端末で用いられる通信方法であって、端末に対する制御情報を通知するＥＰＤＣＣＨと、ＥＰＤＣＣＨに関連付けられる復調参照信号であり、複数のアンテナポート間で多重可能な第１の復調参照信号または第２の復調参照信号と、を受信するステップを有する。第１の復調参照信号または第２の復調参照信号は、端末に対する設定に基づいて選択される。
【０２９８】
（１３）本発明の一態様による集積回路は、サブキャリアとＯＦＤＭシンボルとで構成されるリソースエレメントを用いて、端末と通信する基地局で実現される集積回路であって、端末に対する制御情報を通知するＥＰＤＣＣＨを生成する機能と、ＥＰＤＣＣＨに関連付けられる復調参照信号であり、複数のアンテナポート間で多重可能な第１の復調参照信号または第２の復調参照信号を生成する機能と、ＥＰＤＣＣＨと、端末に対する設定に基づいて選択される第１の復調参照信号または第２の復調参照信号とを送信する機能と、を有する。
【０２９９】
（１４）本発明の一態様による集積回路は、サブキャリアとＯＦＤＭシンボルとで構成されるリソースエレメントを用いて、基地局と通信する端末で用いられる通信方法であって、端末に対する制御情報を通知するＥＰＤＣＣＨと、ＥＰＤＣＣＨに関連付けられる復調参照信号であり、複数のアンテナポート間で多重可能な第１の復調参照信号または第２の復調参照信号と、を受信する機能を有する。第１の復調参照信号または第２の復調参照信号は、端末に対する設定に基づいて選択される。
【産業上の利用可能性】
【０３００】
本発明は、無線基地局装置や無線端末装置や無線通信システムや無線通信方法に用いて好適である。
【符号の説明】
【０３０１】
１００  基地局
１０１、２０５  情報処理部
１１０  ＰＤＣＣＨ生成部
１２０  ＥＰＤＣＣＨ生成部
１３０  ＰＤＳＣＨ生成部
１１１、１２１、１３１  符号部
１１２、１２２、１３２  変調部
１１３、１２３、１３３  レイヤー処理部
１１４、１２４、１３４  プレコーディング部
１４１  参照信号生成部
１５１  多重部
１５２  送信信号生成部
１５３、２４２  送信部
１６１、２０１  受信部
１６２  上りリンクチャネル処理部
２００  端末
２０２  受信信号処理部
２０３  分離部
２０４  伝搬路推定部
２１０  ＰＤＣＣＨ処理部
２２０  ＥＰＤＣＣＨ処理部
２３０  ＰＤＳＣＨ処理部
２１１、２２１、２３１  伝搬路等化部
２１２、２２２、２３２  復調部
２１３、２２３、２３３  復号部
１５０１  マクロ基地局
１５０２、１５０３  ＲＲＨ
１５０４  端末
１５０８、１５０９  回線
１５０５、１５０６、１５０７  カバレッジ
【図１】
2014141920.tif 000004
【図２】
2014141920.tif 000005
【図３】
2014141920.tif 000006
【図４】
2014141920.tif 000007
【図５】
2014141920.tif 000008
【図６】
2014141920.tif 000009
【図７】
2014141920.tif 000010
【図８】
2014141920.tif 000011
【図９】
2014141920.tif 000012
【図１０】
2014141920.tif 000013
【図１１】
2014141920.tif 000014
【図１２】
2014141920.tif 000015
【図１３】
2014141920.tif 000016
【図１４】
2014141920.tif 000017
【図１５】
2014141920.tif 000018
【国際調査報告】
2014141920.tif 000019
2014141920.tif 000020
2014141920.tif 000021
2014141920.tif 000022